(57)【要約】      （修正有）【課題】使用者の鼻梁に高い圧力が及ぼされることを防止しつつ、漏出を防ぐ改良された鼻密閉部分を有するインターフェースを提供する。【解決手段】陽圧療法用のインタフェースは、マスクアセンブリ５００とヘッドギアアセンブリとを含む。マスクアセンブリは、鼻の下に置かれ、且つ鼻の横側部に上へ延在することにより、鼻が着座する上向きに開放した谷部５２２を画定するように適合されたマスクシール５０４を含み、ここで使用者の鼻は露出している。マスクシールは鼻の下側に一次シールを有し、鼻と並んで二次シールを有する。【選択図】図５４
2020192345.tif 000002
【特許請求の範囲】
【請求項１】
陽圧呼吸療法の提供に用いられるインタフェースにおいて、前記インタフェースが、
マスクシールとマスクベースとを含むマスクアセンブリであって、全面的に使用者の顔の鼻の鼻梁より下側に位置決めされるように構成された、且つ前記使用者の前記鼻の鼻尖の露出をもたらすように構成されたマスクアセンブリ；
を含み、
前記マスクベースが、中心部分と、前記中心部分の後方に湾曲する一対のウィングとを含み、前記ウィングが前記中心部分より大きい垂直方向の広がりを有し、前記マスクベースの前記中心部分にコネクタ用の開口が形成され；
前記マスクシールが前記マスクベースに連結され、前記マスクシールが前記マスクベースに隣接して肉厚化領域を含み、前記マスクシールが、下側部分にある少なくとも１つの口用開口と、上側部分にある少なくとも１つの鼻用開口とを含み、前記少なくとも１つの口用開口が、前記コネクタ用の前記開口の反対側に位置決めされ、前記少なくとも１つの鼻用開口が、前記コネクタ用の前記開口と前記口用開口との間に前後方向に位置決めされ；
且つ、前記マスクシールが第１のパドルと第２のパドルとを含み、前記第１のパドルと前記第２のパドルとの間に上面が位置決めされ、それにより前記第１のパドルと前記上支持面と前記第２のパドルとによって上方に開放した谷部が画定され、前記少なくとも１つの鼻用開口の少なくとも一部分が、前記谷部の範囲内で前記上面に位置決めされ、前記第１のパドルが第１のポケットを含み、前記第２のパドルが第２のポケットを含み、前記第１及び第２のポケットが、前記マスクアセンブリ内に画定されるチャンバと流体連通している、インタフェース。
【請求項２】
前記マスクシールが、前記使用者の前記鼻の下で、前記鼻に隣接する前記使用者の顔の一部分に沿って、且つ前記使用者の口の周りで密閉するように適合される、請求項１に記載のインタフェース。
【請求項３】
前記マスクアセンブリが、前記使用者の前記鼻の前方に向く部分を一切覆わないように構成される、請求項１又は２に記載のインタフェース。
【請求項４】
前記上面が、前記第１及び第２のパドルの内側部分の間にハンモック状に吊り下がる、請求項１〜３のいずれか一項に記載のインタフェース。
【請求項５】
前記上面に対する下向きの圧力により、前記第１及び第２のパドルが互いの方に撓む、請求項４に記載のインタフェース。
【請求項６】
前記シール部材が、前記使用者の前記顔に接触するように適合された後面を含み、前記後面が第１の突起と第２の突起とを含む、請求項１〜５のいずれか一項に記載のインタフェース。
【請求項７】
前記第１の突起の少なくとも一部分及び前記第２の突起の少なくとも一部分が、垂直方向において前記上面と前記少なくとも１つの口用開口の最上部との間に位置決めされる、請求項６に記載のインタフェース。
【請求項８】
前記第１の突起の前記一部分が第１の尖端を含み、前記第２の突起の前記一部分が第２の尖端を含む、請求項７に記載のインタフェース。
【請求項９】
前記第１の尖端及び前記第２の尖端が、垂直方向において前記少なくとも１つの鼻用開口の一部分と前記少なくとも１つの口用開口との間に位置決めされる、請求項８に記載のインタフェース。
【請求項１０】
前記第１の尖端及び前記第２の尖端が、垂直方向において前記少なくとも１つの口用開口と比べて前記少なくとも１つの鼻用開口のより近くに位置決めされる、請求項９に記載のインタフェース。
【請求項１１】
前記マスクシールが、前記顔の２つの位置に係留するように適合される、請求項１〜６のいずれか一項に記載のインタフェース。
【請求項１２】
前記マスクシールが、前記下唇より下側及び前記鼻より下側に係留するように構成される、請求項１１に記載のインタフェース。
【請求項１３】
前記マスクシールが、前記下唇より下側ながら前記顎よりは上側及び前記鼻より下側に係留するように構成される、請求項１１に記載のインタフェース。
【請求項１４】
前記２つの位置は前記鼻の底部より下側にあるが、前記マスクシールは前記鼻の前記底部を越えて上方に延在する、請求項１１に記載のインタフェース。
【請求項１５】
前記マスクシールが、垂直方向において最上係留位置より上側の位置で顔に当接して密閉するように適合される、請求項１４に記載のインタフェース。
【請求項１６】
前記上面が、前記少なくとも１つの鼻用開口を取り囲む領域で下方及び後方に傾斜している、請求項１〜５のいずれか一項に記載のインタフェース。
【請求項１７】
前記少なくとも１つの鼻用開口が鼻パッドインサートを含む、請求項１〜５のいずれか一項に記載のインタフェース。
【請求項１８】
前記鼻パッドインサートが、前記マスクシールと異なる材料で形成される、請求項１７に記載のインタフェース。
【請求項１９】
前記鼻パッドインサートが、凹状のパッド支持領域で前記マスクシールに固定される、請求項１７に記載のインタフェース。
【請求項２０】
前記鼻パッドインサート及び前記マスクシールが、相互関係を有するキーイング機構を含む、請求項１７に記載のインタフェース。
【請求項２１】
前記鼻パッドインサートと前記マスクシールとが、前記少なくとも１つの鼻用開口を略取り囲む密閉接合部を有する、請求項１７に記載のインタフェース。
【請求項２２】
前記鼻パッドインサートが凹状中心部分を含む、請求項１７に記載のインタフェース。
【請求項２３】
前記凹状中心部分が、前記少なくとも１つの鼻用開口の略前方に位置決めされる、請求項２２に記載のインタフェース。
【請求項２４】
前記第１のパドル及び前記第２のパドルの内側に向く部分と比べて、外周部分の硬さが増加している、請求項１〜５のいずれか一項に記載のインタフェース。
【請求項２５】
前記第１のパドル及び前記第２のパドルの前記内側に向く部分と比べて、前記外周部分の厚さが増加している、請求項２４に記載のインタフェース。
【請求項２６】
前記第１のパドルが、外側に向く面と内側に向く面との間に位置決めされた第１のリッジを含み、前記第２のパドルが、外側に向く面と内側に向く面との間に位置決めされた第２のリッジを含み、前記第１及び第２のリッジは、前記内側に向く面と比べて硬さが増加している、請求項１〜５のいずれか一項に記載のインタフェース。
【請求項２７】
前記第１のパドルが、外側に向く面と内側に向く面との間に位置決めされた第１のリッジを含み、前記第２のパドルが、外側に向く面と内側に向く面との間に位置決めされた第２のリッジを含み、前記第１及び第２のリッジは、前記内側に向く面と比べて厚さが増加している、請求項１〜５のいずれか一項に記載のインタフェース。
【請求項２８】
前記マスクアセンブリと前記使用者の前記顔との間に僅かに上向きの力の加力を提供するように適合されたヘッドギアアセンブリをさらに含む、請求項１〜２７のいずれか一項に記載のインタフェース。
【請求項２９】
前記ヘッドギアアセンブリが、前記マスクアセンブリの角度を調節するように構成される、請求項２８に記載のインタフェース。
【請求項３０】
前記ヘッドギアがＴピースを含まない、請求項２８に記載のインタフェース。
【請求項３１】
前記マスクアセンブリ及び前記ヘッドギアアセンブリが、垂直方向には前記眼より上側のいかなる位置においても、水平方向には前記眼の外側の間の位置で、前記マスクアセンブリ又は前記ヘッドギアアセンブリの一部分が前記使用者の前記顔に接触しないように構成される、請求項２８に記載のインタフェース。
【請求項３２】
前記マスクアセンブリが少なくとも１つの鼻プロングを含む、請求項１〜５のいずれか一項に記載のインタフェース。
【請求項３３】
前記少なくとも１つの鼻プロングが、前記マスクアセンブリの内側垂直面に向かって傾いている、請求項３２に記載のインタフェース。
【発明の詳細な説明】
【技術分野】
【０００１】
関連出願の相互参照
本願は、２０１１年１０月３１日に出願された米国仮特許出願第６１／５５３，８７２号明細書の優先権利益を主張し、この仮特許出願は本明細書によって全体として参照により援用される。本願はまた、２０１２年４月１３日に出願されたＰＣＴ／ＩＢ２０１２／０００８５８号明細書の一部継続出願であり、この出願は、２０１１年４月１５日に出願された米国仮特許出願第６１／４７６，１８８号明細書、２０１１年７月４日に出願された米国仮特許出願第６１／５０４，２９５号明細書、及び２０１１年１０月２８日に出願された米国仮特許出願第６１／５５３，０６７号明細書の優先権利益を主張するものであり、これらの仮特許出願の各々は、本明細書によって全体として参照により援用される。
【０００２】
本発明は、概して、陽圧下で呼吸ガスを供給するため使用者の鼻及び口の少なくとも一方を覆うフェイスマスクに関する。より詳細には、本発明の特定の態様は、改良された鼻密閉部分を有するかかるマスクに関する。
【背景技術】
【０００３】
フェイスマスクは、陽圧下での使用者に対する呼吸ガスの提供に使用することができる。使用者の口及び鼻の両方を覆う構成では、典型的にはフルフェイスマスクが鼻梁の上に置かれ得る。概して、単一のシールが使用者の鼻及び口を囲み得る。かかるシールは使用者の鼻梁を跨ぎ越える。
【０００４】
かかるフルフェイスマスクは、一般的には、ヘッドギアによって使用者の頭部に固定される。漏出を十分に低減するため、ヘッドギアは典型的にはきつく締められ、そのため使用者の鼻梁に高い圧力が及ぼされる。換言すれば、ヘッドギアの締め付けに伴い、典型的にはシリコーンシールが鼻梁に加える荷重が徐々に増す。この圧力は不快感の原因となることがあり、ある状況下では、時間が経つにつれ褥瘡が生じ得る。
【発明の概要】
【発明が解決しようとする課題】
【０００５】
本開示の目的は、少なくとも何らか上記に関する改良となり得る、又は少なくとも公衆若しくは医療専門家に有用な選択肢を提供し得る１つ以上の構造及び／又は方法を提供することである。
【課題を解決するための手段】
【０００６】
従って、陽圧呼吸療法の提供に用いられるインタフェースが提供される。このインタフェースはマスクアセンブリを含む。マスクアセンブリは、マスクシールと、マスクシールに取り外し可能に連結されるマスクベースとを含む。マスクシールは、マスクシールの少なくとも一部分より硬質のマスクシールクリップを含む。マスクシールクリップは略カップ形状の構成で、開放されている近位端と略閉鎖されている遠位端とを備える。略五角形のリップが近位端の周りに延在する。マスクシールクリップは、外面を有する弧状の上側部分を含む。マスクシールクリップ弧長は、一対のヒンジ点の間にある上側部分の上端に隣接する外面に沿って定義される。ヒンジ軸がヒンジ点間にマスクアセンブリを横切って横方向に延在し、マスクシールクリップの上側部分の少なくとも一部分は、垂直方向にヒンジ軸より高く位置決めされる。マスクシールクリップ上側部分は支持面を含む。略中心通路が、マスククリップを通り、マスクシールにより画定されるチャンバの中まで延在する。マスクシールは、使用者の鼻部を覆って位置決めされるように構成される可撓性の上側部分を含む。マスクシール上側部分は、垂直方向にヒンジ軸より高く位置決めされる。マスクシール上側部分は、２つの剛性の増加した領域間に位置する剛性の低下した領域を含む。この剛性の低下した領域はロールする能力を有し、マスクシールクリップに対するマスクシール上側部分の枢動を可能にする。２つの剛性の増加した領域の一方は小半径屈曲部に隣接して位置決めされ、２つの剛性の増加した領域の他方は、補強部品に隣接する位置である。小半径屈曲部及び補強部品は境界を画定し、枢軸の周りに上側部分が枢動する間、それらの境界の間でマスクの上側部分がロールを呈する。マスクシール上側部分は小半径屈曲部に隣接する第１の曲線長と、補強バンドに隣接する第２の曲線長とを有する。第１の曲線長は第２の曲線長より短い。計測位置がマスクシールクリップから離れるに従い曲線長は増加する。マスクベースはマスクシールクリップの少なくとも一部分の上に置かれる。マスクベースは第１のポケットと第２のポケットとを含む。第１及び第２のポケットは、実質的にマスクベースを二等分する中心面に関して対称に位置決めされる。第１のポケット及び第２のポケットの各々は、横寸法より大きい縦寸法を含む。マスクベースはまた、中心開口を画定する壁も含む。この壁はマスクシールクリップの略中心通路の中まで延在する。連結ポートアセンブリが、ボール形状部材を終端とするエルボを含む。ボール形状部材は、中心開口を画定する壁によって保持されるサイズ及び構成である。連結ポートアセンブリはまた、取り外し可能なスイベル部材も含む。取り外し可能なスイベル部材はレバーによって固定される。レバーはポートに重ねて置かれる。ポートはフラップで選択的に覆うことが可能である。フラップはまた、エルボ内の中心通路を閉鎖することも可能である。ポート開口は、エルボがマスクに連結されたとき略マスク方向にある。ヘッドギアアセンブリは、一対の上側ストラップと一対の下側ストラップとを含む。一対の上側ストラップの一方及び一対の下側ストラップの一方は、第１のクリップに連結される。一対の上側ストラップの他方及び一対の下側ストラップの他方は、第２のクリップに連結される。第１のクリップ及び第２のクリップは、それらのクリップがストラップ張力方向と実質的に垂直な方向に動くことによりポケット内に係合された状態となるようにして、マスクベースのポケット内に固定可能である。
【０００７】
一部の構成では、マスクシールはフルフェイスマスクである。
【０００８】
一部の構成では、マスクシールクリップは、マスクシールクリップをマスクシールと分離できないようにマスクシールに一体化される。
【０００９】
一部の構成では、マスクベースは、マスクシールに取り外し可能に連結される。
【００１０】
一部の構成では、上側部分の外面がマスクシールクリップの支持面の上にロールし、支持面はマスクシールクリップの上側部分の外面を画定する。
【００１１】
一部の構成では、剛性の低下した領域は、剛性の増加した領域と比較して厚さが低下した領域を含む。
【００１２】
一部の構成では、マスクシールの上側部分が第１の壁と第２の壁とによって画定される頂部を含み、補強部品が、第１の壁の少なくとも一部分に沿って、且つ第２の壁の少なくとも一部分に沿って延在する。好ましくは、補強部品はマスクシールの上側部分の頂部の上にかけて延在する。
【００１３】
一部の構成では、補強部品は、両端が概して垂直方向にヒンジ点より高い位置で終わる。
【００１４】
マスクアセンブリはマスクシールを含み得る。マスクシールは、上側部分と下側部分とを含む。上側部分は下側部分に対して枢動可能である。上側部分は、第１の境界と第２の境界との間に位置決めされる剛性の低下した領域を含む。第１の境界は、剛性の低下した領域より高い剛性によって画定される。第２の境界は、剛性の低下した領域より高い剛性によって画定される。第１の境界が第２の境界に向かって動かされると、剛性の低下した領域が単一の方向に座屈し、第１の境界が第２の境界に向かって動き続けるに従いサイズが変化する材料のロールを画定する。
【００１５】
一部の構成では、剛性の低下した領域により、シール部材の下側部分に対するシール部材の上側部分の動きが促進される。好ましくは、上側部分がマスクの鼻梁部分を含み、第１の境界が第２の境界に向かって動くことにより、マスクの下側部分に対するマスクの鼻梁部分の動きが促進される。
【００１６】
一部の構成では、第２の境界は、上側部分と下側部分との間に位置決めされる。好ましくは、マスクは、マスクシールと比べて硬さが増加したマスクシールクリップをさらに含み、第２の境界はそのマスクシールクリップの端部に沿って位置決めされる。より好ましくは、材料のロールは、マスクシールクリップの少なくとも一部分の上に重なる。
【００１７】
一部の構成では、第１の境界は補強部品に沿って画定される。好ましくは、補強部品はプラスチックバンドを含む。
【００１８】
一部の構成では、剛性の低下した領域は、第１の境界に対する厚さの低下により画定される。
【００１９】
一部の構成では、第２の境界は、小半径の角によって画定される。
【００２０】
一部の構成では、ロールは、マスクシールの少なくとも一部分の上にわたり延在する。
【００２１】
一部の構成では、ロールは、第１の境界が第２の境界に向かって完全に動かされたとき、マスクシールクリップの少なくとも一部分の上に置かれる。
【００２２】
マスクアセンブリはマスクシールを含み得る。マスクシールは鼻領域と口領域とを含む。鼻領域と口領域とは一体形成される。鼻領域は口領域に対して動くことができ、従って口領域によって及ぼされる力が増加する間も、複数の位置で鼻領域によって及ぼされる力が実質的に一定に保たれる。
【００２３】
マスクアセンブリは、ヘッドギアアセンブリに連結されるマスクシールを含む。マスクシールは、使用者の鼻梁部及び口部を包囲するように構成される。マスクシールは、ヘッドギアアセンブリが締め付けられると口部に加える力を増加させる一方で、鼻梁部に対して実質的に一定の力を加えるための非プリーツ式の手段を含む。
【００２４】
マスクアセンブリはシールを含む。シールは、使用者の顔と係合するフランジを含む。シールはマスクベースに取り外し可能に連結される。マスクベースは第１の開口と第２の開口とを含む。第１の開口及び第２の開口は、関連するヘッドギアアセンブリの第１のクリップ及び第２のクリップを受け入れる。マスクベースは、概して第１の開口と第２の開口との間に位置決めされる通路をさらに含む。通路は呼吸管コネクタを受け入れるように適合される。
【００２５】
一部の構成では、マスクアセンブリはマスクシールクリップをさらに含み、このマスクシールクリップはマスクシールに連結され、且つマスクベースに取り外し可能に連結される。好ましくは、マスクベースはマスクシールクリップの実質的な部分の上に置かれる。より好ましくは、マスクベースは周囲縁部を含み、マスクベースの周囲縁部に沿って、マスクシールクリップの上に置かれる位置に少なくとも１つの凹部が画定される。
【００２６】
マスクアセンブリはマスクシールを含む。マスクシールは、使用者の顔と接触するように適合される近位フランジを含む。マスクシールは、遠位に向く面を含む。マスクベースが周囲縁部を含み、周囲縁部から被覆面が延在する。マスクベース被覆面は、マスクベース被覆面がマスクシールの遠位に向く面から遠位方向に離間されるようにして、マスクシールの遠位に向く面の少なくとも一部分の上に置かれ、これによりマスクベース被覆面とマスクシールの遠位に向く面とが、マスクアセンブリに対して湿分のレインアウトを低減する遮蔽効果をもたらす。
【００２７】
使用者に陽圧空気流を供給するためのインタフェースは、マスクベースと、マスクベースに取り外し可能に連結されるマスクシールとを含み得る。マスクシールは、使用者の鼻の下に置かれるように適合された第１のシール面と、使用者の鼻尖を包み込むことなく使用者の１つ以上の鼻翼の少なくとも線維脂肪組織の上にわたり延在するように適合された第２のシール面とを含む。
【００２８】
一部の構成では、第１のシール面は上面によって画定される。シール部材内にチャンバが画定されてもよく、上面を通る開口は上面と略面一であってもよい。
【００２９】
一部の構成では、第２のシール面は第１のパドルと第２のパドルとを含む。第１のパドル及び第２のパドルは垂直方向に上面より高く延在し、第１のパドル、上面及び第２のパドルによって谷部が画定される。谷部は、使用者の鼻尖がマスクシールによって覆われないように適合される。
【００３０】
一部の構成では、第１のパドル及び第２のパドルは各々が内側ポケットを含み、この内側ポケットは、シール部材内に画定されるチャンバと流体連通している。内側ポケットの横部分は、垂直方向にマスクシールの上面より高く延在する。
【００３１】
一部の構成では、マスクシールはリップをさらに含み、このリップは、上面から下方に依存（ｄｅｐｅｎｄ）し、且つ口用開口の少なくとも一部分を画定するように適合される。口用開口は、上面における開口とは分離されている。
【００３２】
一部の構成では、マスクシールはリップをさらに含み、このリップは、マスクシールに画定される一体型口鼻用開口の口部分を略包囲する。
【００３３】
一部の構成では、インタフェースはクリップをさらに含み、このクリップは、一体型口鼻用開口の第１の側部を一体型口鼻用開口の第２の側部と連結する。
【００３４】
一部の構成では、マスクシールは、側壁によって連結される前方に向く面と後方に向く面とを含む。
【００３５】
一部の構成では、第１及び第２のパドルにおける後方に向く面の一部分は、第１及び第２のパドルにおける前方に向く面の一部分より小さい厚さを有する。
【００３６】
一部の構成では、マスクの中心顎領域における後方に向く面の一部分は、中心顎領域の横方向外側の後方に向く面の一部分の厚さより小さい厚さを有する。
【００３７】
使用者に陽圧空気流を供給するためのインタフェースは、マスクベースと、マスクベースに取り外し可能に連結されるマスクシールとを含む。マスクシールは、第１のシール面に連結される第１のパドルと第２のパドルとを含む。第１のパドル及び第２のパドルは二次シール構造を画定する。第１のパドル及び第２のパドルは、第１及び第２のパドルの上側部分の間に第１の間隙が画定される第１の位置から、第１及び第２のパドルの上側部分の間に第２の間隙が画定される第２の位置へと動くことが可能であってよい。第１の間隙は第２の間隙より大きい。
【００３８】
一部の構成では、上面が第１の位置から第２の位置へと下方に動くことにより、第１及び第２のパドルが第１の位置から第２の位置に動かされる。
【００３９】
一部の構成では、マスクシールは、側壁によって連結される前方に向く面と後方に向く面とを含む。
【００４０】
一部の構成では、第１及び第２のパドルにおける後方に向く面の一部分は、第１及び第２のパドルにおける前方に向く面の一部分より小さい厚さを有する。
【００４１】
一部の構成では、マスクの中心顎領域における後方に向く面の一部分は、中心顎領域の横方向外側の後方に向く面の一部分の厚さより小さい厚さを有する。
【００４２】
一部の構成では、陽圧呼吸療法の提供に用いられるインタフェースが提供される。このインタフェースは、マスクシールとマスクベースとを含むマスクアセンブリを含む。マスクアセンブリは、全面的に使用者の顔の鼻梁より下側に位置決めされるように構成され、マスクアセンブリは、使用者の鼻尖の露出をもたらすように構成される。マスクベースは、中心部分と、中心部分の後方に湾曲する一対のウィングとを含む。ウィングは、中心部分より大きい垂直方向の広がりを有する。マスクベースの中心部分にコネクタ用の開口が形成される。マスクシールはマスクベースに連結される。マスクシールは、マスクベースに隣接して肉厚化領域を含む。マスクシールは、下側部分にある少なくとも１つの口用開口と、上側部分にある少なくとも１つの鼻用開口とを含む。少なくとも１つの口用開口はコネクタ用の開口の反対側に位置決めされ、少なくとも１つの鼻用開口は、コネクタ用の開口と口用開口との間に、前後方向に位置決めされる。マスクシールは第１のパドルと第２のパドルとを含む。第１のパドルと第２のパドルとの間に上面が位置決めされ、それにより第１のパドルと上支持面と第２のパドルとによって上方に開放した谷部が画定される。少なくとも１つの鼻用開口の少なくとも一部分は、谷部内で上面に位置決めされる。第１のパドルは第１のポケットを含み、第２のパドルは第２のポケットを含む。第１及び第２のポケットは、マスクアセンブリ内に画定されるチャンバと流体連通している。
【００４３】
一部の構成では、マスクシールは、使用者の鼻の下で、鼻に隣接する使用者の顔の一部分に沿って、且つ使用者の口の周りで密閉するように適合される。
【００４４】
一部の構成では、マスクアセンブリは、使用者の鼻の前方に向く部分を一切覆わないように構成される。
【００４５】
一部の構成では、上面は、第１及び第２のパドルの内側部分の間にハンモック状に吊り下がる。
【００４６】
一部の構成では、上面に対する下向きの圧力により、第１及び第２のパドルが互いの方に撓む。
【００４７】
一部の構成では、シール部材は、使用者の顔と接触するように適合された後面を含み、この後面は第１の突起と第２の突起とを含む。
【００４８】
一部の構成では、第１の突起の少なくとも一部分及び第２の突起の少なくとも一部分が、垂直方向において上面と少なくとも１つの口用開口の最上部との間に位置決めされる。
【００４９】
一部の構成では、第１の突起の一部分が第１の尖端を含み、第２の突起の一部分が第２の尖端を含む。
【００５０】
一部の構成では、第１の尖端及び第２の尖端は、垂直方向において、少なくとも１つの鼻用開口の一部分と少なくとも１つの口用開口との間に位置決めされる。
【００５１】
一部の構成では、第１の尖端及び第２の尖端は、垂直方向において、少なくとも１つの口用開口と比べて少なくとも１つの鼻用開口のより近くに位置決めされる。
【００５２】
一部の構成では、マスクシールは、顔の２つの位置に係留するように適合される。
【００５３】
一部の構成では、マスクシールは、下唇より下側及び鼻より下側に係留するように構成される。
【００５４】
一部の構成では、マスクシールは、下唇より下側ながら顎よりは上側及び鼻より下側に係留するように構成される。
【００５５】
一部の構成では、２つの位置は鼻の底部より下側にあるが、マスクシールは鼻の底部を越えて上方に延在する。
【００５６】
一部の構成では、マスクシールは、垂直方向において最上係留位置より上側の位置で顔に当接して密閉するように適合される。
【００５７】
一部の構成では、上面は、少なくとも１つの鼻用開口を取り囲む領域で下方及び後方に傾斜している。
【００５８】
一部の構成では、少なくとも１つの鼻用開口は鼻パッドインサートを含む。
【００５９】
一部の構成では、鼻パッドインサートは、マスクシールと異なる材料で形成される。
【００６０】
一部の構成では、鼻パッドインサートは、凹状のパッド支持領域でマスクシールに固定される。
【００６１】
一部の構成では、鼻パッドインサート及びマスクシールは、相互関係を有するキーイング機構を含む。
【００６２】
一部の構成では、鼻パッドインサートとマスクシールとは、少なくとも１つの鼻用開口を略取り囲む密閉接合部を有する。
【００６３】
一部の構成では、鼻パッドインサートは凹状中心部分を含む。
【００６４】
一部の構成では、凹状中心部分は、少なくとも１つの鼻用開口の略前方に位置決めされる。
【００６５】
一部の構成では、第１のパドル及び第２のパドルの内側に向く部分と比べて、外周部分は硬さが増加している。
【００６６】
一部の構成では、第１のパドル及び第２のパドルの内側に向く部分と比べて、外周部分は厚さが増加している。
【００６７】
一部の構成では、第１のパドルは、外側に向く面と内側に向く面との間に位置決めされた第１のリッジを含み、第２のパドルは、外側に向く面と内側に向く面との間に位置決めされた第２のリッジを含み、第１及び第２のリッジは、内側に向く面と比べて硬さが増加している。
【００６８】
一部の構成では、第１のパドルは、外側に向く面と内側に向く面との間に位置決めされた第１のリッジを含み、第２のパドルは、外側に向く面と内側に向く面との間に位置決めされた第２のリッジを含み、第１及び第２のリッジは、内側に向く面と比べて厚さが増加している。
【００６９】
一部の構成では、インタフェースは、マスクアセンブリと使用者の顔との間に僅かに上向きの力の加力を提供するように適合されたヘッドギアアセンブリを含む。
【００７０】
一部の構成では、ヘッドギアアセンブリは、マスクアセンブリの角度を調節するように構成される。
【００７１】
一部の構成では、ヘッドギアはＴピース（Ｔ−ｐｉｅｃｅ）を含まない。
【００７２】
一部の構成では、マスクアセンブリ及びヘッドギアアセンブリは、垂直方向には眼より上側のいかなる位置においても、水平方向には眼の外側の間の位置で、マスクアセンブリ又はヘッドギアアセンブリの一部分が使用者の顔に接触しないように構成される。
【００７３】
一部の構成では、マスクアセンブリは少なくとも１つの鼻プロングを含む。
【００７４】
一部の構成では、少なくとも１つの鼻プロングは、マスクアセンブリの内側垂直面に向かって傾いている。
【００７５】
本発明の実施形態のこれら及び他の特徴、態様及び利点を、以下の図面を参照して説明する。
【図面の簡単な説明】
【００７６】
【図１】本発明の特定の特徴、態様及び利点に従い配置及び構成されるインタフェースを装用している使用者の正面図である。
【図２】図１のインタフェースを装用している使用者の側面図である。
【図３】図１のインタフェースのマスクシール及びマスクシールクリップの斜視図である。
【図４】図３のマスクシール及びマスクシールクリップの側面図である。
【図５】図３のマスクシールクリップの後面斜視図である。
【図６】図３のマスクシールクリップの後面立面図である。
【図７】図３のマスクシールクリップの側面立面図である。
【図８】図３のマスクシールクリップの上面平面図である。
【図９】図３のマスクシール及びマスクシールクリップの前面立面図である。
【図１０】図３のマスクシール及びマスクシールクリップの後面立面図である。
【図１１】図３のマスクシール及びマスクシールクリップの側面立面図である。
【図１２Ａ】図３のマスクシール及びマスクシールクリップの一部分の拡大断面図である。
【図１２Ｂ】図３のマスクシール及びマスクシールクリップの一部分の拡大断面図である。
【図１２Ｃ】図３のマスクシール及びマスクシールクリップの一部分の拡大断面図である。
【図１２Ｄ】図３のマスクシール及びマスクシールクリップの一部分の拡大断面図である。
【図１３】図１のインタフェースのマスクシール、マスクシールクリップ及びマスクベースの分解前面斜視図である。
【図１４】図１３のマスクシール、マスクシールクリップ及びマスクベースの断面図である。
【図１５】図１３のマスクシール、マスクシールクリップ及びマスクベースの側面立面図である。
【図１６】図１３のマスクシール、マスクシールクリップ及びマスクベースの上面平面図である。
【図１７】図１の連結ポートアセンブリの斜視図である。
【図１８】図１７の連結ポートアセンブリの側面立面図である。
【図１９】図１７の連結ポートアセンブリの後面立面図である。
【図２０】図１７の連結ポートアセンブリの断面側面立面図である。
【図２１】図１７の連結ポートアセンブリの断面斜視図である。
【図２２】図１のクリップアセンブリの斜視図である。
【図２３】図２２のクリップアセンブリの断面図である。
【図２４】図１２の断面図と同様の断面図であり、マスクシールクリップ１１２の一部分の下にロールするように構成されたマスクシールを示す。
【図２５】図１４の断面図と同様の断面図であり、ここではマスクシールクリップは寸法が縮小している。
【図２６】図１４の断面図と同様の断面図であり、ここではマスクシールクリップが省かれている。
【図２７】図１４の断面図と同様の別の断面図であり、ここではマスクシールクリップが省かれている。
【図２８】マスク延在範囲の関数としての使用者の体に対する荷重（又は力）の関係を示すグラフ図である。
【図２９】図１及び図２のヘッドギアアセンブリに適合するバックボーンの斜視図である。
【図３０】図２９の下側アームの端部領域の拡大図である。
【図３１】図３０の端部領域の拡大断面図である。
【図３２】マスク、クリップ、及びストラップを含むマスクアセンブリの斜視図である。
【図３３】図３２の２つのクリップのうち一方の側面図である。
【図３４】図３３のクリップの分解図である。
【図３５】図３３のクリップの内側キャッチの上面図である。
【図３６】２つの装着用ポストを有するマスクベース、及び左の装着用ポストに装着されたクリップの１つの内側キャッチの正面図である。
【図３７】２つの装着用ポストを有する別の構成のマスクベース、及びマスクベースの左の装着用ポストに装着された別の構成のクリップの正面図である。
【図３８】別の構成のクリップ並びに関連するマスク及び装着用ポストである。
【図３９】別の構成のクリップ並びに関連するマスク及び装着用ポストである。
【図４０】別の構成のクリップ並びに関連するマスク及び装着用ポストである。
【図４１】別の構成のクリップ並びに関連するマスク及び装着用ポストである。
【図４２】別の構成のクリップ並びに関連するマスク及び装着用ポストである。
【図４３】別の構成のクリップ並びに関連するマスク及び装着用ポストである。
【図４４】別の構成のクリップ並びに関連するマスク及び装着用ポストである。
【図４５】別の構成のクリップ並びに関連するマスク及び装着用ポストである。
【図４６】別の構成のクリップ並びに関連するマスク及び装着用ポストである。
【図４７】別の構成のクリップ並びに関連するマスク及び装着用ポストである。
【図４８】別の構成のスイベルアセンブリの側面図である。
【図４９】図４８のスイベルアセンブリの分解図である。
【図５０】図４８の線５０−５０に沿った断面図である。
【図５１】図４８の線５１−５１に沿った断面図である。
【図５２】使用者の頭部に取り付けられた図２９のバックボーンの側面図である。
【図５３】使用者の頭部に取り付けられた図２９のバックボーンの後面斜視図である。
【図５４】使用者の顔に位置決めされたマスク構成の前面立面図である。
【図５５】図５４の線５５−５５に沿ったマスク構成の断面図である。
【図５６】図５４のマスク構成の斜視図である。
【図５７】図５４のマスク構成の後面斜視図である。
【図５８】図５４のマスク構成の後面図である。
【図５９】図５４のマスク構成と比べて異なるマスクシールを有するマスク構成の後面図である。
【図６０】図５４及び図５９のマスク構成と比べて異なるマスクシールを有する別のマスク構成の後面斜視図である。
【図６１】図５４のマスク構成の側面立面図である。
【図６２】図６１の線６２−６２に沿った断面である。
【図６３】図５４のマスク構成のマスクシールの後面図である。
【図６４】図５４のマスク構成のマスクシールの側面図である。
【図６５】図５４のマスク構成のマスクシールの正面図である。
【図６６】別のマスク構成の正面図である。
【図６７】ヘッドギアアセンブリが取り付けられた図６６のマスク構成の斜視図である。
【図６８】図６７のマスク構成及びヘッドギアアセンブリの側面図である。
【図６９】図６９のマスク構成及びヘッドギアアセンブリの後面斜視図である。
【図７０】使用者の顔の斜視図である。
【図７１】使用者に対して適切な位置にあるものとして示されるマスク構成の正面図である。
【図７２】使用者に対して適切な位置にあるものとして示されるマスク構成の斜視図である。
【図７３】図７１のマスク構成の正面図であり、コネクタは含まず示される。
【図７４】図７１のマスク構成の側面図であり、コネクタは含まず示される。
【図７５】図７１のマスク構成の側面断面図である。
【図７６】図７１のマスク構成の後面図である。
【図７７】図７１のマスク構成の部分分解前面斜視図である。
【図７８】図７１のマスク構成の部分分解後面斜視図である。
【図７９】図７１のマスク構成の断面図である。
【図８０】図７１のマスク構成のマスクシールの正面図であり、種々の厚さ領域を示す。
【図８１】図７１のマスク構成のマスクシールの後面図であり、種々の厚さ領域を示す。
【図８２】図７１のマスク構成の側面図であり、種々の厚さ領域を示す。
【図８３】図８１のマスクシールに示す高さにおける図７１のマスク構成に沿った断面である。
【図８４】図８１のマスクシールに示す高さにおける図７１のマスク構成に沿った断面である。
【図８５】図８１のマスクシールに示す高さにおける図７１のマスク構成に沿った断面である。
【図８６】図８１のマスクシールに示す高さにおける図７１のマスク構成に沿った断面である。
【図８７】図８１のマスクシールに示す高さにおける図７１のマスク構成に沿った断面である。
【図８８】図８１のマスクシールに示す高さにおける図７１のマスク構成に沿った断面である。
【図８９】図７１のマスクアセンブリと共に使用することのできる種々のヘッドギアアセンブリの図である。
【図９０】図７１のマスクアセンブリと共に使用することのできる種々のヘッドギアアセンブリの図である。
【図９１】図７１のマスクアセンブリと共に使用することのできる種々のヘッドギアアセンブリの図である。
【図９２】図７１のマスクアセンブリと共に使用することのできる種々のヘッドギアアセンブリの図である。
【図９３】図７１のマスクアセンブリと共に使用することのできる種々のヘッドギアアセンブリの図である。
【図９４】図７１のマスクアセンブリと共に使用することのできる種々のヘッドギアアセンブリの図である。
【図９５】図７１のマスクアセンブリと共に使用することのできる種々のヘッドギアアセンブリの図である。
【図９６】図７１のマスクアセンブリと共に使用することのできる種々のヘッドギアアセンブリの図である。
【図９７】図７１のマスクアセンブリと共に使用することのできる種々のヘッドギアアセンブリの図である。
【図９８】図７１のマスクアセンブリと共に使用することのできる種々のヘッドギアアセンブリの図である。
【図９９】図７１のマスクアセンブリと共に使用することのできる種々のヘッドギアアセンブリの図である。
【図１００】図７１のマスクアセンブリと共に使用することのできる種々のヘッドギアアセンブリの図である。
【図１０１】図７１のマスクアセンブリと共に使用することのできる種々のヘッドギアアセンブリの図である。
【図１０２】図７１のマスクアセンブリと共に使用することのできる種々のヘッドギアアセンブリの図である。
【図１０３】図７１のマスクアセンブリと共に使用することのできる種々のヘッドギアアセンブリの図である。
【図１０４】図７１のマスクアセンブリと共に使用することのできる種々のヘッドギアアセンブリの図である。
【図１０５】図７１のマスクアセンブリと共に使用することのできる種々のヘッドギアアセンブリの図である。
【図１０６】図７１のマスクアセンブリと共に使用することのできる種々のヘッドギアアセンブリの図である。
【図１０７】図７１のマスクアセンブリと共に使用することのできる種々のヘッドギアアセンブリの図である。
【図１０８】図７１のマスクアセンブリと共に使用することのできる種々のヘッドギアアセンブリの図である。
【図１０９】図７１のマスクアセンブリと共に使用することのできる種々のヘッドギアアセンブリの図である。
【図１１０】別のマスク構成の前面斜視図である。
【図１１１】図１１０のマスク構成の後面斜視図である。
【図１１２】図１１０のマスク構成の断面側面図である。
【図１１３】図１１０のマスク構成の後面斜視図である。
【図１１４】図１１３に指示する線に沿った断面図である。
【図１１５】図１１３に指示する線に沿った断面図である。
【図１１６】図１１３に指示する線に沿った断面図である。
【図１１７】図１１３に指示する線に沿った断面図である。
【図１１８】図１１３に指示する線に沿った断面図である。
【図１１９】図１１３に指示する線に沿った断面図である。
【図１２０】指示される種々の厚さ領域を有する図１１０のマスク構成の後面図である。
【発明を実施するための形態】
【００７７】
初めに図１及び図２に関連して、使用者Ｕに対して適切な位置にあるインタフェース１００が示される。インタフェース１００は、呼吸療法の分野で使用することのできるインタフェースを含む。インタフェース１００は、陽圧呼吸療法の形態で特に有用性がある。例えば、インタフェース１００は、持続的気道陽圧（「ＣＰＡＰ」）治療の投与に使用することができる。加えて、インタフェース１００は、可変気道陽圧（「ＶＰＡＰ」）治療及びバイレベル気道陽圧（「ＢｉＰＡＰ」）治療で使用することができる。このインタフェースは、任意の好適なＣＰＡＰシステムで使用することができる。
【００７８】
インタフェース１００は任意の好適なマスク構成を含むことができる。例えば、本発明の特定の特徴、態様及び利点は、鼻マスク、フルフェイスマスク、口鼻マスク又は任意の他の陽圧マスクで有用性を見出すことができる。図１に例示するマスクはフルフェイスマスクである。例示されるインタフェース１００は、概して、マスクアセンブリ１０２と連結ポートアセンブリ１０４とヘッドギアアセンブリ１０６とを含む。
【００７９】
図１３に関連して、マスクアセンブリ１０２は、概して、マスクシールクリップ１１２を備え得るマスクシール１１０と、マスクベース１１４とを含む。説明することになるとおり、マスクシールクリップ１１２は、好ましくはマスクシール１１０をマスクベース１１４に連結する。例示されるマスクシール１１０とマスクシールクリップ１１２とは別個に形成されて共に固定されるが、一部の構成では、マスクシール１１０とマスクシールクリップ１１２とが単一の構成部品に一体化されてもよい。一部の構成では、マスクシール１１０はマスクシールクリップ１１２の上にオーバーモールドされる。
【００８０】
図３に関連して、マスクシールクリップ１１２は、マスクシール１１０と比べて相対的により硬質で、剛性が高く又はより低可撓性である。一部の構成では、マスクシールクリップ１１２はポリカーボネート材料で形成される。一部の構成では、マスクシールクリップ１１２の少なくとも一部分は、ポリカーボネート又は他の硬質若しくは半硬質材料で形成される。一部の構成では、マスクシールクリップ１１２は少なくとも部分的にシリコーン又は別の好適な材料で形成される。かかる構成では、マスクシールクリップ１１２の少なくともそのシリコーン部分が、マスクシール１１０のより可撓性の高い部分と比較して相対的に厚くなるように形成され得る。マスクシールクリップ１１２は、例示される構成では、マスクシール１１０に構造的支持を提供する。
【００８１】
図１４に示すとおり、マスクシールクリップ１１２はマスクアセンブリ１０２の大半を画定し得る。図示されるとおり、例示されるマスクベース１１４は、マスクシールクリップ１１２の大部分の上に置かれる。図２５〜図２７に関連して、マスクアセンブリ１０２は、所望に応じて種々の構造で構成することができる。例えば、図２５に関連して、マスクシールクリップ１１２は、マスクシール１１０との接合部分から限られた大きさだけ延在する。図２５に例示される構成では、マスクベース１１４はマスクシールクリップ１１２の少なくとも一部分の上に置かれ、一方でマスクシールクリップ１１２が、マスクシール１１０の一部分の周りに極めて限られたリム形状の構成を画定する。
【００８２】
図２６に関連して、マスクシールクリップそのものが省略され、マスクシール１１０がマスクベース１１４の上に直接オーバーモールドされる。しかしながら、一部の構成では、マスクシール１１０及びマスクベース１１４は、２つの構成部品を分離できるように構成され得る。例えば、図２７に示されるとおり、マスクシール１１０が周囲フランジ１１１を含んでもよく、一方、マスクベース１１４が、周囲フランジ１１１を受ける周囲チャネル１１５を含み、それによりマスクシール１１０をマスクベース１１４に取り外し可能に固定することができてもよい。一部の構成では、他の好適な方法を用いてマスクシール１１０をマスクベース１１４に固定することができる。さらに、図２７の例示される構成は、マスクシールクリップ１１２を含まない実施形態を示す；マスクシールクリップ１１２とマスクベース１１４とがマスクベース１１４に組み合わされている。
【００８３】
図５に関連して、例示されるマスクシールクリップ１１２は実質的にカップ形状の構成を含む。近位端１２０が、例示されるマスクシールクリップ１１２の開放されている端部を画定し、一方、遠位端１２２が、例示されるマスクシールクリップ１１２の略閉鎖されている端部を画定する。例示される構成では、近位端１２０はリップ１２４に略囲まれる。リップ１２４は、後ろから見たとき略五角形である（図５を参照）。図７に示すとおり、壁１２６は弧を描く形で前方に略湾曲している。この壁１２６に対する弧形状が、例示されるマスクシールクリップ１１２に三次元構成をもたらす。
【００８４】
引き続き図７に関連して、例示されるマスクシールクリップ１１２の上側部分１３０は略弧状の構成である。加えて、例示されるマスクシールクリップ１１２のこの略弧状構成は、より大きい鼻を受け入れるものの、図１及び図２に示されるとおり、マスクシール１１０の延在範囲ほど大きくは鼻の上にわたって上方に延在しないように構成される。
【００８５】
最初の図３に関連して、例示されるマスクシールクリップ１１２の上側部分１３０は、好ましくは２つの弧寸法を含む。第一に、弧長１３２が、例示されるマスクシールクリップ１１２の上側部分１３０の上端に沿って定義され得る。弧長１３２は、例示されるマスクシールクリップ１１２の周囲に沿って存在する変曲点１３４の間に定義することができる。
【００８６】
図７に示すとおり、例示されるマスクシールクリップ１１２の上側部分１３０はまた、側面プロファイル半径１３６も含む。図示されるとおり、上側部分１３０は、上端からの距離が増加するに従い半径が僅かに増加するような、僅かに増加する側面プロファイル半径１３６を有し得る。一部の構成では、上側部分１３０は、実質的に一定の側面プロファイル半径１３６又は減少する側面プロファイル半径を含んでもよい。有利には、僅かに増加する側面プロファイル半径１３６が、マスク１００において使用者の鼻に近接する容積の増加をもたらす。
【００８７】
図３及び図６に関連して、マスクシールクリップ１１２は、好ましくは少なくとも２つの凹部１４０を含む。例示される構成では、マスクシールクリップ１１２は、略垂直中心面ＣＰ（図６を参照）の両横側部に配置された２つの凹部１４０を含む。略垂直中心面ＣＰは、好ましくは使用者の中央矢状面に対応し、例示されるマスクシールクリップ１１２を実質的に鏡像となる半分に分割する。２つの凹部１４０は、例示されるマスクシールクリップ１１２において２つの略囲い込まれたポケットを画定する。例示される凹部１４０はさらなる凹部１４２を含み、これらを用いることにより、マスクアセンブリ１０２によって画定されるチャンバの鼻領域への侵入量を抑えながらも、以下に考察する理由に対して十分な離間距離が提供される。
【００８８】
例示されるマスクシールはまた、壁１４６によって画定される略中心通路１４４も含む。例示される構成では、壁１４６は通路１４４を略囲い込む。好ましくは、壁１４６は略シリンダ状の構成であり、壁１２６を貫通して延在する。他の構成も可能である。
【００８９】
図１４に関連して、マスクシール１１０は、マスクシールクリップ１１２の近位端１２０から離れる方に延在する可撓性部分を含む。例示される構成では、マスクシール１１０は、マスクシールクリップ１１２上にオーバーモールドされ、従ってマスクシール１１０とマスクシールクリップ１１２とは組み合わさって、一体化された、好ましくは分離不可能なアセンブリを形成する。一部の構成では、マスクシール１１０とマスクシールクリップ１１２とを分離しようとすると、インタフェースがそれらの構成部品間で破壊され、及び／又はマスクシール１１０及びマスクシールクリップ１１２の一方又は両方が破壊される。上記に記載したとおり、他のアセンブリもまた、マスクシールクリップ１１２をマスクシール１１０に連結するのに使用することができる。しかしながら例示される構成は、有利には、清掃及びメンテナンスが容易な構造をもたらす。
【００９０】
図４に関連して、マスクシールクリップ１１２は、好ましくは、マスクシール１１０の内側リム１５０と略面一であるように配置される。例示される構成では、マスクシール１１０は、上側部分１５４につながる相対的に小さい半径の部分１５２を含む。マスクシール１１０の上側部分１５４は、使用者の鼻部の上にわたって延在するように構成される。一部の構成では、上側部分１５４は、使用者Ｕの鼻梁部の上にわたって延在するように構成される。
【００９１】
上側部分１５４は、マスクシール１１０の下側部分１５６と接続する。下側部分１５６は、図９に示されるとおり、マスクシールクリップ１１２から横方向外側に延在する。加えて、下側部分１５６は、それぞれ図４及び図１０に示されるとおり、後方及び内側に回り込む。合わせて、フルフェイスマスクアセンブリ１０２の近位側で、上側部分１５４と下側部分１５６とが組み合わさって顔接触フランジ１６０を画定する（これは図１０に示される）。顔接触フランジ１６０は、使用者の下唇の下に置かれ、口の外側に沿って延在し、頬骨に沿って上方に延在し、且つ使用者の鼻梁に跨って延在するように構成される。従って、例示される顔接触フランジ１６０は略涙滴形状の開口１６２を画定する。マスクアセンブリ１０２が使用者の顔面に着座すると、フランジ１６０が使用者の鼻梁、頬骨、口の外側及び下唇の下側の上にわたって横たわる。陽圧空気の供給に伴いマスクシール１１０が膨らみ、使用者の顔を当接密閉することで、フランジ１６０と使用者の顔との間の漏出可能性が低減又は解消される。
【００９２】
図１１の破線によって示されるとおり、マスクシール１１０の上側部分１５４は、マスクアセンブリ１０２の外面１７０の上にロールオーバーするように設計される。例示される構成では、マスクシール１１０の外面は滑らかにロールしてマスクシールクリップ１１２の外面に当接し、従ってマスクシールクリップ１１２の外面が支持面を形成する。一部の構成では、上側部分１５４がロールして乗り上げる外面１７０は、マスクシールクリップ１１２の外面の少なくとも一部分を含む。一部の構成では、上側部分１５４がロールして乗り上げる外面１７０は、ほぼマスクシールクリップ１１２の外面のみを含む。一部の構成では、上側部分１５４はマスクシール１１０の別の部分の上にロールする。一部の構成では、上側部分１５４はマスクシールベース１１４の上にロールする。
【００９３】
図１２に関連して、上側部分１５４がロールするのを補助するため、上側部分１５４は変化する厚さ又は変化する剛性を有し得る。図１２に示される構成では、上側部分１５４は、厚い／薄い／厚い構成を含む。換言すれば、顔接触フランジ１６０とマスクシールクリップ１１２に近接する小半径１５２との間の領域で上側部分１５４がロールするよう促すため、剛性低下領域１７２を組み込むことができる。例示される構成では、剛性低下領域１７２はマスクシール１１０に組み込まれる。剛性低下領域１７２は、マスクシール１１０がロールするのに望ましい領域以外の領域で座屈したり、又は不都合に変形したりする可能性を低減又は解消する。
【００９４】
例示される構成は厚さの低下した領域を用いるが、剛性低下領域１７２を提供する他の手段を用いても、シール部材１１０がロールするのを促すことができる。例えば、材料選択又は材料特性を用いて、シール部材１１０の材料を剛性が低下するように構成することができる。加えて、材料の複合材を使用することにより、剛性又は硬さの低下した領域を提供することができる。さらに、任意の好適な技術の組み合わせを用いることができる。それでもなお、厚さの低下を用いて構成される例示される領域１７２が、剛性の低下した領域１７２を実現する単純な方法を提供する。加えて、剛性低下領域１７２の剛性を調節することにより、領域１７２がロールするのを促すのに必要な力を制御することができ、これにより使用者の鼻に加わる力が制御される。例えば、剛性を変えることにより、可動範囲にわたって動きの抵抗が次第に増加又は減少するようになり得る。
【００９５】
上側部分１５４が剛性低下領域１７２を含む場合、マスクシール１１０の上側部分１５４は、陽圧療法レジメンの間に受けるような内圧下で外側に膨らむ傾向を有し、この膨らみは、顕著な構造を持たない大きいシリコーン範囲を画定する剛性の低下した領域１７２によって生じると考えられる。図４及び図１２に関連して、上側部分１５４において膨らみが行き渡るのを低減し、且つ上側部分１５４に強化構造を提供するため、上側部分１５４の少なくとも一部分に沿って１つ又は複数の補強部品、例えばバンド１７４を位置決めすることができる。バンド１７４は、シリコーン又はマスクシール１１０を形成する他の材料と比べてより硬質の材料で形成されるか、又はそれより剛性が増加していることを特徴とする構成部品であってよい。例えば、剛性の低下した領域１７２と比べて著しく厚さが増加した領域（この領域はマスクシール１１０を形成する材料と同じ材料で形成される）を用いて、１つ又は複数の補強部品の剛性を増加させることができる。
【００９６】
一部の構成では、バンド１７４は、少なくとも部分的にマスクシール１１０の材料に包まれる別個に形成された構成部品であってもよい。例示される構成では、バンド１７４は一体成形されたプラスチック構成部品であってもよく、又はマスクシール１１０がバンド１７４上にオーバーモールドされてもよい。一部の構成では、バンド１７４は、周りの領域と比べて剛性が高い上側部分１５４の一部分によって画定され得る。例えば、限定されないが、バンド１７４は、厚さが増加した一部分、異なる材料若しくは剛性の増加をもたらす材料特性の一部分などによって画定され得る。
【００９７】
図９に関連して、バンド１７４は、マスクシール１１０の上側部分１５４の少なくとも一部分に沿って延在する。マスクの上側部分１５４は、前から見ると頂部１８０を含む。頂部１８０は、マスクシール１１０の先端、最上部及び角の頂点として定義することができ、この頂部１８０は使用時に使用者の鼻に近接して位置決めされる。例示される構成では、第１の壁１８２及び第２の壁１８４が頂部１８０に向かって集まる。
【００９８】
一部の構成では、第１の壁１８２の少なくとも一部分及び第２の壁１８４の少なくとも一部分が、１つ以上の構成部品又は構造、例えばバンド１７４によって補強される。例示される構成では、１つ又は複数の補強部品、例えばバンド１７４が、第１の壁１８２の少なくとも一部分及び第２の壁１８４の少なくとも一部分を補強する。一部の構成では、１つ又は複数の補強部品、例えばバンド１７４が、第１の壁１８２の少なくとも一部分、第２の壁１８４の少なくとも一部分及び頂部１８０を補強する。
【００９９】
引き続き図９に関連して、例示されるバンド１７４は、第１の端部１８６と、第１の端部１８６と反対側の第２の端部１８８とを有する。一部の構成では、バンド１７４は、マスクシールクリップ１１２とは別に形成され、１つ以上の可撓性の構成部品によってマスクシールクリップ１１２に取り付けられ得る。一部の構成では、バンド１７４は機械的ヒンジ構造によってマスクシールクリップ１１２に連結され得る。例示される構成では、第１の端部１８６及び第２の端部１８８は、ヒンジ軸Ｈに対して頂部１８０と同じ側に位置決めされる。好ましくは、第１の端部１８６及び第２の端部１８８は、ヒンジ軸Ｈから頂部１８０の方に離間される。
【０１００】
図１２に示すとおり、剛性の低下した領域１７２に隣接する屈曲部１５２及び剛性がより高い領域（例えば、より厚い断面の領域）が、剛性の低下した領域１７２がロールし始める助けとなる。換言すれば、隣接するより高剛性の部分の助力により、剛性の低下した領域１７２の制御された座屈が起こる。加えて、相対的により硬質のマスクシールクリップ１１２の縁部を屈曲部１５２に隣接して位置決めすることが、剛性低下領域１７２がロールするのを促すさらなる助けとなる。一部の構成では、剛性低下領域１７２は第１の境界及び第２の境界に囲まれ、ここで第１の境界及び第２の境界は、剛性の低下した領域と比べて高い剛性を有する。例示される構成では、例えば第１の境界はバンド１７４によって又はそれと並んで画定され、一方、第２の境界は屈曲部１５２によって又はそれと並んで画定される。一部の構成では、第２の境界は、より硬質のマスクシールクリップ１１２の縁部によって又はそれと並んで画定され得る。一部の構成では、第２の境界は、マスクシールクリップ１１２と剛性の低下した領域１７２との間に位置決めされるマスクシール１１０の一部分に沿って画定され得る。
【０１０１】
マスクシール１１０の上側部分１５４がヒンジ軸Ｈの周りに位置を変えるに従い、ロールのサイズが増加する。換言すれば、初めに第１の境界が第２の境界に向かって動くことで、マスクシール１１０にロールが形成される。第１の境界が第２の境界に向かって動き続けると、ロールのサイズが増加し続ける。従って、図１１の例示される構成では、上側部分１５４に画定されるロールは、何もないところから始まり、破線で示されるとおり上側部分１５４の位置が変化する間に徐々に増加する。好ましくは、第１の境界と第２の境界との間でのロールする動きにより、第１の境界と第２の境界との間に単一の屈曲部又は変曲部が生じる。この単一の屈曲部は屈曲位置に近付く脚をもたらし、脚は、第１の境界が第２の境界に向かって動くに従いサイズが増加する。換言すれば、第１の境界が第２の境界に向かって動くことにより生じるこのロールする動きは、好ましくは扇状に折り畳まれる外観、例えばプリーツ状の構成をもたらさない。
【０１０２】
再び図３に関連して、マスクシール１１０は、ロールし始めた後、剛性の低下した領域１７２が容易にロールし続ける助けとなる幾何形状を有し得る。弧長は、一般に、ヒンジ軸Ｈとマスクシール１１０との第１の交点から上に向かい、マスクシール１１０の上側部分１５４を通り越え、再びヒンジ軸Ｈとマスクシール１１０との第２の交点へと下るまでを定義することができる。
【０１０３】
図３に示すとおり、例示されるマスクシール１１０は、少なくとも第１の弧長Ａ（破線で示される）、第２の弧長Ｂ（一点鎖線鎖で示される）及び第３の弧長Ｃ（バンド１７４の基部に沿って示される）を含む。第１の弧長Ａは、好ましくは、第１のマスク弧長Ａに直接隣接するマスクシールクリップ１１２の弧長より長い。第２の弧長Ｂは第１の弧長Ａと第３の弧長Ｃとの間に位置決めされ、第２の弧長Ｂは好ましくは、第３の弧長Ｃより短く、且つ第１の弧長Ａより長い。一部の実施形態では、弧長は、屈曲部１５２から、又は外面１７０に近い別の領域から、バンド１７４に向かって近位に徐々に増加する。換言すれば、角度α（図４を参照）が第１の弧長Ａから増加するに従い、弧長は略増加する。一部の構成では、弧長は、前から後ろまで（すなわち、角度αが増加するに従い）、実質的に一定であってもよい；しかしながら、ロールし始める部分から離れるほど弧長が増加することにより、頂部１８０が遠位方向にさらに動くにつれ、図１１に示されるとおり、マスクシール１１０がそれ自体及び外面１７０の上にロールオーバーし続ける。
【０１０４】
再び図４に関連して、例示されるマスクシール１１０の上側部分１５４はまた、側面プロファイルから見たとき変化する半径も含む。図示されるとおり、Ｒ１＞Ｒ２＞Ｒ３である。従って、例示されるマスクシール１１０では、半径が近位から遠位へと、角度の増加に伴い減少する。一部の構成では、半径がこのように減少しなくてもよい；しかしながら、半径の減少は、マスクシール１１０がロールする助けとなるものと考えられる。
【０１０５】
さらに、ヒンジ点Ｈからのマスクシールクリップ１１２の半径ｒ１は、好ましくはマスクシール１１０の半径Ｒ３より小さい。しかしながら、マスクシール１１０の曲げ易い性質を考えれば、マスクシール１１０がマスクシールクリップ１１２にロールオーバーすることはなお実現しながらも、半径ｒ１及び半径Ｒ３を実質的に同じにすることが可能である。しかしながら、例示される構成では、半径ｒ１と半径Ｒ３との差によりオフセットが得られる。このオフセットが、マスクシールクリップ１１２にロールオーバーするマスクシール１１０の能力に大きく影響することなしに、上記に記載したとおりの、側面プロファイル半径１３６を僅かに増加させる能力をもたらす。オフセットが提供されない場合、側面プロファイル半径１３６を増加させる能力が極めて限られたものとなり得る。
【０１０６】
上記に考察したとおり、フランジ１６０は略涙滴形状の開口１６２を包囲する。周知のとおり、フープ応力は、シリンダ形状の部品における内圧により生じる周方向応力として定義され得る。従って、輪が広がろうとするにつれ、フープ応力が増加する。呼吸マスクを着座させることにより生じるフープ応力は、使用者の、特に鼻梁の領域における何らかの不快感の原因となり得ると考えられる。例示されるマスクアセンブリ１０２の下側部分１５６は、概して適切な位置に固定されるが、一方で鼻部分又は上側部分１５４は使用者の鼻に対して動く。上記に記載したロールする動作により、例示されるフルフェイスマスクアセンブリ１０２はロールして鼻から離れるように動き、それにより、特に鼻梁の周りで、フープ応力の増加が発生することが少なくなる。従って、ロールするマスク構成は、マスクの着座時にフープ応力を維持又は低減する手段を提供する。
【０１０７】
上記に考察したとおり、及び図１１に示されるとおり、例示されるマスクシール１１０の上側部分１５４は、例示される構成では、外面１７０にロールオーバーする。マスク外表面へのロールオーバーには、フルフェイスマスクアセンブリ内に存在する陽圧が利用される。これは、空気圧が増加すると、マスクシールがそれ自体の上にロールする能力が高まり（すなわち、空気圧が、ロールする間互いに対して摺動するマスクシールの２つの表面間の表面張力を減少させる）、且つ僅かに膨らむ効果が、マスクシール１１０に座屈、折り目又は望ましくない折り畳みが生じる可能性を低減する助けとなるためである。さらには、一部の構成では、外側のロールオーバーにより、マスクシール１１０の上側部分１５４がマスクシール１１０の下側部分１５６に対して動いた程度又は角度についての視覚的手がかりが提供され得る。
【０１０８】
マスクの上側部分１５４がロールした大きさについて使用者により効果的な指示を提供するため、視覚的インジケータを用いることが可能である。例えば、一部の構成では、剛性低下領域１７２の上又はその近傍に目盛りをインプリント加工するか、エンボス加工するか、又は他の方法で配置することができる。一部の構成では、目盛りは、剛性低下領域１７２がロールオーバーするマスク１００の一部分に沿って位置決めされてもよい。忠実度を増加させるため、目盛りは好ましくは、剛性低下領域１７２がロールした大きさが最大化され得るように中心位置に位置決めされる。目盛りは、例えば限定されないが、数値目盛り又は色階調目盛りであってよい。
【０１０９】
一部の構成では、剛性低下領域１７２を所望のロール点に設定することができるようなラチェット又はロック機構が、マスクと一体化されてもよい。例えば、クロージャ部材（例えば、ジップタイ係止ラチェット）を係合する一連の歯を備えたラチェット機構を使用することができる。このロック機構は、ヒンジ点を中心としてマスクの上側部分１５４の位置が変わるとき、上側部分１５４をマスク１００が使用者Ｕの顔から取り外されるときの適切な位置に保持することを可能にする。好ましくは、ロック機構は、当該のロックされた位置を所望に応じて容易に解除でき、従ってマスクがあまりにも動き過ぎた場合に、上側部分を弛緩させてより良好な装着位置にすることができる。従って、使用者は上側部分１５４がロールする大きさを一度設定すれば、続く使用の毎に同じロール量を得ることができる。
【０１１０】
マスクのフランジ１６０により使用者の顔に対して加えられる圧力が増加するに従い、上側部分１５４（すなわち、鼻梁に接触するシール部材の一部分）はロールすることによって動く。この動きを受けて、上側部分１５４により鼻梁に及ぼされる力は実質的に一定であり、比べて下側部分１５６によっては、使用者の顔の残りの部分に幅広い圧力が及ぼされる。同様に、上側部分１５４を動かすために必要な力は、実質的に一定である。図２８に示すとおり、例示される構成では、上側部分の全２５ｍｍの位置変化に対して、当該の移動範囲に伴う力の増加は約０．５Ｎ未満となる。様々な範囲の角度及び関連する上側部分の移動量に対し、鼻に加わる力が略一定であるため、種々のヘッドギア張力レベルにおいて鼻梁に加わる力が大きく変化することはない。この場合もやはり、かかる結果は図２８に示され、ここでは頂部１８０における５ｍｍ〜２５ｍｍの範囲の移動に対する力の総変化が、約０．２Ｎの力の変化となる。加えて、このマスクは、様々な範囲の角度に対して鼻に加わる力が略一定であるため、鼻部の敏感な鼻梁に対して及ぼされる圧力を抑えながらも、種々の顔面幾何形状に対して装着性が改善されるよう調整することができる。
【０１１１】
プリーツ状の幾何形状を特徴とする構造と比較したとき、ロールする構成の使用は顕著な改良を提供する。第一に、プリーツ状に折り畳まれるのでなく、外側にロールすることで、使用者の鼻を包含するように設計されたチャンバ内にマスクシールの材料が侵入する可能性が低減又は解消される。従って、外側にロールすることで、上側部分１５４が下側部分１５６に対して動く間のチャンバ内部の使用者の鼻との接触可能性が低減される。第二に、プリーツ状に折り畳まれる代わりに外側にロールすることで、きれいな外観が提供され、且つ外側の空隙の数が減少し、これにより使用者のフルフェイスマスクアセンブリに対する知覚が、プリーツ状アセンブリと比較して改善されるものと考えられる。
【０１１２】
図２４に関連して、例示されるマスクシール１１０は外面１７０にロールオーバーするが、マスクシールはマスクアセンブリの内側にロールするように構成されてもよい。換言すれば、一部の構成では内側へのロールオーバーが用いられ得る。内側へのロールオーバーは、外側へのロールオーバーほど望ましくなく、なぜなら、陽圧がロールするのを妨げる傾向を有するため、及びロールする動作が鼻を受け入れているチャンバの中に侵入する傾向を有するためである。他方で、内側へのロールオーバーは、外側へのロールオーバーと比べてよりきれいな外観を提供する。これは、シール部材のいかなる膨らみもマスクシールクリップ内に収まるためである。
【０１１３】
ここで図１及び図２に関連して、マスクアセンブリ１０２はマスクベース１１４を含み、マスクベース１１４はマスクシール１１０より硬い。マスクベース１１４は任意の好適な材料で形成され得る。一部の構成では、マスクベース１１４はポリカーボネート材料で形成され、従ってこれは、マスクシール１１０及び／又はマスクシールクリップ１１２と連結するため曲げることが可能である。
【０１１４】
ここで図１４に関連して、マスクベース１１４がマスクシール１１０に固定されたマスクアセンブリ１０２が示される。より詳細には、例示される構成では、マスクベース１１４は、任意の好適な方法でマスクシール１１０に取り付けられているマスクシールクリップ１１２に固定される。一部の構成では、マスクベース１１４とマスクシール１１０又はマスクシールクリップ１１２とは、取り外し可能に連結される。一部の構成では、マスクベース１１４はマスクシール１１０及びマスクシールクリップ１１２の一方又は両方と共にスナップ止めされる。好ましくは、マスクシール１１０及びマスクシールクリップ１１２はマスクベース１１４から取り外すことができ、及びスナップ連結がマスクシールクリップ１１２をマスクベース１１４に固定する。
【０１１５】
図１４及び図１５に関連して、例示されるマスクベース１１４はマスクシールクリップ１１２の少なくとも一部分の上に置かれる。一部の構成では、マスクベース１１４はほぼ完全にマスクシールクリップ１１２を覆う。一部の構成では、マスクベース１１４はマスクシールクリップ１１２の半分より多くにわたり延在する。マスクベース１１４がマスクシールクリップ１１２又はマスクシール１１０の実質的な部分の上に置かれる場合、二重層効果が生じる（例えば、マスクシールクリップ１１２とマスクベース１１４）。この二重層効果は、マスクベース１１４の大部分がマスクシールクリップ１１２又はマスクシール１１０の大部分に重なるとき、より高い遮蔽性をもたらす。このより高い遮蔽性はより暖かい内側部分（例えば、マスクシール１１０及び／又はマスクシールクリップ１１２）をもたらし、これにより使用中の湿分のレインアウトが少なくなる。好ましくは、マスクシールクリップ１１２の少なくとも一部分はマスクベース１１４の下側から露出しており、従ってマスクベース１１４をマスクシールクリップ１１２からより容易に分離することができる。図１５に示すとおり、マスクベース１１４を下に置かれるマスクシール１１０及び／又はマスクシールクリップ１１２と分離する助けとなるように、例示されるマスクベース１１４は近位端に周囲面２００を含む。マスクベース１１４は、下に置かれる構成部品を受け入れるように内側が凹面状になっている。換言すれば、マスクベース１１４は、近位周囲面２００に対して遠位方向にボウル形状である。
【０１１６】
周囲面２００は、１つ以上の陥凹部分２０２を含む。好ましくは、陥凹部分２０２は、マスクベース１１４の互いに反対側に位置決めされる少なくとも２つの陥凹部分２０２を含む。陥凹部分２０２は親指と他の指とを受けるように構成され、従ってマスクベース１１４を下に置かれるマスクシールクリップ１１２の前面からより容易に取り外すことができる。陥凹部分２０２は、マスクベースを取り外すためマスクベース１１４の下に置かれるアセンブリを把持するための手段を画定し得るが、他の構成、例えば限定されないが拡張タブ、突出部などを用いることもできる。加えて、例示される陥凹部分２０２はマスクベース１１４の対向する横側部に配置されるが、陥凹部分２０２は所望に応じて上部及び下部に、又は他の領域に位置決めされてもよい。
【０１１７】
図１３に示すとおり、マスクベース１１４は好ましくは、壁２１２によって画定される開口２１０を含む。図１４に関連して（図１４は、マスクシール１１０、マスクシールクリップ１１２、及びマスクベース１１４に沿った断面である）、マスクベース１１４を通じる開口２１０を画定する壁２１２は、好ましくは、マスクシールクリップ１１２を通じる通路１４４を画定する壁１４６内に嵌入する。図１４に示すとおり、壁２１２は軸方向に壁１４６と同延であってよい。加えて、壁１４６、２１２の寸法及び形状は、それらの壁が互いに作用し合って壁１４６、２１２間の相対的な滑りを低減し、マスクシールベース１１４が不注意にマスクシールクリップ１１２と分離する可能性を低減するようなものであり得る。一部の構成では、壁１４６、２１２は嵌まり合うことで、壁間の接合部を通じた漏出の可能性を低減する。好ましくは、テーパロックが壁１４６、２１２を一体に固定する。
【０１１８】
さらに図１４に関連して、壁２１２は、異形輪郭の内表面２１４を含む。異形輪郭の表面２１４は、図１７に示されるようなスイベルエルボ２２２のボールエンド２２０を受けるための丸みが付けられてもよい。図１８により分かり易く示されるとおり、ボールエンド２２０は異形輪郭の表面２２４を有し、これは、マスクベース１１４に形成される異形輪郭の表面２１４にスナップ嵌めすることができる。２つの異形輪郭の表面２１４、２２４の間のこの連結は、これらの表面を互いに比較的自在に摺動させることを可能にし、従ってスイベルエルボ２２２の位置を容易に変化させることができる。一部の構成では、エルボ２２２は、ボールジョイント構成を有することなく回転又は旋回するように構成され得る。
【０１１９】
再び図１３に関連して、マスクベース１１４はまた、少なくとも２つのポケット２３０も含む。例示されるマスクベース１１４は２つのポケット２３０を含む。ポケット２３０はマスクベース１１４の中へと後退し、マスクベース１１４から後方に突出している。ポケット２３０はマスクシールクリップ１１２の凹部１４０の中に受け入れられる。マスクシールクリップ１１２に形成されるさらなる凹部１４２の上に、周囲の壁２３４によって画定される開口２３２が重なる。
【０１２０】
例示されるポケット２３０は、マスクベース１１４の各横側部に１つのポケット２３０が形成されるようにして形成される。ポケット２３０は、中心面ＣＰ（この平面はマスクベース１１４を実質的に二等分する）に関して対称となるように位置決めされてもよい。一部の構成では、図１５に示されるとおり、ポケット２３０は横寸法２４２と比べて広がった縦寸法２４０を有する。同様に、図１５に示されるとおり、開口２３２も横寸法２４６と比べて広がった縦寸法２４４を有する。
【０１２１】
例示されるマスクベース１１４では、各ポケット２３０の横方向内側部分は支持壁２５０を含む。支持壁２５０は、ポケット２３０の底面２４８の法線に対して中心面ＣＰの方に位置決めされる。ポケット２３０の各々は、クリップ２５２（図２２を参照）を受け入れるように構成される。クリップ２５２がポケット２３０内に嵌装されると、支持壁２５０は、ポケット２３０に対するクリップ２５２の回転を制限する助けとなる。さらに、大きい縦寸法は、使用者が嵌装中にクリップ２５２を用いてポケット２３０の位置を特定する助けとなる。
【０１２２】
図２２に関連して、クリップ２５２は、外側カバー２５４と内側キャッチ２５６との二部品構造を有し得る。ストラップ２６０が任意の好適な方法で各クリップ２５２に固定され得る。一つの好適な構成が図２に例示される。一部の構成では、ストラップ２６０は外側カバー２５４と内側キャッチ２５６との間に挟まれ得る。一部の構成では、クリップ２５２にループ又は開口又は穴が提供されてもよく、そこにストラップ２６０が通される。好ましくは、１つのクリップ２５２がヘッドギアアセンブリ１０６の上側ストラップ及び下側ストラップの両方に連結され得る。かかる構成により、ヘッドギアアセンブリ１０６のフルフェイスマスクアセンブリ１０２との容易な連結、及びヘッドギアアセンブリ１０６のフルフェイスマスクアセンブリ１０２からの容易な切り離しが促進される。
【０１２３】
図２３に示すとおり、クリップ２５２は傾斜面２６２を含む。傾斜面２６２は外側カバー２５４に位置決めされ得る。傾斜面２６２は支持壁２５０と協働して、マスクベース１１４のポケット２０３に対してクリップ２５２の向きを定める助けとなる。
【０１２４】
クリップ２５２はインターロック機構２６４を備える。インターロック機構２６４は、マスクベース１１４のポケット２３０に画定される開口２３２に挿入するように構成される。インターロック機構２６４は、図１３に示されるとおり、マスクベース１１４の開口２３２を画定する壁２３４に沿って画定されるタブ２３６とスナップ嵌め式に係合することができる。クリップ２５２とポケット２３０との他のインターロック方式もまた、用いることができる。
【０１２５】
図２３を参照すると、例示されるクリップ２５２のインターロック機構２６４は、リリースレバー２６６を終端とするＵ字型構成部品２６８を含む。Ｕ字型端部２６８は、タブ２３６との連結を可能にするのに十分な距離だけ突出するが、マスクシールクリップ１１２のさらなる凹部１４２の底面が開口２３２へのインターロック機構２６４の適切な挿入を阻止することができるほど大きくは突出しない。クリップ２５２をマスクベース１１４に連結する間、初めにＵ字型端部２６８が開口２３２の壁と接触する。例示される構成では、挿入中、Ｕ字型端部２６８が開口２３２の壁２３４に接触し、壁２３４がクリップ２５２をポケット２３０内で適切な位置に案内する。クリップ２５２をマスクベース１１４に連結する間、開口２３２、又は開口２３２を画定する１つ以上の表面が、クリップ２５２をマスクベース１１４に対して略整列させる。
【０１２６】
リリースレバー２６６の端部は、壁２７２によって画定される開口２７０を通り抜けて突出する。好ましくは、リリースレバー２６６の端部は、リリースレバー２６６の容易な操作を可能にするのに十分な距離だけ開口２７０を通り抜けて突出する。インターロック機構２６４のＵ字型を閉めるようにリリースレバー２６６を動かすと、マスクベース１１２の開口２３２を画定する壁２３４のタブ２３６とのインターロック機構２６４の係合を外すことが可能になる。
【０１２７】
図３２〜図３９は、マスクアセンブリ１０２を使用者の頭部に固定するように構成されるクリップアセンブリ２５２のさらなる構成を例示する。図３２及び図３３のクリップ２５２は、例えば高くなった縁部４００（フィンガタブ４００と称されることもある）を有し、これにより使用者はヘッドギア１０６をマスクアセンブリ１０２から容易に切り離すことが可能となる。高くなった縁部４００は、使用者が単にそれらを後方に引くことでマスクベース１１４のクリップ２５２が飛び出し得るような向きに置かれる。１つ以上のクリップ２５２がマスクベース１１４から外れると、マスクアセンブリ１０２を使用者の頭部から容易に取り外すことができる。高くなった縁部４００は、ヘッドギア１０６をマスクアセンブリ１０２に対して取り付けたり取り外したりする間の把持点を提供する。例えば、クリップ２５２をマスクアセンブリ１０２から取り外す間、使用者の親指及び人差し指が高くなった縁部４００の両側に置かれ得る。加えて、使用者は、マスクを装着する全過程にわたりクリップ２５２を把持し、その把持を維持し得る。これにより、組立て中、ストラップ２６０をむやみに把持しようとしなくても済む。また、使用者が高くなった縁部４００に対する把持を維持しながらクリップ２５２を取り付け、それを取り外し、それを再び取り付けることも可能になる。
【０１２８】
図３４は、図３２及び図３３のクリップ２５２の分解図を示す。クリップ２５２は、外側カバー２５４と内側キャッチ２５６とを含む。内側キャッチ２５６は、ヘッドギアストラップ２６０の遠位端を受け入れる１つ以上のスロット４０２を備える。内側キャッチ２５６はまた、図３８及び図３９の構成に関連して示されるものなどの、いくつかの圧力バンプも備え得る。圧力バンプが外側カバー２５４及び内側キャッチ２５６に対してさらなる圧力を提供することで、それらが互いに固定される。一つの構成では、ヘッドギアストラップ２６０は組み立てられたクリップ２５２から取り外し可能である。
【０１２９】
内側キャッチ２５６は、図３８に示されるとおり、細長いスロット４０４を備える。スロット４０４は、スロット４０４の幅より大きい直径を有する円形開口４０６を備える。スロット４０４及び円形開口４０６は、クリップ２５２をマスクアセンブリ１０２と整列させる助けとなる面取りされた凹部を備え得る。円形開口４０６は、以下でさらに詳細に考察するとおり、マスクアセンブリ１０２に対するクリップ２５２の取り付け及び取り外しを促進する。２つのチャネル４０８がスロット４０４の側部と平行に延在し、これによりスロット４０４の両側にスロット壁４１０（クリップレバーと称されることもある）が画定される。チャネル４０８は、クリップ２５２をマスクアセンブリ１０２に取り付けたり取り外したりする間にスロット壁４１０が十分に曲がることを可能にするサイズである。加えて、スロット壁４１０は内側キャッチ２５６の最も長い寸法に沿って上下方向に延在するため、より長いスロット壁４１０を用いることが可能となる。スロット壁４１０が長いほど、クリップを装着用ポストに嵌着するときにスロット壁にかかる応力レベルが低下する。
【０１３０】
図３２〜図３５のクリップ２５２と共に使用するのに好適なマスクベース１１４の一つの構成が、図３６に示される。マスクベース１１４は、マスクベース１１４の両側に対称に位置決めされた２つの凹部１４０を備える。各凹部１４０内で装着用ポスト４１２がマスクベース１１４の本体から延在する。装着用ポスト４１２は、マスクベース１１４と一体形成されてもよく、又は別個に形成されてマスクベース１１４に固定されてもよい。装着用ポスト４１２は、使用者がクリップ２５６を所定位置にスナップ止めすると、クリップ２５６がマスクベース１１４に固定されるように、キノコ形の構成を有し得る。球状のキノコ形ポスト４１２の丸みのある上部が、中心穴４０６の位置及び向きを定める助けとなる。クリップ２５２がポスト４１２に押し付けられるに従い、スロット壁４１０が外側に、ポスト４１２から離れる方へと撓む。ポスト４１２のヘッドがスロット壁４１０の縁部を通過すると、スロット壁４１０が反発して元の位置に戻り、それによりクリップ２５２がマスクアセンブリ１０２に適切に取り付けられたことの触覚的、及びときに聴覚的なフィードバックが提供される。
【０１３１】
装着用ポスト４１２はまた、内側キャッチ２５６の細長いスロット４０４と嵌め合うサイズの細長い楕円の隆起部分４１４（ラグ又はウィングと称されることもある）も含み得る。細長い隆起部分４１４は面取りされた縁部を含み、この縁部がヘッドギア１０６をマスクアセンブリ１０２に対して適切に整列させる助けとなる。部分４１４はまた、クリップ２５２がマスクアセンブリ１０２に対して回転するのを防ぐ。これは、使用者が眠っている間にヘッドギアストラップ２６０に対して一定の張力を確保する助けとなる。
【０１３２】
図３７は、マスクアセンブリのマスクベース１１４にクリップ２５２を固定するためのさらに別の構成の部分的なアセンブリを示す。クリップ２５２はマスクベース１１４の凹部１４０内に着座する。凹部１４０内でシリンダ状のボタンヘッド型ポスト４１２がマスクベース１１４の表面から延在する。ポスト４１２は、クリップ２５２に取り付けられたとき、そのシリンダ状構成に起因してクリップ２５２の僅かな回転を許容する。しかしながら、図３８及び図３９に示されるとおり、スロット４０４、チャネル４０８及びスロット壁４１０は、内側キャッチ２５６のより短い平面方向に沿って、その前端及び後端の方向に延在する。
【０１３３】
内側キャッチ２５６はまた、いくつかの圧力バンプ４１４も備える。上記に考察したとおり、圧力バンプが外側カバー２５４及び内側キャッチ２５６に対してさらなる圧力を提供することで、それらが互いに固定される。
【０１３４】
クリップ２５２のさらなる構成が図４０〜図４７に例示される。図４０のクリップ２５２は、３つの細長い楕円スロット４０４と、フィンガタブ４００とを含む。フィンガタブ４００を用いて、クリップ２５２をマスクアセンブリ１０２から解除するためのレバーが作り出される。中心スロット４０４は、マスク本体の外表面から延在する装着用ポスト４１２を受け入れるサイズである。一つのかかる好適な装着用ポスト４１２が、図４３に例示される。この装着用ポスト４１２は、リッジ４１４と２つのスロット４１６とを備える。スロット４１６により間隔が提供されているため、クリップ２５２が装着用ポスト４１２に押し付けられるに従い、ポスト４１２の外側部分が互いの方に曲がる。リッジ４１４がクリップ２５２の上面を通過すると、装着用ポスト４１２が反発して元の位置に戻り、リッジ４１４がクリップ２５２を所定位置に係止する。
【０１３５】
同様の構成が図４４〜図４７に例示される。図４５のクリップ２５２はフィンガタブを備えず、その中心開口４０４は図４０〜図４４の細長いスロットと比べて、より丸く、より楕円に近い形状を有する。
【０１３６】
前述の構成は全て、マスクアセンブリ１０２を使用者の頭部に固定する手順を単純化する。例えば、クリップ２５２により、ヘッドギア１０６は閉じたループとならず、広げることが可能である。ヘッドギア１０６を広げると、使用者はその頭部をヘッドギア１０６に通して無理に引き抜かなくても、頭部の周りに巡らし得る。
【０１３７】
図２に関連して、ストラップ２６０に加えて、ヘッドギアアセンブリ１０６はまた、後部ストラップ２８０及び上部ストラップ２８２も含む。他のヘッドギアアセンブリもまた使用することができる。後部ストラップ２８０は、首の項部のより略上側ながら後頭隆起よりは略下側の位置で、使用者Ｕの後頭部の周りに延在する。使用者の耳の後方の位置で、後部ストラップ２８０は上側アーム２８４と下側アーム２８６とに分岐する。上側アーム２８４は使用者の耳の上側にある位置まで上向きに弧を描き、次に使用者の耳の略前方の位置まで下向きに弧を描く。下側アーム２８６は使用者の耳の略下側にある位置まで下向きに弧を描き、耳のやや前方へと延在する。
【０１３８】
ストラップ２６０は、任意の好適な方法で後部ストラップ２８０に連結することができる。例示される構成では、上側アーム２８４及び下側アーム２８６それぞれにストラップ２６０が連結される。好ましくは、上側アーム２８４及び下側アーム２８６はストラップ２６０より硬く、従ってアーム２８４、２８６は、ヘッドギアアセンブリ１０６が着用されているとき形状を略維持する。一部の構成では、上側アーム２８４及び下側アーム２８６の各々が自重を支える。一部の構成では、上側アーム２８４及び下側アーム２８６の各々が、着用中にもつれることのない構造である。例えば、アーム２８４、２８６は、装着している最中に捩れる可能性を低減するのに十分な捩り剛性を有する。
【０１３９】
好ましくは、ストラップ２６０は、耳の前方の位置で上側アーム２８４及び下側アーム２８６の少なくとも一方に連結する。かかる構成は、使用者が大きな困難なしにストラップ２６０の位置を特定する助けとなる。加えて、例示される構成のストラップ２６０はクリップ２５２に嵌め込まれるため、上側アーム２８４及び下側アーム２８６の端部がスロット２９０、２９２を含み、ストラップ２６０をそれらのスロット２９０、２９２に通すことができてもよい。加えて、ストラップ２６０は、ベルクロ（登録商標）（Ｖｅｌｃｒｏ）又はバックル構成などの調節機構２９４を含むことができる。調節機構２９４により、マスクシール１１０と使用者Ｕの顔との間の力を調節することが可能となる。任意の好適な調節機構２９４を用いることができる。
【０１４０】
図２に示すとおり、上部ストラップ２８２は好ましくは可撓性であり、調節可能な長さを有する。上部ストラップ２８２はスロット２９６を介して上側アーム２８４に連結し、上側アーム２８４が使用者の頭部を滑り落ちて使用者の耳に接触する可能性を低減する。好ましくは、上部ストラップ２８２は、使用者の耳の略上側にある位置で上側アーム２８４に連結する。
【０１４１】
有利には、図１及び図２に示されるとおり、ストラップ２６０は矢印Ｆの方向に力を及ぼす一方で、方向Ｃ（この方向は力Ｆの方向の略法線である）への動きによりマスクベース１１４に連結する。換言すれば、ストラップ３６０は前方に引っ張られて張力を受け、その前方への引っ張りに垂直な方向への動きにより、クリップ２５２がマスクベース１１４に連結される。かかる構成は、使用者の顔に対するインタフェース１００の固定を容易にする。
【０１４２】
別の構成では、ヘッドギアアセンブリ１０６は半硬質ヘッドギア３８０（図２９に示されるとおり）を備えることにより、マスクアセンブリ１０２を使用者の頭部に固定する。半硬質ヘッドギア３８０は、柔軟な縁取り３８４につなぎ合わされる半硬質ストラップ３８２を含む複合構造として形成される。例えば、柔軟な縁取り３８４は、プラスチックオーバーモールド成形によるか、又は接着剤の使用により、半硬質ストラップ３８２に結合させることができる。図２９に示されるとおり、柔軟な縁取り３８４が半硬質ストラップ３８２に重なることなく、柔軟な縁取り３８４は半硬質ストラップ３８２に突き合わせてつなぎ合わされ、半硬質ヘッドギア３８０の連続した形状が維持され得る。半硬質ストラップ３８２は、ストラップ２６０から張力が加わり、マスクアセンブリ１０２が使用者の頭部の方に引き込まれると、半硬質ヘッドギアの形状を画定及び維持する。換言すれば、半硬質ストラップ３８２は、その平面軸に沿っては、張力下でのその上側アーム２８４及び下側アーム２８６の過度の変形を防ぐのに十分な硬さである。半硬質ストラップ３８２は、プラスチック又は金属を含めた、様々な硬質又は半硬質の材料で作製することができる。一部の構成では、半硬質ストラップ３８２はＰＶＣで作製される。
【０１４３】
特に半硬質ヘッドギアアセンブリに関連して、形状を保持する性質、又は自己支持的な性質により、アセンブリ全体が直感的に装着できるものとなり得ることが分かった。詳細には、連結部材及び／又はヘッドギア部材が三次元形態を維持するように自己支持している場合、ヘッドギアを、あったとしても極めて少しの指示だけで、正しい向きに装着することができる。自己支持性の構成では、ストラップがもつれない傾向にあるため、アセンブリ全体の装着にかかる時間もまた短縮される。
【０１４４】
本明細書で使用されるとき、用語「半硬質」は、ヘッドギアアセンブリが十分な剛性を有し、従ってヘッドギアアセンブリ３８０が、そのヘッドギアの設計の適合対象である患者の頭部を近似する寸法の三次元形状をとることができる一方で、患者の解剖学的形状に略一致するのに十分な可撓性も有することを指して用いられる。例えば、ヘッドギアアセンブリ３８０の他の構成部品（例えば、アーム又はストラップ）の一部もまた、それらの構成部品が実質的に自己支持性の三次元形態を保持することが可能であるように、部分的又は全体的に「半硬質」であってよい。「半硬質」ヘッドギアアセンブリは、ヘッドギアアセンブリのありとあらゆる構成部品が必ず半硬質であることを意味するよう意図されるものではない。例えば、自己支持性のヘッドギアアセンブリ３８０がとり得る実質的に三次元の形態は、主に、ヘッドギアアセンブリ３８０の後部及び上部に関し得る。加えて、半硬質ヘッドギアアセンブリ３８０は、患者の頭部に置かれたとき耳の前方及び耳の上側に延在する半硬質領域を含み得る。
【０１４５】
左右の上側アーム２８４及び下側アーム２８６も同様に、半硬質材料で形成されてもよい。本明細書で使用する場合、半硬質材料には、限定はされないが均質プラスチック材料及びボンデッド不織繊維材料を含む成形プラスチック又はシート材料が含まれ得る。
【０１４６】
一部の構成では、アーム又はストラップの１つ以上は、実質的に非弾性の材料で形成される。アーム又はストラップは半硬質の自己支持性材料で形成されてもよく、従って半硬質ヘッドギアアセンブリ３８０は実質的に三次元の形状をとることができ、且つ概してもつれない。一部の構成では、材料は、例えば限定されないが、形状適合性部分と半硬質部分との両方の積層構造を含み得る。半硬質ストラップ３８２は、自己支持性、弾力性、実質的に非弾性の材料、例えば限定されないが、Ｓａｎｔｏｐｒｅｎｅ、ポリオレフィン、ポリプロピレン、ポリエチレン、発泡ポリオレフィン、ナイロン又は不織ポリマー材料であってもよい。一部の構成では、半硬質ストラップ３８２は、ポリエチレン系又はポリプロピレン系で形成される。材料は、Ｄｏｗｌｅｘ  ２５１７などの低密度ポリエチレンであってもよい。Ｄｏｗｌｅｘ  ２５１７は、９．６５ＭＰａの引張降伏強さ、８．９６ＭＰａの引張破断強さ、及び２３４ＭＰａの曲げ弾性率−２％割線を有する線状低密度ポリエチレンである。半硬質ストラップ３８２は好ましくは、半硬質ヘッドギア３８０がその向きに関わらず自重下で実質的に形状持続性であるような材料で形成される。一部の構成では、半硬質ストラップ３８２は、３０Ｎの引張荷重を受けたとき約６ｍｍより多く延伸しない。一部の構成では、半硬質ストラップ３８２は、３０Ｎの引張荷重を受けたとき約３ｍｍより多く延伸しない。
【０１４７】
一部の構成では、半硬質ストラップ３８２は、ポリオレフィンと結合される（例えば、オーバーモールド又はラミネートされる）不織ポリオレフィン（ＮＷＰ）で形成される。かかる構成では、オーバーモールドされたポリオレフィン材料が主な形状持続特性を提供する。加えて、より軟質のＮＷＰ材料が皮膚に接触するように適合され、所望の快適度を提供する。さらには、ＮＷＰ材料は、所望の耐荷重特性、例えば所望の耐引張荷重特性の提供に役立ち得る。
【０１４８】
半硬質ヘッドギア３８０は、概して半硬質材料で形成される。本明細書で使用する場合、半硬質材料には、限定はされないが、均質プラスチック材料及びボンデッド不織繊維材料を含む成形プラスチック又はシート材料が含まれ得る。上側アーム２８４及び下側アーム２８６は半硬質ヘッドギア３８０と一体形成されて、その一部であるため、アーム２８４、２８６もまた、かかる半硬質材料を含む。好ましくは、左右の下側アーム２８６は、使用時に患者の後頭部を囲んで首の上側に延在し得る一体化した構成要素として形成される。
【０１４９】
柔軟な縁取り３８４が半硬質ストラップ３８２の周囲の少なくとも一部分を覆うか、又はそこに取り付けられる。一つの構成では、柔軟な縁取り３８４は、半硬質ストラップ３８２の前面又は後面を覆わない。例えば、柔軟な縁取り３８４及び半硬質ストラップ３８２の厚さは、それらが共につなぎ合わされる位置において同じであってもよい。
【０１５０】
柔軟な縁取り３８４は、半硬質ストラップ３８２の周囲と使用者の皮膚との間に柔らかい快適な接合面を提供する。柔軟な縁取り３８４は、限定はされないがプラスチック、エラストマー、シリコーン又は熱可塑性ポリウレタン（ＴＰＵ）プラスチックを含め、様々な柔軟材料で作製することができる。柔軟な縁取り３８４は、１０〜８０ショアＡの範囲のショア硬さを有し得る。
【０１５１】
ヘッドギア及びストラップに関連して本明細書で使用されるとき、「柔軟な」は、材料の手触りを記載するために用いられ、手触りとは、触覚から得られる反応によって評価される材料の質を意味する。加えて、ヘッドギア及びストラップに関連して本明細書で使用されるとき、「形状適合性の」は、材料が患者の解剖学的特徴（例えば、顔特徴の周り）に適合する能力を記載するために用いられる。詳細には、少なくとも「柔軟な」及び／又は「形状適合性の」材料の要素を備えるストラップはまた、「半硬質」及び／又は軸方向に非弾性でもあり得る。
【０１５２】
柔軟な縁取り３８４は一様な厚さを有してもよく、又は一部の構成では、不均等な厚さを有してもよい。例えば、一部の構成では柔軟な縁取り３８４は半硬質ストラップ３８２と同じ厚さである。他の構成では、柔軟な縁取り３８４は半硬質ストラップ３８２より薄く、半硬質ストラップ３８２に至る球状の端部を形成するか、又は単に半硬質ストラップ３８２より厚い。半硬質ヘッドギア３８０の様々な断面図が図２９に示される。各断面図（Ａ−Ａ’〜Ｆ−Ｆ’）は、半硬質ストラップ３８２及び柔軟な縁取り３８４の厚さの一つの可能な構成を示し、これらは所望に応じて組み合わせてもよい。例えば、任意の一つの特定の柔軟な縁取り３８４の厚さ及び形状を、半硬質ストラップ３８２の一部分又は全体に適用することができ、又は図２９に示される任意の他の特定の被覆厚さ及び形状と組み合わせてもよい。
【０１５３】
他の多くの厚さ構成が、同様に提供され得る。加えて、材料厚さは半硬質ストラップ３８２に対称又は非対称に適用され得る。例えば、断面図Ｃ−Ｃ’及びＦ−Ｆ’は非対称であるものとして示される；しかしながら、他の構成では柔軟な縁取り３８４の両端部の厚さが半硬質ストラップ３８２に対称に適用される。一部の構成では、半硬質ストラップ３８２は、さらなる硬さ及び支持を提供するように選択的に厚くされる。例えば、断面図Ｆ−Ｆ’として例示される２つの構成の２番目が、このように厚くなっている。最後に、一部の構成では、通気貫通孔３９６が半硬質ヘッドギア３８０の全体にわたり（図２９に示されるとおりの半硬質ストラップ３８２、又は柔軟な縁取り３８４などに対して）提供され、通気及び汗の管理を提供する。
【０１５４】
半硬質ヘッドギア３８０は、図２９に示されるとおり横たえたとき、３つのＣ字型の弧状領域３８６、３８８、３９０を画定する。耳を取り囲む２つの領域３８６、３８８が上側アーム２８４及び下側アーム２８６によって画定され、後部領域３９０が下側アーム２８６及び後部ストラップ部分２８０によって画定される。半硬質ヘッドギア３８０は、屈曲して使用者の頭部の形状に適合するのに十分な可撓性を有し、従って耳を取り囲む領域３８６、３８８が使用者の耳を少なくとも部分的に取り囲み、又は包囲し、且つ後部領域３９０が使用者の後頭部、首の上側を、少なくとも部分的に取り囲み、又は包囲する。
【０１５５】
各アーム２８０、２８４、２８６の湾曲は、快適な装着性が提供され、且つ使用者の頭部に対する半硬質ヘッドギア３８０の適用及び取り外しが容易となるように選択することができる。例えば、例示される構成では、耳を取り囲む上側弧状領域３８６、３８８における開口に対して、上側アーム２８４が凹状の湾曲を有し、下側アーム２８６が凸状の湾曲を有する。後部ストラップ部分２８０及び下側アーム２８６は全て、首を取り囲む弧状領域３９０における開口に対して凹状の湾曲を有する。これらの湾曲は、例えば、使用者の首及び耳に容易に適合するサイズ及び向きの開口を弧状領域に提供することにより、使用者の頭部に対する半硬質ヘッドギア３８０の適用及び取り外しを促進する。
【０１５６】
図２９の構成は、半硬質ヘッドギア３８０を使用者の頭部に固定するための第１の頭頂部アーム３９２及び第２の頭頂部アーム３９４を含む一体化された頭頂部ストラップを利用する。半硬質ヘッドギア３８０が位置決めされ、使用者の頭部が部分的に取り囲まれた後、第１の頭頂部アーム３９２と第２の頭頂部アーム３９４とを互いに接触させて半硬質ヘッドギア３８０を所定位置に固定する。第１の頭頂部アーム３９２及び第２の頭頂部アーム３９４では、それらを互いに取り付け可能にするために、様々な機構のいずれが提供され得る。例えば、一部の構成では、面ファスナ布（例えば、ベルクロ（登録商標）（Ｖｅｌｃｒｏ））、又は１つ以上のスナップ若しくはクリップを使用して、第１の頭頂部アーム３９２と第２の頭頂部アーム３９４とを互いに取り付けることができる。
【０１５７】
頭頂部ストラップは、耳と一直線にある頭蓋の頂部にわたり横方向に延在する。頭頂部ストラップがこのように延在し、且つ弧状領域３８６、３８８が使用者の耳を部分的に包囲するように位置決めされる場合、半硬質ヘッドギア３８０の後部ストラップ２８０はイニオン上又はその下側に位置するはずである。使用者のイニオンは、頭蓋の後下部における後頭骨（ｏｃｃｉｐｔａｌ  ｂｏｎｅ）の最も顕著な突出である。換言すれば、イニオンは、外後頭隆起（ｅｘｔｅｒｎａｌ  ｏｃｃｉｐｉｔａｌ  ｐｒｏｔｒｕｂｅｒａｎｃｅ）の最も高い点である。半硬質ヘッドギア３８０は、使用者の頭部に対して、関連出願の相互参照に示した出願（その各々が本開示の不可欠な一部をなし、且つ本明細書によって全体として参照により援用される）に記載される構成のいずれかに従い位置決めすることができる。
【０１５８】
例えば、後部ストラップ部分２８０は、使用者の後頭部と係合するように適合される。好ましくは、後部ストラップ部分２８０は、外後頭隆起上又はその下側の位置で頭部と係合するように適合される。後部ストラップ部分２８０は、後頭部を囲む距離に及んで、頭部の各側部まで延在する。一部の構成では、後部ストラップ部分２８０は、患者の外耳道を通って延在する水平面から約２５度下側に位置するように適合された長手方向中心を含む。
【０１５９】
頭部の各側で、半硬質ヘッドギア３８０は上方及び下方に延在して、弧状領域３８６、３８８を形状する左右の側部領域に入る。側部領域は、患者の耳の後ろ側に延在するように適合される。好ましくは、側部領域はまた、患者の乳様突起の後ろ側にも延在するように適合される。半硬質ヘッドギア３８０の左右の側部領域の各々は、弧状部分３８６、３８８の中まで延在するか、又はそれを含む。弧状部分３８６、３８８は前方に屈曲している。弧状部分３８６、３８８は、患者のそれぞれの耳の周りに延在するように適合される。好ましくは、弧状部分３８６、３８８の各々は、それぞれの終端部分で終端する。終端部分は、好ましくは、患者の耳の前方に位置するように適合される。一部の構成では、半硬質ヘッドギア３８０の側部領域及び弧状部分３８６、３８８は柔軟な内側の詰め物入り部分を含まないが、患者の頭部／毛髪と直接接触する自己支持性の弾性材料を含み得る。
【０１６０】
半硬質ヘッドギア３８０の上部部分は弧状部分３８６、３８８を共に連結する。この上部部分は、一部の構成では、耳の前方に位置決めされ得る。好ましくは、上部部分は耳から略垂直に位置決めされる。より好ましくは、上部部分の長手方向中心は、外耳道と交わる垂直面の後方に１３ｍｍより大きく、好ましくは１３〜１００ｍｍだけ離間されるように適合される。一部の構成では、上部部分は第１のセグメント３９２と第２のセグメント３９４とを含み、これらの第１のセグメント３９２及び第２のセグメント３９４が組み合わさって上部部分を形成する。第１のセグメント３９４は左弧状部分３８６の頂部から上方に延在し、一方、第２のセグメント３９２は右弧状部分３８８の頂部から上方に延在する。好ましくは、上部部分は自己支持性の半硬質材料で形成される。一部の構成では、上部部分は、柔軟な詰め物入りの裏当て層を含め、いかなる裏当ても含まない。
【０１６１】
上側アーム２８４及び下側アーム２８６の各々は、各アーム端近傍にスロット２９２、２９０を含む。各スロットは、図２に示されるとおり、マスクアセンブリ１０２からのストラップ２６０を受け入れるように構成される。加えて、ストラップ２６０によって覆われる半硬質ヘッドギア３８０の一部分３９８は、ストラップ２６０の厚さを受け入れるため、対応するアーム２８４、２８６より薄い。例えば、図３０及び図３１に示されるとおり、半硬質ヘッドギアの一部分３９８がアーム２８６より薄い。部分３９８は、ストラップ２６０をスロット２９０に挿入して張力をかけたとき、その厚さがアーム２８６を越えて延在しないような寸法である。ストラップ２６０及び一部分３９８の厚さをアーム２８６の厚さ未満に維持することにより、ストラップ２６０が装用時に使用者を刺激することがなくなる。
【０１６２】
加えて、上側アーム２８４は、調節可能な上部ストラップ２６０が装用時に使用者の眼まで約１０ｍｍを切る近さには延在しないように、使用者の耳の上側の位置から下方に延在するように構成される。下側アーム２８６は、頭部が上下に傾くときに使用者の首からずれて位置するように構成され、下側アーム２８６の終端点は使用者の耳の略下側に位置し、従って下側アーム２８６に取り付けられた下側ストラップが、この終端点２９０からマスクアセンブリ１２０へと上向きの角度をなす。かかる構成では、図５２及び図５３に示されるとおり、下側ストラップ及び上側ストラップが三角形を形成し、マスク上の下側ストラップと上側ストラップとの間の空間が、ヘッドギア上の下側ストラップと上側ストラップとの間の空間より小さく、従ってマスクアセンブリ１２０が上下の動きに対して安定化する。
【０１６３】
再び図１７に関連して、エルボ２２２は、切り離し可能なスイベルアセンブリ３０２を介して導管３００に連結する。図２０の断面図に示されるとおり、エルボ２２２は、基部に内壁３０６を含むステム３０４を含む。内壁３０６は凹部３０８を含む。
【０１６４】
スリーブ３１０が、凹部３０８内に受け入れられるフランジ３１２を含む。スリーブ３１０は、任意の好適な技法を用いてエルボ２２２内で適切な位置に固定することができる。スリーブ３１０は略シリンダ状の外壁３１４を含む。フランジ３１２は、レバー３１６に連結するための外側に延在するセクションを含む。好ましくは、フランジ３１２とレバー３１６とは一体形成される。図２１に関連して、レバー３１６は内側に延在する下側キャッチ３２０を備え、レバー３１６をフランジ３１２に連結するセクションを中心に枢動することが可能である。従って、レバー３１６の上側部分３２２を内側に押すと、キャッチ３２０がスリーブ３１０の略シリンダ状の外壁３１４から離れるように動く。
【０１６５】
スイベル３３０は略シリンダ状の内壁３３２を含む。内壁３３２はスリーブ３１０の外壁３１４上を摺動し、従ってスイベル３３０とスリーブ３１０との間に滑り嵌めが生じる。上側部分３３４はショルダ３３６を含む。レバー３１６のキャッチ３２０はショルダ３３６と係合することにより、スイベル３３０をスリーブ３１０に対して軸方向位置に固定することができる。レバー３１６の上側部分３２２が押されると、キャッチ３２０がショルダ３３６から離れるように動き、これによりスイベル３３０をスリーブ３１０から取り外すことが可能となる。
【０１６６】
ステム３０４とスリーブ３１０との間にフラップ３５０が取り付けられ得る。例示される構成では、フラップ３５０は、ステム３０４とスリーブ３１０との間に挟まれた基部３５４から流路３５２の中まで延在する。フラップ３５０は、軸Ｘ（図２１を参照）を中心にスリーブ３１０から離れる方に上方へと枢動することができ（図２０に示されるとおり、矢印Ｐを参照）、従って陽圧発生器からのインタフェース１００を介した使用者への流れが略妨げなしに継続し得る。陽圧源が加圧空気流の供給を停止した場合、フラップ３５０は下方に枢動してスリーブ３１０と接触し、流路３５２を密閉する。一部の構成では、フラップ３５０はスリーブ３１０と完全には接触しない。一部の構成では、フラップ３５０は下がっている位置にあるときもチャネル３５２を密閉しない。
【０１６７】
図２１に関連して、フラップ３５０の上方の位置にエルボ２２２を貫通するポート３６０が画定される。ポート３６０は好ましくは、軸Ｘの近傍にあるエルボ２２２の一部分に沿って位置決めされる。一部の構成では、ポート３６０は、フラップ３５０によって吸息空気流が実質的に遮断されるように位置決めされる。換言すれば、空気がフラップ３５０をスリーブ３１０から離れるように枢動させると、フラップ３５０がポート３６０を少なくとも部分的に又は完全に覆う位置に動かされる。
【０１６８】
一部の構成では、ポート３６０は、略平面的な内壁３６２を含むエルボ２２２の壁を貫通して延在する。略平面的な内壁３６２は、フラップがスリーブ３１０のフランジ３１２から離れて上方に動かされたときに、フラップ３５０がポート３６０を略密閉する助けとなる。
【０１６９】
一部の構成では、レバー３１６はポート３６０の大部分に重なって位置し、従ってポート３６０は概して視界から遮られる。しかしながら、図２０に示すとおり、好ましくは間隙３６４がレバー３１６の少なくとも一部分を取り囲み、従ってフラップ３５０がポート３６０を覆っていないとき、比較的自由な空気の流れがポート３６０を通過することができる。加えて、一部の構成では、ポート３６０及びレバー３１６が、エルボ２２２のうち、ボールエンド２２０内に画定される開口３７０（この開口は、連結ポートアセンブリ１０４がマスクアセンブリ１０２に組み付けられると、マスクアセンブリ１０２内に位置決めされる）と同じ側に位置決めされる。有利には、かかる位置決めにより、ポート３６０がエルボ２２２上で使用者と対面する位置に置かれる。かかる位置は、使用中、ポート３６０を視界からさらに遮り、審美的により美しい構成がもたらされる。さらに、ポート３６０を通る流れは極めてまれであるため、ポート３６０を使用者に向けて配置させても、使用者に深刻な不快感が生じることはない。
【０１７０】
図示しないが、エルボ２２２はまた、１つ以上のバイアスフロー通気穴も含み得る。バイアスフロー通気穴は好ましくは、任意のバイアスフローが使用者に直接当たることのないように、前方に向けられた配置で位置決めされる。
【０１７１】
エルボアセンブリ３０２の別の構成が図４８〜図５１に例示される。エルボアセンブリ３０２は、図４９に示されるとおり、エルボ２２２、スリーブ３１０、及び／又はスイベル３３０を含む。一部の構成では、エルボアセンブリ３０２はエルボ２２２及びスリーブのみを含み、スイベル３３０は省略される。スイベルは、スリーブ３１０及びエルボ２２２に永久的に又は取り外し可能に取り付けられ得る；一部の構成では、スイベル３３０は送出導管の端部と一体形成される。スリーブ３１０の上にわたってフラップ３５０が位置決めされ、従ってフラップ３５０はスリーブの流路３５２を少なくとも部分的に遮る。エルボアセンブリ３０２は図１７〜図２１のエルボアセンブリ３０２と同様に機能する；しかしながら、図４８〜図５１のエルボアセンブリ３０２は、フラップ３５０がその閉鎖位置に下がったときに（図５０及び図５１に示されるとおり）、ガスを患者から遠ざけるように誘導するというさらなる利点を提供する。
【０１７２】
図４９に関連して、スリーブ３１０は好ましくは、２つ以上の切欠き領域又は凹部３５６を含む。凹部３５６は任意の好適な形状を有してもよく、例示される構成では、凹部３５６は、上方に延在してスリーブ３１０に入り込む半円形の構成を含む。スリーブ３１０はまた、少なくとも１つのバンプ３５７、好ましくは２つ以上のバンプ３５７も含む。好ましくは、バンプ３５７の各々は、約７０度の弧にわたり延在する。より好ましくは、バンプ３５７の各々は２つの凹部３５６の間の略中心にあり、バンプ３５７の各々はスリーブ３１０の外面の周りに約７０度延在する。
【０１７３】
スイベル３３０は、好ましくは略シリンダ状の構成である。図４９に示すとおり、スイベル３３０は、内側に延在するリッジ３５８を有する。リッジ３５８は好ましくは、全内表面を包囲する。一部の構成では、リッジ３５８は断続していてもよい。しかしながら、好ましくはリッジ３５８には、バンプ３５７の全体を受け入れるのに十分な大きさの分断はなく、従ってリッジ３５８及びバンプ３５７が協働して、スイベル３３０をスリーブ３１０に嵌装した状態に保つことができる。スイベル３３０をスリーブ３１０に組み付けるとき、凹部２１６によりバンプ２２０を内側に撓ませることが可能となるため、バンプ３５７を、リッジ３５８を越えて摺動させ、次に外側へと反発させて戻すことで、バンプ３５７をリッジ３５８の下に固定することができる。
【０１７４】
エルボ２２２はその側面に開口４２０を含み、これらの開口４２０が空気逃がしチャネル４２２と流体連通している。空気逃がしチャネル４２２は、図５０及び図５１に示されるとおり、エルボの内壁３６２と外壁４２４との間の間隔によって形成される。
【０１７５】
図５０及び図５１に示されるとおり、フラップ３５０がその閉鎖位置に下がると、使用者から呼出された空気がエルボ２２２の開口３７０に入る。呼気はエルボの内壁３６２のポート３６０を通って流れ、逃がしチャネル４２２を通り、最終的に開口４２０からエルボ２２２を出る。
【０１７６】
図４８〜図５１の構成は全長の減少をもたらし、エルボ２２２の前面に位置決めされる目障りな穴がなくなることにより、製品の審美性が向上する。加えて、図４８〜図５１の構成は、空気が使用者に向かないようにされるため、患者の快適性が向上する。代わりに開口４２０が、空気流をエルボ２２２の側面から出して患者から遠ざけるように誘導する。
【０１７７】
図５４はさらなるマスク構成５００を示す。図５４に例示するマスク構成５００は、明確にするため、一切の付属するヘッドギアアセンブリを含まず図示している。マスク構成５００と共に任意の好適なヘッドギアアセンブリを使用することができる。例えば限定されないが、本明細書中に開示される任意のヘッドギアアセンブリを、マスク構成５００と共に使用することができる。
【０１７８】
引き続き図５４に関連して、例示されるマスク構成５００は、概して、マスクベース５０２とマスクシール５０４とを含む。マスクベース５０２は、好ましくはマスクシール５０４より硬質である。例えば、一つの構成では、マスクベース５０２はポリカーボネート材料で形成され、一方、マスクシール５０４はシリコーン材料で形成される。他の好適な材料もまた、マスクベース５０２及びマスクシール５０４の各々に使用することができる。
【０１７９】
マスクシール５０４は、限定はされないが、本明細書中に開示される任意の方法を含め、任意の好適な方法でマスクベース５０２に固定することができる。例えば限定されないが、図５５に関連して、マスクシール５０４のフランジ５０６を、マスクベース５０２の周囲に沿って提供される溝５１０に挿入してもよい。一部の構成では、マスクシール５０４の少なくとも一部分がマスクベース５０２の少なくとも一部分の下に置かれ得る。一部の構成では、より硬質の部材、例えば限定されないがクリップ、又はより硬質の部分が、マスクシール５０４と一体形成されてもよく、そのより硬質の部材又は部分を使用してマスクシール５０４がマスクベース５０２と連結され得る。
【０１８０】
図５４に示すとおり、マスクシール５０４は好ましくは、第１のパドル又はウィング５１２と、第２のパドル又はウィング５１４とを含む。好ましくは、第１のパドル５１２及び第２のパドル５１４は中空である。例えば限定されないが、図６２に示すとおり、第１のパドル５１２及び第２のパドル５１４の各々の中にポケット５１８が画定されてもよい。ポケット５１８は、マスクシール５０４によって画定されるチャンバ５２０と流体連通している。従って、マスクシール５０４によって画定されるチャンバ５２０内の圧力を使用して、第１のパドル５１２及び第２のパドル５１４のポケット５１８を膨張させることができる。
【０１８１】
図５４の線５５−５５に沿ったマスクアセンブリ５００の断面である図５５に関連して、マスクシール５０４はまた、好ましくは上面５１６も含む。パドル５１２、５１４は上面５１６から略上方に延在する。好ましくは、パドル５１２、５１４内に画定されるポケット５１８は、上面５１６より上側に延在する。より好ましくは、ポケット５１８は横部分に画定され、従ってポケット５１８が鼻の横側部に沿って上方に延在する。ポケット５１８が上面５１６より上側に、鼻の横側部に沿って延在することにより、膨らむ効果を用いて、鼻の外面に対する高い密閉性を提供するように、内側に向かって膨らむ効果を大幅に改善することができる。併せて、上面５１６及びパドル５１２、５１４が鼻との密閉性の向上を可能にするため、圧力に関連して皮膚に問題が起こることが低減又は解消される。より詳細には、例示される構成は鼻を左右に鼻梁部で横切ることがないため、例示されるマスク構成５００では、鼻梁に沿って圧力に関連して皮膚に問題が起こることが解消される。
【０１８２】
再び図５４に関連して、第１のパドル５１２及び第２のパドル５１４は上面５１６と共に谷部５２２を画定する。谷部５２２は好ましくは、前方に配置された開口を画定する。換言すれば、例示される谷部５２２は、例示されるマスクシール５０４の前後に延在する通路を画定する。さらに、谷部５２２により画定される前方の開口を通じて少なくとも鼻尖が突出し得るようにして、鼻が前後に略開放した領域に受け入れられるため、谷部５２２は好ましくは、あらゆるサイズ範囲の使用者に適合する。
【０１８３】
図５４及び図５５に例示されるとおり、谷部５２２は好ましくは、上面５１６が鼻の下に置かれるようにして、少なくとも使用者の鼻尖を受け入れる。好ましくは、前から見ると、パドル５１２、５１４の間に約５ｍｍ〜約３０ｍｍの間隙Ｇが画定される。より好ましくは、パドル５１２、５１４の間の間隙Ｇは約１０ｍｍ〜約２５ｍｍである。一つの構成では、間隙Ｇは約１５ｍｍである。上面５１６は、鼻の下に置かれることにより、マスク構成５００と使用者の顔との間の一次シールを画定する。
【０１８４】
パドル５１２、５１４は好ましくは、鼻の横側部に沿ってある程度の延在範囲まで上方に延在する。一部の構成では、パドル５１２、５１４は、密閉する上面５１６の延在範囲と比べて大きく上方に延在する。パドル５１２、５１４は例示されるより短くてもよく、又は例示されるより長くてもよい。上面５１６より上側に上方に延在することにより、且つ鼻の横に上方に延在することにより、パドル５１２、５１４は使用者の顔との二次シールを作り出す。好ましくは、パドル５１２、５１４は、少なくとも鼻翼の線維脂肪組織ＦＦＴまで上方に延在するように適合される（これは図７０に線Ａによって表される）。より好ましくは、パドル５１２、５１４は、線維脂肪組織ＦＦＴを越えて小鼻翼軟骨ＭＡＣの領域内まで上方に延在するように適合される（これは図７０に線Ｂによって表される）。さらにより好ましくは、パドル５１２、５１４は、小鼻翼軟骨ＭＡＣを越えて鼻中隔軟骨ＳＮＣの外側突起の領域内まで上方に延在するように適合される（これは図７０に線Ｃによって表される）。一部の構成では、パドル５１２、５１４は、パドル５１２、５１４の少なくとも一部分が使用者の鼻の鼻骨ＮＢ（すなわち鼻梁）を越えて上方に延在するようにして、上方に延在する（これは図７０に線Ｄによって表される）。一部の構成では、パドル５１２、５１４は、鼻の外側縁の横部分に沿って延在するように適合される。
【０１８５】
パドル５１２、５１４は好ましくは、鼻に略隣接する顔の表面に沿って延在するように構成される。図５５に示すとおり、側面から見たとき、パドル５１２、５１４は、一部の構成では、略三角形、又はフィン形状である。かかる構成は、鼻の側面に対するパドル５１２、５１４の密閉に大きい表面積を提供するとともに、低減した側面プロファイルも有することで、左右に寝返りを打ったときなど、睡眠中の接触によってパドル５１２、５１４が鼻から引き離される可能性を低減する。例示される構成は２つの別個のパドル５１２、５１４を含むが、パドル５１２、５１４を共に連結して鼻の少なくとも一部分を略囲い込んでもよい。
【０１８６】
図５５及び図５７に示されるとおり、上面５１６は後方に（すなわち、使用者の顔に向かって、又はマスクベース５０２から離れる方に）、リップ５２４まで延在する。上面５１６は、リップ５２４の近傍で鼻の下に置かれ、好ましくは鼻を当接密閉する一方、リップ５２４が赤唇縁のすぐ上の顔の上唇領域を当接密閉し得る。
【０１８７】
上記に記載したとおり、マスクシール５０４の上面５１６は後方に延在してリップ５２４に接続するか、又はそれを画定する。図５７に関連して、リップ５２４は好ましくは、マスクシール５０４内に画定されるチャンバ５２０に至る開口５２６を包囲し、マスクシール５０４の側壁５２８の一部分に接続するか、又はそれを画定する。
【０１８８】
図５７に示すとおり、上面５１６は、１つ以上の鼻用開口５３０の少なくとも一部分を含む。鼻用開口５３０は、横方向においてパドル５１２、５１４の間に位置決めされてもよく、上面５１６を貫通して画定されることで、マスクシールのチャンバ５２０との連通を提供し得る。鼻用開口５３０は、好ましくは実質的に上向きに開放しており、一方、口用開口５２６は、好ましくは実質的に後ろ向きに開放している。例示される構成では、マスクシール５０４は口用開口５２６と、別個の鼻用開口５３０とを含む。他の構成では鼻と口との併用開口を有するが（例えば、図５９に示されるとおり）、図５８に示されるとおり別個の開口５２６、５３０が、使用者にとっては例示されるマスク構成５００を適切に装用できているかを知るうえで助けになり、指示性が高いものとなり得る。
【０１８９】
上面５１６は、好ましくは実質的に平坦で、概して鼻腔の中まで上方に突出しない。好ましくは、鼻用開口５３０は鼻前庭の中まで上に延在しない（鼻前庭は、使用者の鼻腔の最も前方にある部分である）。より好ましくは、鼻用開口５３０は鼻前庭の下に延在するが、上に鼻前庭の中までは延在しない。鼻用開口５３０は好ましくは、他の何らかの上部構造の中まで上方に延在するのでなく、上面と略面一である。一部の構成では、上面５１６は１つ以上の鼻プロング、１つ以上の鼻ピローなどを含み得る。例示される構成では、上面５１６はパドル５１２、５１４によって支持され、パドル５１２、５１４の上端部に至るいくらか弧を描く連結部を画定する。この弧を描く連結部は、より高い枢動点から上面５１６を懸架することにより上面５１６を支持し、これにより上面５１６に沿って定義される鼻密閉面が、周囲の幾何形状と共に、種々の幅、奥行き及び他の幾何学的特徴を備える鼻に合わせて延伸し、動き、及び／又は形状を適合させることが可能となる。
【０１９０】
図５７に示すとおり、リップ５２４は、口用開口５２６と鼻用開口５３０との間に配置されるバンド５３２を画定し得る。図５８に示される実施形態を図５９に示される実施形態と比較することによって示されるとおり、バンド５３２、及びバンド５３２と鼻用開口５３０との間に延在する上面５１６の一部分を省略し、従って口用開口５２４と鼻用開口５３０とをまとめて、口鼻併用開口５３４にすることが可能である。
【０１９１】
図６０に示すとおり、口鼻併用開口５３４を特徴とする一部の構成では、リップ５２４の両側部がクリップ５３６で相互に連結され得る。例示されるクリップ５３６は、概して、オメガ（Ω）のような形状を含む。図６０に例示するとおり、クリップ５３６は、クリップ５３６の本体５４４によって相互に連結される第１の脚５４０と第２の脚５４２とを含み得る。本体５４４は、任意の好適な形状及び構成を有し得る。例えば限定されないが、例示される本体５４４はＵ字型又はＣ字型を含むが、本体５４４はＶ字型などであってもよい。一部の構成では、クリップはシリコーン又は任意の他の好適な材料で形成され得る。
【０１９２】
再び図５７に関連して、側壁５２８は、垂直方向において上面５１６より高く延在し得る。好ましくは、側壁５２８はリップ５２４に連結し、口用開口５２６を略包囲し、且つ第１のパドル５１２及び第２のパドル５１４の領域における使用者の鼻の側部まで上に延在する。側壁５２８は、例示される構成では上方にバンド５３２を越えて延在するため、マスク構成５００を側面から見たときより高いプラットフォームを提供し（例えば、図６１）、これによりマスクシール５０４のバランスが促進され、略水平軸を中心にマスク構成５００が回転する動きが低減される。
【０１９３】
バンド５３２は、図５７に示されるとおり、口用開口５２６と鼻用開口５３０との間に延在する。従って、例示されるバンド５３２は、２つの開口５２６、５３０の間の位置で側壁５２８を連結する。一部の構成では、クリップ５３６が、口鼻併用開口５３４を画定する２つの部分の間の位置で側壁５２８を連結する。他の構成では、開口５２６、５３０又は開口５３４の両側から側壁５２８を略連結する任意の好適な連結構造が用いられ得る。連結構造の位置は、開口５２４、５３０又は開口５３４の上端と下端との間にあってよい。換言すれば、一部の構成では、側壁５２８の第１の横側部が、併用開口５３４を架橋する領域において側壁５２８の第２の横側部に連結される。
【０１９４】
側壁５２８の横部分を連結することにより、側壁５２８の横部分は事実上共に係留される。睡眠中、例えば使用者がある睡眠体勢から別の体勢に（例えば仰向けから横向きに）寝返りを打ち得る場合、それによってマスクがＣＰＡＰチューブによって引かれるため、又は枕と接触するため、マスク構成５００が横方向に動かされ得るが、側壁５２８の横部分が共に係留されると、マスクシール５０４の安定性は向上する。さらに、係留部（例えば、バンド５３２又はクリップ５３６）は可撓性であるため、広範な顔外形が適合し得る。例えば、平たい顔外形が適合し得る一方で、このシールはなお、ヨーロッパ人集団に多いより突出した顔外形に合わせて自己調整することも可能である。
【０１９５】
例えばバンド５３２又はクリップ５３６により提供される係留はまた、側壁５２８がロールする助けともなる。図５７に関連して、バンド５３２は横方向に延在して側壁５２８に連結するため、バンド５３２が前方に押されると側壁５２８が内側にロールし、これは種々の顔幾何形状に対するマスクシール５０４の形状適合性を高める。加えて、上面５１６が下方に押されるに従い、第１のパドル５１２及び第２のパドル５１４が内側に枢動し、従ってパドル５１２、５１４の最上部における間隙Ｇがパドル５１２、５１４の底部の間隙Ｇと比べて小さくなる。
【０１９６】
ここで図６２〜図６５に関連して、例示されるマスクシール５０４は、様々な硬さ又は様々な可撓度を含むことでマスクシール５０４の形状適合性をさらに高め、この高い形状適合性は、マスク構成５００が陽圧適用で使用されるときの漏出を低減する助けとなる。
【０１９７】
例示されるマスクシール５０４の上側部分は、より硬質の支持領域５５０と、膨張又は撓曲領域５５２とを含む。例示される構成では、支持領域５５０は、断面がより厚いことによって硬さが増加しており、一方、膨張又は撓曲領域５５２は、断面がより薄いことによって硬さが低下している。硬さ又は可撓性を変化させるために、他の技法もまた用いられ得る。例えば、材料選択、材料配合などを調節して、マスクシール５０４の異なる領域の硬さ又は可撓性を調節することができる。さらなる例として、一部の領域をマスクベース５０２又は他の構成部品によって支持することにより、所望に応じてその領域を剛性化してもよい。
【０１９８】
例示されるより硬質の支持領域５５０は（図６４に最も分かり易く示される）、第１のパドル５１２及び第２のパドル５１４の前方に向く面上に位置し得る。より硬質の支持領域５５０はまた、マスクベース５０２の溝５１０に連結するマスクシール５０４のフランジ５０６を備える部分でもある。支持領域５５０は、例示される構成では、膨張又は撓曲領域５５２の上に置かれる。例示される構成は、膨張又は撓曲領域５５２の膨張及び撓曲を制御する助けとなるのに望ましく、従って膨張動作がより良好に使用者に向けられ得る。
【０１９９】
引き続き図６３〜図６５に関連して、支持領域５５０及び膨張又は撓曲領域５５２に加え、例示されるマスクシール５０４はまた、下側角部補強材５５４及び撓曲顎領域５５６も含む。支持領域５５０及び膨張又は撓曲領域５５２と同様に、角部補強材５５４は撓曲顎領域５５６より剛性が高い。剛性がより高い角部補強材５５４は、マスクシール５０４の領域の膨張を制御及び／又は誘導する助けとなる一方、より可撓性の高い顎領域５５６はより容易に変形するため、多種多様な顔幾何形状を有する使用者に適合することができる。
【０２００】
例示されるとおり、下側角部補強材５５４は上面５１６の垂直位置又はそのすぐ下で下方に延在し、且つ下側角部補強材は、マスクシール５０４を略二等分する略垂直中心面に向かって内側に回り込む。加えて、例示される構成では、下側角部補強材はマスクシール５０４の側壁５２８に沿って位置決めされる。
【０２０１】
例示される顎領域５５６は下側角部補強材の間に位置決めされる。好ましくは、顎領域５５６もまた、側壁５２８の少なくとも一部分の上に回り込む。さらに、可撓性顎領域５５６は好ましくは、上方に、且つマスクシール５０４のチャンバ５２０に至る開口５２６を画定するリップ５２４の少なくとも一部分の周りに、延在する。例示される構成では、可撓性顎領域５５６は、垂直方向において、実質的に下側角部補強材５５４と同じ延在範囲まで上方に延在する。このようにして、下側角部補強材５５４が可撓性顎領域５５６の横部分を補強することができる。
【０２０２】
さらに、例示される構成では、マスクシール５０４は、前方に向く補剛パネル５６０を含む。補剛パネル５６０は、マスクベース５０２と嵌め合うことになる領域を略包囲する。補剛パネル５６０が嵌め合い領域を包囲するため、マスクベース５０２との連結をさらに安定させることができる。
【０２０３】
一部の実施形態では、厚さは、互いに以下のとおりの関係にある：撓曲領域５５０＜顎領域５５６＜下側角部補強材５５４＜補剛パネル５５６＜支持領域５５０。一部の実施形態では、撓曲領域５５０は約０．３ｍｍ〜約１．２５ｍｍ、好ましくは約０．８ｍｍの厚さを有し、顎領域５５６は約０．５ｍｍの厚さを有し、下側角部補強材は約１．２５ｍｍの厚さを有し、補剛パネル５６０は約２．０ｍｍの厚さを有し、及び支持領域５５０は約２．５ｍｍの厚さを有する。好ましくは、マスクシール５０４のより厚い部分（例えば支持領域５５０）がより薄い厚さを有する部分（例えば撓曲領域５５２）に対向する。一部の構成では、最も厚い部分（例えば支持領域５５０）の少なくとも一部分が、最も薄い部分（例えば撓曲領域５５２）の少なくとも一部分の上に置かれる。かかる構成により、所望の方向に（すなわち、使用者の顔に向かって）膨らませることが可能となる。好ましくは、移行用のフレームワーク５５８が様々な領域５５０、５５２、５５４、５５６を連結する。
【０２０４】
撓曲領域５５２及び顎領域５５６のより薄い断面が、使用者の顔に接触するように適合された柔軟な可撓性の表面を提供する。有利には、撓曲領域５５２のより薄い断面により、谷部５２２によって画定される当該の形状を延伸させ、動かし及び変形させることができ、従ってより多くの割合の人々が同じマスクを使用することができる。好ましくは、延伸し、動き、及び変形することで、広範囲の鼻幅が適合される。同様に、撓曲領域５５２のより薄い断面が、マスクシール５０４の顎受け領域の形状を延伸させ、動かし及び変形させることを可能にする。換言すれば、撓曲領域５５２及び顎領域５５６のうちの１つ以上のより薄い断面が、極めて多様な顔幾何形状に対するマスクシール５０４の形状適合を可能にする。
【０２０５】
上記に記載したとおり、及び再び図５５に関連して、マスクベース５０２は、好ましくはマスクシール５０４のフランジ５０６に固定される溝５１０を特徴とする。一部の構成では、マスクベース５０２は、より厚い補剛パネル５６０の少なくとも一部分及び／又は支持領域５５０の少なくとも一部分の上に位置し得る。マスクベース５０２は、マスクシール５０４のこれらの部分の上に置かれることにより、それらの領域を補強し得る。
【０２０６】
さらに図５５に関連して、マスクベース５０２は、コネクタ５７２を受け入れる中心開口５７０を含む。コネクタ５７２及び中心開口５７０は、限定はされないが本明細書中に記載される任意の構成を含めた、任意の好適な構成を有し得る。図５４にはコネクタ５７２の一部分のみが示される。他のスタイルのコネクタ５７２もまた、使用することができる。
【０２０７】
中心開口５７０は、異形輪郭の内表面を含む壁５７４によって画定され得る。壁５７４の異形輪郭表面は、コネクタ５７２のボールエンド５７６を受け入れるように丸みが付いていてもよく、ボールエンド５７６はスイベルエルボを含み得る。ボールエンド５７６は、壁５７４によって画定される異形輪郭表面にスナップ嵌めすることができる異形輪郭表面を有する。２つの異形輪郭表面間の連結により、それらの表面を互いに比較的自在に摺動させることができ、従ってマスクベース５０２に対してスイベル旋回コネクタ５７２の位置を容易に変更することができる。一部の構成では、スイベル旋回コネクタ５７２は、ボールジョイント構成を有することなしに回転又は旋回するように構成され得る。
【０２０８】
例示されるマスクベース５０２はまた、１つ以上のストラップ連結部５８０（図５９を参照）も含む。ストラップ連結部５８０は、限定はされないが、本明細書中に記載されるクリップなどに連結する任意の構造を含め、任意の好適な構成を有し得る。例えば、例示されるマスクベース５０２は少なくとも２つのポケット５８２を含む。
【０２０９】
ポケット５８２は、図５６に示されるとおり、マスクベース５０２の中に後退し、且つマスクベース５０２から後方に突出する。例示されるポケット５８２は、マスクベース５０２の各横側部に１つのポケット５８２が形成されるようにして形成される。ポケット５８２は、中心の略垂直面（この平面はマスクベース５０２を実質的に二等分する）に関して対称となるように位置決めされ得る。一部の構成では、図５６に示されるとおり、ポケット５８２は、横断寸法又は横方向寸法と比べて広がった縦寸法を有する。
【０２１０】
例示されるマスクベース５０２では、各ポケット５８２の横方向内側部分が支持壁５８４を含む（これは図６１に最も分かり易く示される）。支持壁５８４は中心面の方に位置決めされる。ポケット５８２の各々は、例えば限定されないが、図２２に示されるクリップ２５２などの、クリップを受け入れるように構成される。クリップ２５２がポケット５８２内に嵌装されると、支持壁５８４が、ポケット５８２に対するクリップ２５２の回転を制限する助けとなる。さらに、その大きい縦寸法が、使用者が嵌装中にクリップ２５２でポケット５８２の位置を特定する助けとなる。
【０２１１】
引き続き図６１に関連して、ポケット５８２の各々は好ましくは、関連するクリップ２５２のインターロック機構２６４を係合することのできるタブ５８６を含む。クリップ２５２をポケット５８２とインターロックする他の方法もまた用いることができる。さらに、マスクベース５０２又はマスクシール５０４をヘッドギアアセンブリ６００（図６７〜図６９を参照）と固定する任意の他の好適な方法を用いることができる。
【０２１２】
ここで図６６に関連して、さらなるマスク構成５００’が、別のスタイルのストラップ連結部を示すが、しかし他の点では、図５４〜図６５に関連して図示及び説明されるマスク構成５００と同じである。例示されるマスクベース５０２’は４つのストラップ連結部５８０’を含む。図６６に示すとおり、例示される構成では、ストラップ連結部５８０’は、マスク構成５００’の各横側部に位置決めされる２つの連結部５８０’を有する。例示されるストラップ連結部５８０’は、任意の好適なヘッドギアアセンブリ６００からのストラップ６０２を通すことができるループ、及び／又はストラップ６０２を固定することができるループを含む。
【０２１３】
図６７〜図６９に関連して、ヘッドギアアセンブリ６００はまた、ストラップ６０２に加えて、後部ストラップアセンブリ６０４及び上部ストラップ６０６も含む。ヘッドギアアセンブリ６００を用い得るが、任意の他の好適なヘッドギアアセンブリもまた、限定はされないが、本明細書に開示される任意の構造を含め、用いることができる。
【０２１４】
後部ストラップ６０４は、首の項部より略上側ながら後頭隆起より略下側の位置で、使用者の後頭部の周りに延在する。従って、後部ストラップ６０４は好ましくは上方に弧を描き、後部ストラップ６０４が使用者の首の項部に接触する可能性を低減又は解消する。使用者の耳の後方の位置で、後部ストラップ６０４は上側アーム６１０と下側アーム６１２とに分岐する。
【０２１５】
上側アーム６１０は使用者の耳の上側の位置まで上方に弧を描き、次に使用者の耳の略前方の位置まで下方に弧を描く。下向きの弧は、上側アーム６１０のより硬質の材料と組み合わされるとき、上側アーム６１０とストラップ６０２との間の取り付け点を下げることを可能にし、従ってストラップ６０２がマスク構成５００’に所望の力ベクトルＵＦＶを付与することができる。取り付け点が高過ぎる場合、ヘッドギアアセンブリ６００がマスク構成５００’に過度の上向きの力を付与することになり、マスク構成５００’の安定性が弱まり得る。さらに、図６８に示されるとおり、取り付け点が下がるとストラップ６０２が使用者の眼より略低く位置決めされるため、使用者にとって視野が向上し、且つ使用者にとって快適性が向上する。
【０２１６】
図６８に示すとおり、下側アーム６１２は、耳の僅かに後方の位置まで下方及び前方に延在する。下側アーム６１２のより硬質の材料と組み合わされるとき、その位置が耳より低く、僅かに後方にあることにより、下側アーム６１２が使用者の上頸部と並んで比較的平坦に置かれるため、使用者にとって快適性が向上する。ストラップ６０２は、下側アーム６１２と連結されると、マスク構成５００’に所望の下側の力ベクトルＬＦＶを付与することができる。
【０２１７】
ストラップ６０２は、任意の好適な方法で後部ストラップアセンブリ６０４に連結することができる。例示される構成では、ストラップ６０２はそれぞれ上側アーム６１０及び下側アーム６１２に連結する。好ましくは、上側アーム６１０及び下側アーム６１２はストラップ６０４より硬質であり、従ってアーム６１０、６１２は、ヘッドギアアセンブリ６００が着用されているとき形状を略維持する。一部の構成では、上側アーム６１０及び下側アーム６１２の各々は自重を支持する。一部の構成では、上側アーム６１０及び下側アーム６１２の各々は、着用中にもつれることのない構造である。例えば、アーム６１０、６１２は、装着されているときに捩れる可能性を低減するのに十分な捩り剛性を有する。
【０２１８】
好ましくは、ストラップ６０２は、耳の前方の位置で上側アーム６１０及び下側アーム６１２の少なくとも一方に連結する。かかる構成は、使用者が大きな困難なしにストラップ６０２の位置を特定する助けとなる。加えて、上側アーム６１０及び下側アーム６１２の端部はそれぞれのスロット６１４、６１６を含むことができ、従ってストラップ６０２をそれらのスロット６１４、６１６に通すことができる。加えて、ストラップ６０２は、ベルクロ（登録商標）（Ｖｅｌｃｒｏ）又はバックル構成などの調節機構６２０を含むことができる。調節機構６２０により、マスクシール５０４と使用者の顔との間の力を調節することが可能である。任意の好適な調節機構６２０を使用することができる。
【０２１９】
図６８に関連して、上部ストラップ６０６は、上方に、使用者の頭頂部を通り越えて延在し得る。好ましくは、上部ストラップ６０６は可撓性であり、調節可能な長さを有する。上部ストラップ６０６はスロット６２２を介して上側アーム６１０に連結し、上側アーム６１０が使用者の頭部から滑り落ちて使用者の耳と接触する可能性を低減し得る。好ましくは、上部ストラップ６０６は使用者の耳の略上方の位置で上側アーム６１０に連結する。
【０２２０】
図６８に関連して、上側の力ベクトルＵＦＶと下側の力ベクトルＬＦＶとの間に画定される角度αは、約２５度〜約７０度の範囲内であり得る。好ましくは、角度αは約３０度〜約６０度の範囲内であり得る。より好ましくは、角度αは約３５度〜約５０度の範囲内であり得る。一部の実施形態では、角度αは約４０度であり得る。
【０２２１】
有利には、ヘッドギアアセンブリ６００の上側アーム６１０に連結されるストラップ６０２の張力の比較的小さい調節（すなわち、上側の力ベクトルＵＦＶに沿った張力の調節）が、パドル５１２、５１４を含むマスク構成５００、５００’と共に用いられるとき、使用者の眼領域への漏出を大幅に低減又は解消し得る。換言すれば、パドル５１２、５１４及び上面５１６と共に、上側ストラップ６０２が締められるに従いマスク構成５００’は使用者の鼻の底部に当接して上方に引き込まれ、それによりマスクシール５０４の上面５１６が押され、次にはそれによりパドル５１２、５１４が使用者の鼻に向かって内側に枢動する。従って、上方に向く力が、パドル５１２、５１４により使用者の顔に対して眼の近傍において付与される力を増加させる助けとなり得る。初期の試験では、所望の密閉レベルを達成するのに必要な力の約７５％が下側ストラップ６０２により提供され、上側ストラップ６０２は眼の領域への漏出を最小限に抑え又は解消するように調節可能であることが示されている。
【０２２２】
ここで図７１及び図７２に関連して、使用者の顔面上で適切な位置にあるさらなるマスクアセンブリ７００が例示される。例示されるマスクアセンブリ７００は口鼻併用マスクである。例示されるマスクアセンブリ７００は、使用者の鼻の下側で、鼻の横に延在する顔の一部分に沿って、並びに使用者の口の周囲で密閉するように設計される。
【０２２３】
マスクアセンブリ７００は、有利には使用者の鼻梁ＮＢと接触する必要はない。例示される構成では、マスクアセンブリ７００は使用者の鼻梁ＮＢの上にわたっては延在しない。より詳細には、例示されるマスクアセンブリ７００は使用者の鼻梁に接触しない。さらにより詳細には、例示されるアセンブリ７００は使用者の鼻梁の前方に向く部分に接触しない。一部の構成では、アセンブリ７００は、使用者の眼の下縁に沿って延在する略水平面ＬＥより垂直方向に高い領域において顔と接触しない。
【０２２４】
例示される構成では、マスクアセンブリ７００は、使用者の鼻尖ＮＴの上にかけて延在しない。一部の構成では、例示されるマスクアセンブリ７００は好ましくは、使用者の鼻尖ＮＴを覆い隠さない。一部の構成では、使用者の鼻尖ＮＴがマスクアセンブリ７００の隣接部分にわたり延在する。一部の構成では、マスクアセンブリ７００は鼻尖を覆う。一部の構成では、マスクアセンブリのシールは鼻尖を覆う。
【０２２５】
例示されるとおり、マスクアセンブリ７００は好ましくは、小鼻ＮＷ又は鼻翼（これは外鼻孔の周りに丸みのある隆起を形成するように広がる）の周りに延在し、且つそれを覆って密閉するように適合される。例示されるマスクアセンブリ７００は、ときに鼻柱と呼ばれる鼻中隔の肉厚の外側端部を含め、外鼻孔に至る開口を画定する表面の周りを密閉するように適合される。一部の構成では、マスクアセンブリ７００は、使用者の鼻の左右背側側壁ＮＤＳの少なくとも一部分に沿って密閉するよう上方に延在するように適合される。一部の構成では、マスクアセンブリ７００は、使用者の鼻梁ＮＢの領域までは上方に延在することなしに、左右背側側壁ＮＤＳの少なくとも一部分に沿って上方に延在するように適合される。
【０２２６】
例示されるとおり、マスクアセンブリ７００は、マスクベース７０２と、マスクベース７０２に取り付けられるマスクシール７０４と、同様にマスクベース７０２に取り付けられるコネクタ７０６とを含む。コネクタ７０６は、限定はされないが、本願の中で他の部分において考察される任意の方法を含めた、任意の好適な方法でベース７０２に連結することができる。例えば、限定されないが、コネクタ７０６がベース７０２に対して旋回、枢動及び回転することができるようにして、コネクタ７０６をベース７０２に連結することができる。一部の構成では、コネクタ７０６はボールジョイントの部分をマスクベース７０２（例えば限定されないが他方の部分を画定する）と共に画定し得る。ボールジョイントは任意の好適な構成を有することができ、本願の中で他の部分において考察されるボールソケット形装置の記載に従い構成され得る。コネクタ７０６は、加圧呼吸ガス供給用の供給導管などとの連結を促進する。任意の好適なコネクタ７０６を使用することができる。
【０２２７】
例示される構成では、コネクタ７０６は、バイアスフロー穴７１０を含むエルボ、例えば限定されないが、例えばポリカーボネートエルボを含む。バイアスフロー穴７１０はオリフィスの集合であり、空気を循環させるとともに、使用者が呼息した二酸化炭素を再び吸い込む可能性を低減するように構成される。バイアスフロー穴７１０はコネクタ７０６上のみに図示されるが、一部の構成では、バイアスフロー穴７１０はマスクベース７０２に対して、マスクシール７０４に対して、又はコネクタ７０６、ベース７０２及びシール７０４の任意の組み合わせに対して提供され得る。バイアスフロー穴７１０は任意の好適な断面を有することができ、シリンダ状、砂時計形状、いずれかの方向へのテーパ状、完全又は部分的なテーパ状、完全又は部分的なシリンダ状、断面が変化する異形輪郭などであってよい。
【０２２８】
図７３に関連して、マスクベース７０２をさらに詳細に記載する。マスクベース７０２は、一般にマスクアセンブリ７００に対する、より具体的にはマスクシール７０４に対するある種の支持構造を提供する。マスクベース７０２は任意の好適な材料で形成され得る。一部の構成では、マスクベース７０２は、かなり硬質の材料で形成される。一部の構成では、マスクベース７０２はプラスチック材料、例えばポリカーボネート材料で形成される。一部の構成では、上記の図１３の構成と同様に、マスクアセンブリ７００は、マスクベースとは別個の、しかしそれに取り付け可能なマスクシールクリップを含むマスクシールを含み得る。かかる構成では、マスクシールクリップがマスクシール７０４をマスクベース７０２に連結し得る。かかる構成では、マスクシール及びマスクシールクリップは別々に形成されて共に固定されてもよく、又はマスクシール及びマスクシールクリップは単一の構成部品として一体化されてもよい。一部の構成では、マスクシールがマスクシールクリップの上にオーバーモールドされてもよく、一部の構成では、マスクシールがマスクベースの上に直接オーバーモールドされてもよい。
【０２２９】
図７３及び図７４に関連して、例示される構成では、マスクベース７０２は一対のウィング７１４と共に中心部分７１２から後方に湾曲する。例示されるとおり、ウィング７１４はマスクベース７０２の中心部分７１２に対して後方及び上方に延在し得る。従って、例示されるウィング７１４は上方に突き出た部分７１６を含む。概してマスクベース７０２は、及び例としてウィング７１４の上方に突き出た部分７１６は、マスクシール７０４の横部分に対する補強を提供し得る。
【０２３０】
中心部分７１２は、ウィング７１４の上方に突き出た部分７１６の高さより低い垂直方向の広がりを有し得る。従って、図７３に関連して、マスクベース７０２は前から見ると、略Ｍ字型の外観を有する縁部を含む。加えて、マスクベース７０２の中心範囲の上縁は、前から見ると、略Ｕ字型の外観を含む。一対のウィング７１４間に凹部を有する中心部分７１２を組み込むことにより、マスクベース７０２は、使用者の鼻に十分な離間距離を提供しながらも、マスクシール７０４に対して所望の支持を提供することができる。
【０２３１】
マスクベース７０２とマスクシール７０４とは、任意の好適な方法で連結され得る。図７５に例示される構成では、マスクベース７０２は略囲みフランジ７２０を含み、マスクシール７０４をマスクベース７０２のフランジ７２０の上にオーバーモールドすることができる。任意の他の好適な技法を用いてマスクシール７０４とマスクベース７０２との間の接合部を形成することができる。
【０２３２】
一部の構成では、マスクシール７０４は、マスクベース７０２から取り外し可能であるように形成されてもよい。例えば、マスクシール７０４をマスクベース７０２に取り外し可能に連結することができるように、マスクシール７０４が溝を含んでもよく、且つマスクベース７０２がフランジ、又は任意の他の協働構造を備えてもよい。
【０２３３】
図７５に示すとおり、例示されるマスクシール７０４は、マスクベース７０２との連接部に隣接して、断面がより厚い肉厚化領域７２１を含む。かかる構成は、マスクシール７０４の耐用年数を向上させるとともに、マスクシール７０４とマスクベース７０２との間の連結の完全性を向上させる。一部の構成では、マスクシール７０４の最も厚い領域が、この肉厚化領域７２１である。
【０２３４】
マスクシール７０４は、使用者の顔を当接密閉するように設計される。マスクシール７０４は好ましくは、例えば限定されないがシリコーンなどの、柔軟な材料で形成される。一部の構成では、使用者の快適性が向上するように、マスクシール７０４の少なくとも一部分をテクスチャ加工することができる。例えば、一部の構成では、例示されるマスクシール７０４の形成に用いられるモールドの少なくとも一部分がビード吹き付けされることにより、マスクシール７０４のうち少なくとも使用者の皮膚と接触し得る領域に表面テクスチャが提供され得る。マスクシール７０４の１つ以上の表面をテクスチャ加工する他の技法が用いられてもよい。
【０２３５】
図７６に示すとおり、例示されるマスクシール７０４は口鼻マスクシールを含み、従って、少なくとも１つの口用開口７２２と少なくとも１つの鼻用開口７２４とを含む。一部の構成では、マスクシール７０４は口鼻併用開口を含み得る。一部の構成では、マスクシール７０４は２つ以上の鼻用開口７２４を含み得る。一部の構成では、マスクシール７０４は、ピロー、プロングなどの上部構造内に画定される鼻用開口７２４を含み得る。
【０２３６】
少なくとも１つの口用開口７２２及び少なくとも１つの鼻用開口７２４は好ましくは、マスクアセンブリ７００内に画定される単一のチャンバ７２５と連通している。例示されるマスクアセンブリ７００のチャンバ７２５は、少なくとも部分的にマスクベース７０２及びマスクシール７０４によって画定される。少なくとも１つの口用開口７２２は、コネクタ７０６を受け入れる開口７２８の実質的に反対側にある。少なくとも１つの鼻用開口７２４は、垂直方向において少なくとも１つの口用開口７２２より上側にあり得る。少なくとも１つの鼻用開口７２４は、コネクタ７０６用の開口７２８と少なくとも１つの口用開口７２２との間に位置決めされ得る。少なくとも１つの口用開口は、垂直に対して傾き、且つ概してコネクタ７０６用の開口７２８を通って延在する軸ＯＡを有し得る。
【０２３７】
再び図７３に関連して、マスクシール７０４は好ましくは、上面７３０より上側に上方に延在する一対のパドル７２６を含む。パドル７２６は、鼻孔と並んで、且つ一部の構成では鼻孔より上側に、上方に延在するように構成される。一部の構成では、パドル７２６は各々エアポケットを含み、このエアポケットは、コネクタから少なくとも１つの鼻用開口及び少なくとも１つの口用開口に至るマスクアセンブリを通る空気経路と直接流体連通している。好ましくは、図７６に示されるとおり、上面７３０はパドル７２６の内側部分７３３の間にハンモック状に吊り下がる。かかる構成では、上面７３０に加わる下向きの圧力により、パドル７２６が最上部で内側に枢動し得る。従って、使用者の鼻と上面７３０との間の力が増加すると、使用者の鼻の側部とパドル７２６との間に加わる密閉力が増加し得る。枢動動作がどの程度の力の増加をもたらすかは、構造によって変えることができる。換言すれば、より長いパドル７２６は、より短いパドル７２６と比較して大きい枢動程度を呈する。他方で、より短いパドル７２６は、より長いパドル７２６と比較して鼻の幾何形状のより大きいばらつきに適合することが可能であり、顔面への装着がより容易なマスクアセンブリ７００となる。
【０２３８】
図７５に関連して、４つの異なる平面ＨＰ１、ＨＰ２、ＨＰ３、ＨＰ４が示される。互いに略平行に延在し、且つマスクシール７０４の最も後方の領域７３４（例えば、最も後方の領域７３４は、マスクシール７０４を机に置いた場合にマスクシール７０４を支持することになる机の天板などの平面に対応し得る）に沿って定義される平面ＲＰと略垂直に延在する平面ＨＰ１、ＨＰ２、ＨＰ３、ＨＰ４が示される。一部の構成では、４つの平面ＨＰ１、ＨＰ２、ＨＰ３、ＨＰ４のうちの少なくとも１つと後部平面ＲＰとの間に、約８０度〜１００度の角度βが画定される。一部の構成では、角度βは約８５度〜約９５度である。例示される構成では、角度βは約９０度である。
【０２３９】
例示されるとおり、第１の平面ＨＰ１はマスクベース７０２の上側部分の最も前方の領域又は最も下側の領域を通って延在し、第２の平面ＨＰ２はマスクシール７０４の上面７３０の最上部を通って延在し、第３の平面ＨＰ３はパドル７２６の最上部に沿って延在し、及び第４の平面ＨＰ４はマスクシール７０４の顔接触面の最下部に沿って延在する。例示される構成では、第２の平面ＨＰ２はまた、ウィング７１４の上方に突き出た部分７１６の最上部も通って延在する。一部の構成では、上方に突き出た部分７１６は上面７３０より上側に延在してもよく、一部の構成では、マスクベース７０２の上方に突き出た部分７１６は、上面７３０ほど遠く上方には延在しなくてよい。例示される構成では、平面は上から下に以下の順序を有する：ＨＰ３、ＨＰ２、ＨＰ１及びＨＰ４。好ましくは、ＨＰ２はＨＰ１とＨＰ３との間に位置決めされる。一部の構成では、平面ＨＰ２と平面ＨＰ３との間の距離は約１０ｍｍ〜約２５ｍｍである。一部の構成では、平面ＨＰ２と平面ＨＰ３との間の距離は約１５ｍｍ〜約２２ｍｍである。一部の構成では、平面ＨＰ２と平面ＨＰ３との間の距離は約１７ｍｍである。
【０２４０】
パドル７２６及び上面７３０は谷部７３２を画定する。谷部７３２は、図７１及び図７２に示されるとおり、使用者の鼻尖を受け入れるように適合され得る。谷部７３２は、例示される構成では、上向きに開放している。換言すれば、例示されるマスクアセンブリ７００のうち鼻を受け入れる領域は上側が囲い込まれておらず、鼻の下に置かれるように構成される。例示される構成では、谷部は、垂直方向において平面ＨＰ１（これはマスクベース７０２の中心部分７１２の最も高い部分を通って延在する）より高く位置決めされる。例示される構成では、谷部７３２は第２の平面ＨＰ２（これはマスクベース７０２の最上部に沿って延在する）の領域の中まで下方に延在し得る。一部の構成では、谷部７３２は、第２の平面ＨＰ２よりやや垂直下側の位置まで下方に延在する。一部の構成では、谷部７３２は、第２の平面ＨＰ２よりやや垂直に高い位置まで下方に延在する。一部の構成では、谷部と第２の平面ＨＰ２との間の距離は約−５ｍｍ〜約５ｍｍである。
【０２４１】
図７５に関連して、マスクシール７０４の最も後方の部分７３４は、好ましくは少なくとも２つの突起７３６を含む。突起７３６は、マスクシール７０４の周囲の部分と一体形成されてもよく、又はマスクシール７０４の周囲の部分に固定される別個の構成部品であってもよい。例示される構成では、突起７３６はマスクシール７０４の周囲の部分との一体成形で形成され、これによりマスクシールの耐用年数が向上し、製造が単純化される。一部の構成では、突起７３６は、快適性のため、より柔軟な材料、例えばより柔軟な等級のシリコーンで形成され得る。一部の構成では、突起７３６はより薄い断面を有するように形成され得る。しかしながら例示される構成では、突起は、マスクシール７０４の周囲の部分と実質的に一致する断面厚さを有する。一部の構成では、突起７３６は、より良好な密閉のため、より硬い材料、例えばより硬い等級のシリコーンで形成され得る。一部の構成では、突起７３６は、周囲の領域より厚い断面を有するように形成されてもよく、これにより知覚される硬度又は硬さが増加する。
【０２４２】
突起７３６は、概して顔面上の鼻に隣接して直面する窪み（例えば、眼窩下孔のすぐ下の上顎骨により画定される凹部）を埋める助けとなることにより、使用者の顔との密閉性を向上させるように構成され、従って突起７３６は、使用者の鼻に隣接する領域における顔の輪郭との密閉手段を形成する。突起７３６は、マスクシール７０４の周囲の部分から後方に（すなわち使用者に向かって）延在する。突起７３６は、マスクシール７０４の周囲の部分から約０ｍｍ〜約５ｍｍの高さを有し得る（すなわち、その距離だけすぐ周囲の部分から外方に延在し得る）。一部の構成では、突起７３６は約１．０ｍｍ〜約３．０ｍｍの高さを有し得る。一部の構成では、突起７３６は約２．０ｍｍの高さを有し得る。
【０２４３】
突起７３６の各々の少なくとも一部分は、垂直方向において平面ＨＰ２と平面ＨＰ１との間に位置決めされ得る。一部の構成では、突起７３６の少なくとも一部分が、垂直方向において上面７３０（少なくとも最も上側の延在範囲）と口用開口７２２の最上部との間に位置決めされる。一部の構成では、突起７３６の各々は１つ以上の尖端７３８を有し、尖端７３８は、垂直方向において上面７３０（少なくとも最も上側の延在範囲）と口用開口７２２の最上部との間に位置決めされる。一部の構成では、尖端７３８は垂直方向において鼻用開口７２４の一部分と口用開口７２２の一部分との間に位置決めされる。一部の構成では、尖端７３８は、口用開口７２２と比べて鼻用開口７２４のより近くに位置決めされる。
【０２４４】
例示されるマスクシール７０４は、使用者の顔の２つの位置、すなわち鼻の下及び下唇の下側で係留するように設計される。一部の構成では、マスクシール７０４は、鼻の下側及び下唇と顎との間で係留するように構成される。例示される構成では、マスクシール７０４は、第２の平面ＨＰ２及び第４の平面ＨＰ４に近接して係留するように設計される。一部の構成では、両方の係留点とも、第２の平面ＨＰ２と第４の平面ＨＰ４との間に位置決めされる。一部の構成では、上側係留点ＡＰ１と下側係留点ＡＰ２とは、垂直方向に互いに約４０ｍｍ〜約６５ｍｍの間隙だけ分離される。一部の構成では、上側係留点ＡＰ１と下側係留点ＡＰ２とは、約６５ｍｍ未満の間隙だけ分離される。一部の構成では、上側係留点ＡＰ１と下側係留点ＡＰ２とは、約６０ｍｍ未満だけ分離される。例示される構成では、マスクシール７０４はまた、パドル７２６により第２の平面ＨＰ２の上側にも延在する。一部の構成では、マスクは、いかなる係留点よりも高い位置で使用者の顔を当接密閉することにより、マスクアセンブリ７００を通る空気流を遮断するように設計される。従って、例示されるマスクシール７０４の少なくとも一部の密閉部分は、垂直方向において係留点より高く位置決めされる。
【０２４５】
マスクシール７０４は、異なるサイズ及び／又は幾何形状の顔での使用向けに異なるサイズを有し得る。一部の構成では、マスクシール７０４の異なる部分が、異なるサイズ及び／又は幾何形状の使用者に適合するサイズ及び構成とされ得る。例えば、マスクシール７０４の部分が、異なる使用者向けに異なる程度まで上方に延在し得る。図７５に関連して、平面ＳＰ１と略平行に延在する傾斜平面ＳＰ２が、パドル７２６の外縁に沿って延在し得る。一部の構成では、傾斜平面ＳＰ２は、平面ＳＰ１と約１０ｍｍ〜約３０ｍｍだけ離間され得る。一部の構成では、傾斜平面ＳＰ２は、平面ＳＰ１と約１５ｍｍ〜約２５ｍｍだけ離間され得る。一部の構成では、傾斜平面ＳＰ２は、平面ＳＰ１と約２１ｍｍだけ離間され得る。これらの平面間の距離は、垂直方向における顔との接触範囲に関係する。一部の構成では、全ての顔のサイズ及び幾何形状に対して、単一のサイズのマスクシール７０４が提供されてもよい。
【０２４６】
一部の構成では、マスクシール７０４は、異なる材料及び／又は異なるショア硬さで形成される複数の構成部品を含む。例えば、一部の構成では、マスクシール７０４の一部の構成部品がシリコーンで形成されてもよく、一方、他の構成部品が、発泡材、ゲル、布又は他の好適に曲げ易い材料で形成される。例えば、例示される構成では、マスクシール７０４は鼻パッドインサート７４０を含み、これは異なる材料及び／又は異なるショア硬さで形成される。
【０２４７】
図７７及び図７８に、マスクシール７０４から分解された鼻パッドインサート７４０が示される。鼻パッドインサート７４０は、マスクシール７０４の他の部分と異なる等級のシリコーンで形成され得る。一部の構成では、鼻パッドインサート７４０は、マスクシール７０４の他の顔接触部分と比べてより柔軟な等級のシリコーンで形成され得る。
【０２４８】
さらに、一部の構成では、鼻パッドインサート７４０は、マスクシール７０４のいかなる他の顔接触部分と比べても断面がより厚い部分を有する。一部の構成では、鼻パッドインサート７４０は、鼻パッドインサート７４０を取り囲むマスクシール７０４のいかなる部分と比べてもより厚い最大厚さを有する。一部の構成では、鼻パッドインサート（ｎａｓａｌ  ｐａｄ  ｉｎｓｅｔ）７４０は、鼻パッドインサートを取り囲むマスクシール７０４のいかなる部分と比べてもより厚い最小厚さを有する。一部の構成では、鼻パッドインサート７４０は、マスクシール７０４のいかなる他の部分と比べてもより厚い最大厚さを有する。厚さに関しては、鼻パッドインサート（ｎａｓａｌ  ｐａｄ  ｉｎｓｅｔ）７４０がより柔軟な等級のシリコーンで形成される場合であっても、厚さが増加するほど、知覚される硬度が増加するものと考えられる。従って、一部の構成では、鼻パッドインサート７４０の顔接触部分は、特にシリコーンで形成されるとき、約１．０ｍｍ〜約８．０ｍｍ、又は約２．０ｍｍ〜約５．０ｍｍの厚さを有する。一部の構成では、鼻パッドインサートは、快適性のため、より薄い断面の領域を有する。一部の構成では、鼻パッドインサートの少なくとも一部分が、鼻パッドインサートの当該部分の膨張を可能にするのに十分に小さい厚さを有してもよい。一部の構成では、鼻パッドインサートは、少なくとも約０．３ｍｍ厚未満の部分を有し得る。一部の構成では、鼻パッドインサートは、少なくとも約０．２ｍｍ厚未満の部分を有し得る。一部の構成では、鼻パッドインサートは、鼻パッドインサートの少なくとも一部分にわたり変化する厚さを含む。
【０２４９】
マスクシール７０４は、鼻パッドインサート７４０と連結するパッド支持領域７４２を含み得る。パッド支持領域７４２は凹状又は非凹状であってよい。例示される構成では、パッド支持領域７４２は凹状で、適切な位置に鼻パッドインサート７４０の向きを決め、その位置を特定し及び／又はそれを固定する助けとなる。
【０２５０】
鼻パッドインサート７４０は、任意の好適な方法でマスクシール７０４に固定され得る。例示される構成では、鼻パッドインサート７４０は、任意の好適な方法でパッド支持領域７４２に固定され得る。例えば、鼻パッドインサート７４０は、マスクシール、又はパッド支持領域７４２などのマスクシール７０４の一部分と一体成形され、オーバーモールドされ、接着され、まとめられ、又は機械的に結合され得る。
【０２５１】
図７８に関連して、マスクシール７０４及び鼻パッドインサート７４０は、マスク鼻シール７０４に対する鼻パッドインサート７４０の位置の手掛かりを提供する特徴を含み得る。例えば、例えば限定されないがパッド支持領域７４２の一部分に沿って、少なくとも１つのキーイング凹部７４４を提供することができる。例示される構成では、略三角形パターンに形成された３つの凹部７４４が提供される。例示される略三角形パターンは、パターンが概して少なくとも１つの鼻用開口７２４の上に置かれるように配置される。一部の構成では、少なくとも１つの鼻用開口７２４はパターン内の中心に位置決めされる。図７７に関連して、鼻パッドインサート７４０は、凹部７４４と嵌め合う突起７４６を含み得る。一部の構成では、突起７４６はポストを含んでもよい。突起７４４は鼻パッドインサート７４０と一体形成されてもよく、又は別個に形成されて鼻パッドインサート７４０に取り付けられてもよい。任意の他の好適な嵌め合い又はキーイング機構を使用して、マスクシール７０４に対する鼻パッドインサート７４０の位置を特定することができる。
【０２５２】
例示される構成では、凹部７４４は底が閉じており、従って鼻パッドインサート７４０は、いずれの開口も完全に密閉する必要はない。換言すれば、凹部が開口を含んでいた場合には、鼻パッドインサート７４０は漏出の可能性を低減するため、それらの開口を覆って密閉しなければならない。しかしながら一部の構成では、凹部７４４は開口を含み得る。一部のかかる構成では、鼻パッドインサート７４０は、マスクシール７０４の少なくとも一部分を鼻パッドインサート７４０と鼻パッドインサート７４０に対してマスクシール７０４の反対側にある部材との間に挟み込むことにより、適切な位置に固定され得る。例えば、反対側にある部材は突起７４４に固定されてもよい。いずれにしても、鼻パッドインサート７４０とマスクシール７０４との間の接合部は、好ましくは密閉される。より詳細には、鼻用開口７２４などの、任意の開口を取り囲む領域では、鼻パッドインサート７４０とマスクシール７０４との間の接合部は、好ましくは密閉される。
【０２５３】
再び図７８に関連して、鼻パッドインサート７４０は好ましくは、使用者の快適性を向上させるサイズ、形状及び構成である。例えば限定されないが、例示される鼻パッドインサート７４０は、付形された軸方向中心部分７５０を含み得る。付形された軸方向中心部分７５０は、横方向外側の縁部７５２の下側に凹状である。軸方向中心部分７５０を凹状となるように付形することにより、鼻パッドインサート７４０は、より良好に使用者のより敏感な中隔領域を受け支えるように適合される。一部の構成では、凹部領域の付形は、主に少なくとも１つの鼻用開口７２４より前方にある。一部の構成では、中心部分７５０は、少なくとも１つの開口より後方の部分と比較して、少なくとも１つの開口７２４より前方の部分により顕著な凹部を有する。一部の構成では、凹状の中心部分７５０は、その凹状領域で厚さが低下している。
【０２５４】
一部の構成では、鼻パッドインサート７４０は取り外し可能又は交換可能であってもよい。一部の構成では、鼻パッドインサート７４０は交換可能で、単一の鼻用開口、一対の鼻用開口、一対より多い鼻用開口、単一又は複数の鼻プロング、単一又は複数の鼻ピロー又は任意の他の好適なインタフェース構成を含むようにマスクアセンブリ７００を変更することができてもよい。一部の構成では、任意の特定の使用者に最も望ましい又は効果的な構成を決定するための試行実験が可能となるように、マスクベース、マスクシール及び複数の鼻パッドインサートを含むキットが提供され得る。一部の構成では、鼻パッドインサート７４０はマスクシール７０４を壊さなければ取り外せず、又は交換できないが、異なる鼻パッドインサート７０４（例えば、先述の文中に記載される構成のいずれか）を提供することで、多くの同じ下に置かれる構成部品を使用しながらも、インタフェースのスタイルを単純且つ容易に変えることができる。例えば、一部では快適性のためにプロングがなく且つピローがない構成が所望され得るが、プロングは、使用者の顔に対してマスクアセンブリ７００の位置を適切に特定する能力を向上させ得る一方、ピローは、使用者の顔に対してマスクアセンブリ７００を位置特定する能力と、同時に使用者の鼻孔を密閉する能力との両方をさらに向上させることができる。
【０２５５】
図７５に関連して、概して又は実質的に鼻用開口７２４を包囲する鼻接触部分７５４（これは鼻パッドインサート７４０を備える又は含むことができる）は、第２の平面ＨＰ２から第１の平面ＨＰ１まで後ろ向きに下方に傾斜している。一部の構成では、鼻接触平面ＳＰ１と平面ＨＰ１との間に角度γが画定される。一部の構成では、角度γは約５度〜約５０度である。一部の構成では、角度γは約１５度〜約４０度である。一つの構成では、角度γは約３０度である。一部の構成では、鼻用開口を概して又は実質的に包囲する鼻接触部分を後部平面と略垂直にするか、使用時に略水平にするか、又は図７５に示される方向と反対方向に傾けることが可能である。
【０２５６】
第２の傾斜平面ＳＰ２は、第１の傾斜平面ＳＰ１と略平行に延在する。一部の構成では、第２の傾斜平面ＳＰ２と第１の傾斜平面ＳＰ１とは約１０ｍｍ〜約３０ｍｍの距離だけ離れている。一部の構成では、第２の傾斜平面ＳＰ２と第１の傾斜平面ＳＰ１とは約１５ｍｍ〜約２５ｍｍの距離だけ離れている。一部の構成では、第２の傾斜平面ＳＰ２と第１の傾斜平面ＳＰ１とは約２１ｍｍだけ離れている。このようにして、パドル７２６の垂直方向及び水平方向の延在範囲を決定することができ、特定の顔幾何形状に適切なサイズのパドルを得ることができる。
【０２５７】
マスクアセンブリ７００の例示されるマスクシール７０４は、かなり複雑な範囲及び構成の厚さを含む。厚さは、例示されるマスクシール７０４の異なる領域における異なる特性を利用するように変化が付けられる。例えば、図８０及び図８２に関連して、マスクシール７０４は、肉厚化部分７２１に略対応する連結領域７６０を示す。連結領域７６０は、マスクベース７０２を受け入れる開口を略包囲する。連結領域７６０は、一部の構成では、シール部材７０４の最も厚い部分であってよい。連結領域７６０はマスクシール７０４をマスクベース７０２とつなぎ合わせる。従って、連結領域７６０は好ましくは十分な厚さを有することで、連結に十分な硬さを提供し、且つ耐久性に十分な厚さを提供する。一部の構成では、連結領域の厚さは約２ｍｍ〜約５ｍｍである。例示される構成では、厚さは約３〜約３．５ｍｍである。
【０２５８】
使用中のマスクシール７０４の顔接触領域におけるしわの発生を低減するため、マスクシール７０４の顔接触部分に略隣接する外周部分７６２はかなり硬くなければならないことが分かっている。図８１及び図８２に関連して、例示される下側外周部分７６２は、マスクシール７０４の後ろ側で略垂直に延在する部分に沿って延在し、マスクシール７０４の後ろ側の下部で僅かに内側に回り込んでいる。加えて、下側外周部分７６２は、マスクシールの後ろに向く側からマスクシール７０４の横に向く側の少なくとも一部分に回り込んでいる。一部の構成では、外周部分の厚さは約１．０ｍｍ〜約１．５ｍｍであってよい。例示される構成では、外周部分７６２は連結領域７６０の厚さ未満の厚さを有し、好ましくは約１．２５ｍｍの厚さを有する。上側外周部分７６３は下側周囲部分７６２と離れていてもよく、且つ異なる厚さを有してもよい。一部の構成では、上側外周部分７６３は下側外周部分７６２より小さい厚さを有する。一部の構成では、上側外周部分７６３は約０．５ｍｍ〜約１．２５ｍｍの厚さを有し得る。例示される構成では、上側外周部分７６３は約０．８ｍｍの厚さを有し得る。
【０２５９】
図８１に関連して、例示されるマスクシール７０４は突出部分７６４も有し、これらは概して、尖端７３８を含め、突起７３６に対応するものである。突出部分７６４は、上記に考察したとおり、同じ厚さであってもよく、又は周囲の部分より厚くても、若しくは薄くてもよい。例示される構成では、突出部分７６４は外周部分７６２より小さい厚さを有する。一部の構成では、突出部分は約０．２ｍｍ〜約１．５ｍｍの厚さを有する。例示される構成では、突出部分は約０．７ｍｍの厚さを有する。
【０２６０】
図８１に関連して、例示されるマスクシール７０４はまた、口領域７６６も含む。口領域７６６は、例示されるマスクシール７０４では、口用開口７２２の少なくとも一部分に沿って延在する。例示される構成では、口領域７６６は、口用開口７２２の少なくとも下側部分に沿って延在する。例示される構成では、口領域７６６は、少なくとも口用開口７２２の側部及び下部に沿って延在する。口領域７６６は、顔と接触するより柔軟な領域を提供する。従って、口領域７６６はより薄い断面を有し得る。例えば、一部の構成では、口領域７６６は外周部分７６２の厚さ未満の厚さを有し、一部の構成では、約０．２ｍｍ〜約１．０ｍｍの厚さを有する。例示される構成では、口領域の厚さは約０．５ｍｍである。
【０２６１】
図８０及び図８１に関連して、鼻領域７６８はマスクシール７０４の後部から前部に向かって回り込んでいてもよい。鼻領域７６８は鼻パッドインサート７４０を備えるか、又はその下に置かれ得る。しかしながら好ましくは、鼻領域７６８は鼻パッドインサート７４０の下に置かれ、パッド支持領域７４２を備える。鼻の下側部分を優しく当接密閉するのが望ましいことを所与として、鼻領域７６８は、例示される構成では、かなり小さい厚さを有する。一部の構成では、鼻領域７６８はマスクシール７０４のなかで最も小さい厚さを有する。例示される構成では、鼻領域７６８は口領域７６６より小さい厚さを有する。一部の構成では、鼻領域７６８の厚さは約０．１ｍｍ〜約０．５ｍｍである。一部の構成では、鼻領域７６８の厚さは約０．３ｍｍである。
【０２６２】
引き続き図８０〜図８２に関連して、鼻領域７６８と外周部分７６２との間、鼻領域７６８と連結領域７６０との間、鼻領域７６８と口領域７６６との間、口領域７６６と外周部分７６４との間、口領域７６６と連結領域７６０との間、外周部分７６４と連結領域７６０との間などに、移行厚さを有する移行部分７７０が画定され得る。例示される構成では、突出部分７６４は移行部分７７０に略取り囲まれている。他の構成もまた可能である。
【０２６３】
図８１及び図８３〜図８８に関連して、図８１に示されるマスクシール７０４に沿った様々な断面が提供される。これらの断面は、図８０〜図８２に例示されるマスクシール７０４内に現れる様々な移行部を示す助けとなる。
【０２６４】
図８７及び図８８に関連して、断面で示されるとおりのパドル。そこに例示されるとおり、パドル７２６は相対的に薄い断面を有し得る。一部の構成では、パドルは、少なくとも一部において、典型的な治療圧力（例えば、約３〜約２５ｃｍ  Ｈ２Ｏ）で制御された膨張又は制御された拡張を可能にするのに十分な薄さの断面を備えて形成されてもよい。一部の構成では、かかる厚さは、用いられる材料に応じて約０．３ｍｍ未満又は約０．２ｍｍ未満であってもよい。一部の構成では、パドル７２６のうち顔に接触し得る部分は、略一定の断面を含む。
【０２６５】
一つの構成では、パドルは、横方向外側部分と横方向内側部分とをつなぎ合わせるリッジに沿って肉厚化した断面を有する。従って、パドル７２６は、内側部分と外側部分とをつなぎ合わせる曲がった部分でより厚い断面を有し得る。一部の構成では、この肉厚化領域は約０．３ｍｍ〜約１．２５ｍｍであってもよい。一部の構成では、この肉厚化領域は約０．５ｍｍ又は約１．０ｍｍである。この肉厚化領域は、横方向内側部分を所望の程度に薄くすることを可能にしながらも、使用中にパドル７２６の顔接触部分にしわ又は折り目が生じる可能性を低減する助けとなる。
【０２６６】
一部の構成では、パドル７２６は横方向外側部分により厚い断面を含み、横方向内側部分により薄い断面を含む。図８７に示すとおり、パドル７２６の横方向外側壁７７２は、同じ高さにあるパドル７２６の残りの部分と比べてより厚い断面を含み得る。パドル７２６のこのより厚い部分が補強を提供することでパドル７２６の形状が支持され、使用時にパドル７２６の形状が制御される。他の技法もまた用いることができる；しかしながら、より厚い断面を使用することは、構造性能的に十分な補強を備える十分に柔軟な構造を提供するという利点がある。
【０２６７】
ここで図８９〜図１０９に関連して、マスクアセンブリ７００と共に、又は本明細書に記載されるマスクアセンブリのいずれかと共に使用することのできるいくつかのスタイルのヘッドギアを説明する。図７１に関連して、マスクアセンブリ７００は好ましくは、ヘッドギアを使用して、マスクアセンブリ７００に対して上向き、後ろ向き、又は上向きと後ろ向きとの組み合わせの力ベクトルが発生するように固定される。マスクアセンブリ７００は鼻の下に係留するように構成されるため、及び鼻の底部に対する当接するマスクアセンブリ７００の上向きの圧力に伴いパドル７２６の密閉力が増加するため、このマスクアセンブリは、マスクアセンブリ７００に最も適した力ベクトルがかなり独特である。それでもなお、一部の構成では、マスクアセンブリは、他の方向の力ベクトルを発生するヘッドギアと共に使用することができる。
【０２６８】
図８９〜図１０９に関連して明らかなとおり、これらの図に表される例示されるヘッドギアは、有利には、Ｔピース又は関連するマスクアセンブリ７００から鼻梁の上にかけて（又はそれより高く）上方に延在する任意の他の構成部品を特徴としない。一部の構成では、マスクアセンブリもヘッドギアアセンブリも、垂直方向に眼より高い、又は水平方向に眼の外縁の間にある使用者の顔には接触しない。マスクアセンブリ７００の構造上、このマスクアセンブリと共に使用されるヘッドギアは使用の顔領域と全く接触する必要がない。一部の構成では、ヘッドギアは使用者の顔に接続しない。一部の構成では、マスクアセンブリ７００は、鼻梁より下側の位置において顔面上に係留される。一部の構成では、マスクアセンブリ７００は、鼻の最下面より下側の位置において顔面上に係留される。一部の構成では、マスクアセンブリ７００は、鼻の最下面より下側の位置において顔面上に係留されるのみであり、且つヘッドギアアセンブリは使用者の顔に接触しない。一部の構成では、マスクアセンブリ７００は下顎骨上及び上顎骨に沿った鼻の上に係留され、且つヘッドギアは、垂直方向に鼻の最下部より高い領域では顔に接触しない。一部の構成では、マスクアセンブリ７００は、下顎骨上及び上顎骨に沿った鼻の上に係留され、且つヘッドギアは、垂直方向に耳の底部より高い領域では顔に接触しない。一部の構成では、マスクアセンブリ７００は、下顎骨上及び上顎骨に沿った鼻の上に係留され、且つヘッドギアは、垂直方向に眼より高い領域では顔に接触しない。一部の構成では、マスクアセンブリ７００は、垂直方向に鼻より下側の少なくとも２つの位置に係留され、且つヘッドギアは、垂直方向にマスクアセンブリ７００のすぐ上側に画定される領域では顔に接触しない。一部の構成では、マスクアセンブリ７００は、使用者の顔特徴による上方への移動に対抗して固定され、ヘッドギアアセンブリがマスクアセンブリ７００に上方に向く力を加える。一部のかかる構成では、この顔特徴は鼻の下部である。一部のかかる構成では、鼻の下部は鼻中隔を含む。
【０２６９】
初めに図８９〜図９１に関連して、マスクアセンブリ７００に連結されているヘッドギアアセンブリ８００が示される。ヘッドギアアセンブリ８００は、概して後部ストラップ８０２と上部ストラップ８０４とを含む。後部ストラップ８０２及び／又は上部ストラップ８０４は、長さを調節可能であってよい。一部の構成では、後部ストラップ８０２及び上部ストラップ８０４の少なくとも一方は、長さが固定されていてもよい。例示される構成では、後部ストラップ８０２は、使用者の耳の略下側の位置で後頭部の周りにかけ渡すように構成され、一方、上部ストラップは、耳の略前方の位置で頭頂部を越えてかけ渡すように構成される。他の位置及び構成が可能である。さらに、例示される構成では、後部ストラップ８０２及び上部ストラップ８０４は一体形成され得る。一部の構成では、ストラップ８０２、８０４は別個に形成され、バックル又は別の他の好適な構成を使用して共に取り付けられる。
【０２７０】
引き続き図８９〜図９１に関連して、拡張部８０６が、後部ストラップ８０２及び上部ストラップ８０４の一方又は両方に連結する。例示される構成では、２つのアーム８０８が拡張部８０６をマスクアセンブリ７００に連結する。一部の構成では、２つのアーム８０８は単一のストラップで形成される。一部の構成では、２つのアーム８０８は２つのストラップで形成される。有利には、２つのアーム８０８は、例示される構成では、長さを個別に調節することができ、そのため、好ましくは２つの別個のストラップで形成される。それでもなお、アーム８０８の各々を個別に調節可能としながら、両方のアーム８０８を単一の構成部品で形成することは可能である。アーム８０８が個別に調節可能であることにより、例示されるヘッドギアアセンブリ８００はマスクの角度を調節することが可能である。換言すれば、アーム８０８を使用して、マスクアセンブリ７００を所望の角度方向に傾けることができる。加えて、アーム８０８は個別に調節可能であるため、シール７０４の下側部分の装着性をシール７０４の上側部分の装着性とは別に調節することができる。
【０２７１】
ここで図９２〜図９４に関連して、これらの図に別のヘッドギアアセンブリ８１０が例示される。例示されるヘッドギアアセンブリ８１０は、上側部分８１２と下側部分８１４とを含む。例示される上側部分８１２は下側部分８１４と分離しているが、一部の構成では、上側部分８１２と下側部分８１４とは共につなぎ合わせることができる。例えば、一部の構成では、ストラップが上側部分８１２と下側部分８１４とを連結して単一の一体化したヘッドギアアセンブリ８１０を形成する。一部のかかる構成では、相互に連結するストラップは、それらが耳の後方又は耳のすぐ前方に位置決めされ得るように位置決めすることができる。他の構成も可能である。
【０２７２】
例示される構成では、下側部分８１４は、任意の好適な方法でマスクアセンブリ７００に連結する部材８１６を含む。一部の構成では、部材８１６は、フック、スナップ又は他の好適な種類のコネクタで連結する。一部の構成では、部材８１６はループを通って延在し、折り返し重ねて固定される。例示される構成では、部材８１６は単一の構成部品である。一部の構成では、部材８１６は複数の構成部品を含み得る。好ましくは、部材８１６は、使用者の耳の略下側にある位置で後頭部の周りにかけ渡される。
【０２７３】
さらに図９２〜図９４に関連して、上側部分８１２は、概して、部材８２０と上部部材８２２とを含む。部材８２０及び／又は上部部材８２２は、長さを調節可能であってよい。一部の構成では、部材８２０及び上部部材８２２の少なくとも一方は、長さが固定されていてもよい。例示される構成では、部材８２０は、使用者の耳の少なくとも一部分と略交わり得る位置で後頭部の周りにかけ渡すように構成され、一方、上部部材８２２は、耳に垂直にかかるように同様に略交わり得る位置で頭頂部を越えてかけ渡すように構成される。例示されるとおり、部材８２０は、耳を回り込んで通り越えるように構成される部分８２４を有し得る。他の位置及び構成が可能である。さらに、例示される構成では、部材８２０及び上部部材８２２は一体形成されてもよく、且つ使用者の耳の略上方の位置で合流してもよい。一部の構成では、部材８２０、８２２は別個に形成され、バックル又は別の他の好適な構成を使用して共に取り付けられる。
【０２７４】
ヘッドギアアセンブリ８１０は、上側部分８１２及び下側部分８１４の個別の調節を可能にする。上記に記載したとおり、上側部分８１２及び下側部分８１４が個別に調節可能であることにより、例示されるヘッドギアアセンブリ８１０は、図９３に示されるとおり、マスクアセンブリ７００の角度を調節することが可能である。換言すれば、個別に調節可能な上側部分８１２及び下側部分８１４を使用して、マスクアセンブリ７００を所望の角度方向に傾けることができる。加えて、上側部分８１２及び下側部分８１４は個別に調節可能であるため、シール７０４の下側部分の装着性をシール７０４の上側部分の装着性とは別に調節することができる。
【０２７５】
ここで図９５〜図９７に関連して、さらなるヘッドギアアセンブリ８３０が例示される。マスクアセンブリ７００に連結されているヘッドギアアセンブリ８３０が図示される。例示されるヘッドギアアセンブリ８３０は、上側部分８３２と下側部分８３４とを含む。図９７に示すとおり、少なくとも１つの相互連結部材８３６が上側部分８３２を下側部分８３４に連結する。少なくとも１つの相互連結部材８３６は、例示される構成では、使用者の後頭部の領域で上側部分８３２を下側部分８３４につなぎ合わせるバックパネルを含む。例示される相互連結部材８３６は略砂時計形状である。他の構成も可能である。
【０２７６】
例示される構成では、下側部分８３４は、任意の好適な方法でマスクアセンブリ７００に連結する少なくとも１つの部材８３８を含む。一部の構成では、少なくとも１つの部材８３８は、フック、スナップ又は他の好適な種類のコネクタで連結する。一部の構成では、少なくとも１つの部材８３８はループを通って延在し、折り返し重ねて固定される。例示される構成では、少なくとも１つの部材８３８は単一の構成部品である。一部の構成では、少なくとも１つの部材８３８は複数の構成部品を含み得る。例えば、２つの構成部品が相互連結部材８３６から前方に延在してもよい。好ましくは、少なくとも１つの部材８３８は、使用者の耳の略下側にある位置でマスクアセンブリ７００から後頭部に向かって延在する。
【０２７７】
さらに図９５〜図９７に関連して、上側部分８３２は、概して、少なくとも１つの部材８４０と上部部材８４２とを含む。少なくとも１つの部材８４０及び／又は上部部材８４２は、長さを調節可能であってよい。一部の構成では、少なくとも１つの部材８４０及び上部部材８４２の少なくとも一方は、長さが固定されていてもよい。例示される構成では、少なくとも１つの部材８４０は、概してマスクアセンブリ７００から使用者の耳の垂直方向上側の位置に沿って後頭部まで真っ直ぐ通り得る位置で後頭部の周りにかけ渡すように構成され、一方、上部部材８４２は、耳に垂直にかかるように略交わり得る位置で頭頂部を越えてかけ渡すように構成される。他の位置及び構成が可能である。さらに、例示される構成では、部材８４０及び上部部材８４２は一体形成されてもよく、且つ使用者の耳の略上方の位置で合流してもよい。一部の構成では、部材８４０、８４２は別個に形成され、バックル又は別の他の好適な構成を使用して共に取り付けられる。
【０２７８】
ヘッドギアアセンブリ８３０は、上側部分８３２及び下側部分８３４の個別の調節を可能にする。上記に記載したとおり、上側部分８３２及び下側部分８３４が個別に調節可能にあることにより、例示されるヘッドギアアセンブリ８３０はマスクアセンブリ７００の角度を調節することが可能である。換言すれば、個別に調節可能な上側部分８３２及び下側部分８３４を使用して、マスクアセンブリ７００を所望の角度方向に傾けることができる。加えて、上側部分８３２及び下側部分８３４は個別に調節可能であるため、シール７０４の下側部分の装着性をシール７０４の上側部分の装着性とは別に調節することができる。
【０２７９】
ここで図９８〜図１００に関連して、さらなるヘッドギアアセンブリ８５０が例示される。マスクアセンブリ７００に連結されているヘッドギアアセンブリ８５０が図示される。例示されるヘッドギアアセンブリ８５０は、上側部分８５２と下側部分８５４とを含む。一般に、図９８〜図１００のヘッドギアアセンブリ８５０は、相互連結部材を有しないことを除き、図９５〜図９７のヘッドギア８３０と同様である。従って、図９５〜図９７のヘッドギア８３０に関する上記の詳細が、概して図９９〜図１００のヘッドギア８３０に等しく適用される。
【０２８０】
図９８〜図１００の例示される構成では、ヘッドギアアセンブリ８５０の上側部分８５２及び下側部分８５４が、単一の一体化した構成部品で形成され得る。一部の構成では、第１の部材８５６及び第２の部材８５８は、単一の構成部品で形成され得る。例えば、単一の材料ループがマスク上のループなどを通って延在することにより、第１の部材８５６及び第２の部材８５８の両方を画定してもよい。一部の構成では、別個の上部部材８５９が、第１の部材８５６及び第２の部材８５８を画定する単一の構成部品と分離されていてもよく、又は単一の構成部品の一部として一体形成されてもよい。任意の好適な構成部品を使用することができる。
【０２８１】
ここで図１０１〜図１０３に関連して、さらなるヘッドギアアセンブリ８６０が例示される。マスクアセンブリ７００に連結されているヘッドギアアセンブリ８６０が図示される。図９８〜図１００と図１０１〜図１０３との比較から明らかになるとおり、図１０１〜図１０３に示されるヘッドギアアセンブリ８６０は、ヘッドギアアセンブリ８６０が上部部材を欠く上側部分８６２を含むことを除き、図９８〜図１００に示されるヘッドギアアセンブリ８５０と略同じである。そのため、ヘッドギアアセンブリ８６０はまた、図９８〜図１００に示されるヘッドギアアセンブリ８５０の下側部分８５４と略同じである下側部分８６４も含む。
【０２８２】
ここで図１０４〜図１０６に関連して、さらなるヘッドギアアセンブリ８７０が例示される。マスクアセンブリ７００に連結されているヘッドギアアセンブリ８６０が図示される。図１０１〜図１０３と図１０４〜図１０６との比較から明らかになるとおり、図１０４〜図１０６に示されるヘッドギアアセンブリ８７０は、ヘッドギアアセンブリ８７０が下側部分を欠くことを除き、図１０１〜図１０３に示されるヘッドギアアセンブリ８６０と（上側部分８６２を有することを含めて）略同じである。
【０２８３】
ここで図１０７〜図１０９に関連して、さらなるヘッドギアアセンブリ８８０が例示される。マスクアセンブリ７００に連結されているヘッドギアアセンブリ８６０が図示される。図１０４〜図１０６に示されるヘッドギア８７０と同様に、図１０７〜図１０９に示されるヘッドギア８８０は上側部分８８２を含み、下側部分を含まない。上側部分８８２は、例示される構成では、マスクアセンブリ７００から上方及び後方に延在する部材８８４を含む。部材８８４は、耳に適合する特徴部８８６を備えることができる。耳に適合する特徴部８８６は、使用者の耳の前から使用者の耳の後ろに力を伝達するように適合される。従って、耳に適合する特徴部８８６により、使用者の頭部上で、耳に適合する特徴部８８６がなければ部材８８４が使用者の耳と交差し得るような低さに部材８８４が位置することが可能となる。
【０２８４】
図１０８及び図１０９に関連して、例示される構成では、部材８８４は、使用者の耳のすぐ後方の位置で上側部材８８６と下側部材８８８とに二股に分かれる。例示される構成では、二股に分かれる位置は、垂直方向に使用者の耳より高くなるように適合される。部材８８４が少なくとも上側部材８８６と下側部材８８８とに二股に分かれることにより、安定性が向上し得る。限定はされないが、少なくとも２つの部材８８６、８８８の代わりに幅広のストラップを使用すること、上側部材８８６と下側部材８８８との間にパネルを組み込むことなどを含め、他の構成もまた用いることができる。加えて、図１０８及び図１０９に例示される構成では、ヘッドギアとマスクアセンブリとの間の連結点は、図１０４〜図１０６に例示される構成より低い。
【０２８５】
本開示を通して様々なヘッドギアアセンブリを記載した。ヘッドギアアセンブリの各々において、１つ以上のストラップ、部材、構成部品などを、同じヘッドギアアセンブリ内の他のものと比べてより高可撓性であるように形成することが可能である。例えば限定されないが、一部の構成では、ヘッドギアアセンブリのうち後頭部の周りに延在する部分を、ヘッドギアアセンブリのうち耳の前方に延在する部分より高弾性又は高可撓性にすることができる。一部の構成では、ヘッドギアアセンブリのうち耳の前方に延在する部分を、ヘッドギアアセンブリのうち耳の後方に延在する部分より高弾性又は高可撓性にすることができる。一部の構成では、ヘッドギアアセンブリのより高弾性、高可撓性、又は高延伸性の部分が、より低弾性、低可撓性又は低延伸性の部分と重なる部分を有する。
【０２８６】
ここで図１１０に関連して、さらなるマスクアセンブリ９００が例示される。例示されるマスクアセンブリ９００は口鼻併用マスクであり、使用者の鼻の下側（及び／又は鼻の中）で、鼻の横に延在する顔の一部分に沿って、並びに使用者の口の周囲で密閉するように設計される。一部の構成では、マスクアセンブリ９００は、鼻尖の上に及ぶように設計することができ、かかる構成では、鼻の下側以外の領域において、鼻の中で、鼻の横に延在する顔の一部分に沿って、且つ使用者の口の周囲で密閉し得る。
【０２８７】
図７１に示されるマスクアセンブリ７００と同様に、マスクアセンブリ９００は有利には、使用者の鼻梁と接触する必要がない。例示される構成では、マスクアセンブリ９００は使用者の鼻梁の上にかけて延在しない。より詳細には、例示されるマスクアセンブリ９００は使用者の鼻梁に接触しない。さらにより詳細には、例示されるアセンブリ９００は使用者の鼻梁の前方に向く部分に接触しない。一部の構成では、アセンブリ９００は、使用者の眼の下縁に沿って延在する略水平面ＬＥより垂直方向に高い領域において顔と接触しない。
【０２８８】
一部の構成では、マスクアセンブリ９００は使用者の鼻尖の上にかけて延在しない。一部の構成では、マスクアセンブリ９００は好ましくは、使用者の鼻尖を覆い隠さない。一部の構成では、使用者の鼻尖がマスクアセンブリ９００の隣接部分にわたり延在する。一部の構成では、マスクアセンブリ９００は鼻尖の上に及ぶように設計され得る。一部の構成では、マスクアセンブリ９００は鼻尖を覆い隠すように設計され得る。
【０２８９】
マスクアセンブリ９００は好ましくは、小鼻又は鼻翼（外鼻孔の周りの丸みのある隆起を形成するように広がっている）の周りに延在し、それらを覆って密閉するように適合される。マスクアセンブリ９００は、ときに鼻柱と呼ばれる鼻中隔の肉厚の外側端部を含め、外鼻孔に至る開口を画定する表面内及びその周りを密閉するように適合され得る。一部の構成では、マスクアセンブリ９００は、上方に延在して、使用者の鼻の左右の背側側壁の少なくとも一部分に沿って密閉するように適合される。一部の構成では、マスクアセンブリ９００は、左右の背側側壁の少なくとも一部分に沿って上方に延在するが、使用者の鼻梁の領域まで上方に延在することはないように適合される。図７１に示されるマスクアセンブリ７００と比較して、図１１０に示されるマスクアセンブリ９００は、所望に応じて鼻気道の中まで延在し、鼻気道に沿って密閉してもよい。
【０２９０】
例示されるとおり、マスクアセンブリ９００は、マスクベース９０２、マスクベース９０２に取り付けられたマスクシール９０４を含み、図示されないが、マスクベース９０２にコネクタを取り付けることができる。コネクタは、限定はされないが、本願の中で他の部分において考察される任意の方法を含めた、任意の好適な方法でベース９０２に連結することができる。例えば、限定されないが、コネクタがベース９０２に対して旋回、枢動及び回転することができるようにして、コネクタをベース９０２に連結することができる。一部の構成では、コネクタはボールジョイントの部分をマスクベース９０２（例えば限定されないが他方の部分を画定する）と共に画定し得る。ボールジョイントは、任意の好適な構成を有することができ、本願の中で他の部分において考察されるボールソケット形装置の記載に従い構成され得る。コネクタは、加圧呼吸ガス供給用の供給導管などとの連結を促進する。任意の好適なコネクタを使用することができる。
【０２９１】
図１１０に関連して、マスクベース９０２を詳細に記載する。マスクベース９０２は、一般にマスクアセンブリ９００に対する、より具体的にはマスクシール９０４に対するある種の支持構造を提供する。マスクベース９０２は、任意の好適な材料で形成することができる。一部の構成では、マスクベース９０２はかなり硬質の材料で形成される。一部の構成では、マスクベース９０２は、ポリカーボネート材料などのプラスチック材料で形成される。
【０２９２】
図１１０に関連して、例示される構成では、マスクベース９０２は、一対のウィング９１４と共に中心部分９１２から後方に湾曲する。例示されるとおり、ウィング９１４はマスクベース９０２の中心部分９１２に対して後方及び上方に延在し得る。従って、例示されるウィング９１４は上方に突き出た部分９１６を備える。一般にマスクベース９０２、及び例としてウィング９１４の上方に突き出た部分９１６は、マスクシール９０４の横部分に対する補強を提供し得る。
【０２９３】
中心部分９１２は、ウィング９１４の上方に突き出た部分９１６の高さより低い垂直方向の広がりを有し得る。従って、マスクベース９０２は前から見ると、略Ｍ字型の外観を有する縁部を含む。加えて、マスクベース９０２の中心範囲の上縁は、前から見ると、略Ｕ字型の外観を含む。一対のウィング９１４の間に凹部を有する中心部分９１２を組み込むことにより、マスクベース９０２は、使用者の鼻に十分な離間距離を提供しながらも、マスクシール９０４に対して所望の支持を提供することができる。
【０２９４】
マスクベース９０２とマスクシール９０４とは、任意の好適な方法で連結され得る。図１１２に関連して、マスクベース９０２は略囲みフランジ９２０を含み、マスクシール９０４をマスクベース９０２のフランジ９２０の上にオーバーモールドすることができる。任意の他の好適な技法を用いてマスクシール９０４とマスクベース９０２との間の接合部を形成することができる。一部の構成では、マスクシール９０４は、マスクベース９０２から取り外し可能であるように形成されてもよい。例えば限定されないが、マスクシール９０４をマスクベース９０２に取り外し可能に連結することができるように、マスクシール９０４が溝を備えてもよく、且つマスクベース９０２がフランジ、又は任意の他の協働構造を備えてもよい。
【０２９５】
図１１２に示すとおり、例示されるマスクシール９０４は、マスクベース９０２との連接部に隣接して、断面がより厚い肉厚化領域９２１を含む。かかる構成は、マスクシール９０４の耐用年数を向上させるとともに、マスクシール９０４とマスクベース９０２との間の連結の完全性を向上させる。一部の構成では、マスクシール９０４の最も厚い領域が、この肉厚化領域９２１である。
【０２９６】
マスクシール９０４は、使用者の顔を当接密閉するように設計される。マスクシール９０４は好ましくは、例えば限定されないがシリコーンなどの、柔軟な材料で形成される。一部の構成では、使用者の快適性が向上するように、マスクシール９０４の少なくとも一部分をテクスチャ加工することができる。例えば、一部の構成では、例示されるマスクシール９０４の形成に用いられるモールドの少なくとも一部分がビード吹き付けされることにより、マスクシール９０４のうち少なくとも使用者の皮膚と接触し得る領域に表面テクスチャが提供され得る。マスクシール９０４の１つ以上の表面をテクスチャ加工する他の技法が用いられてもよい。
【０２９７】
図１１０に示すとおり、例示されるマスクシール９０４は口鼻マスクシールを含み、従って、少なくとも１つの口用開口９２２と少なくとも１つの鼻用開口９２４とを含む。一部の構成では、マスクシール９０４は口鼻併用開口を含み得る。例示される実施形態などの一部の構成では、マスクシール９０４は２つ以上の鼻用開口９２４を含み得る。例示される構成では、マスクシール９０４は、ピロー、プロングなどの上部構造内に画定される鼻用開口９２４を含む。例示される構成はプロング９２７を含む。一部の構成では、単一のプロング（又は他の上部構造）を使用することができる。他の適用では、２つ以上のプロング（又は上部構造）を使用することができる。その１つ又は複数のプロング（又は他の上部構造）により、マスクシール９０４を使用者の顔に対して所望のとおりにより容易に位置決めすることが可能となる。加えて、上部構造、例えば限定されないがプロングなどの使用者により、マスクはより容易に密閉され（例えば、鼻孔の下又は顔に沿って密閉するのではなく、上部構造が鼻孔の中を密閉することができる）、マスクシール９０４において少なくとも１つの開口９２４が使用者の顔特徴によって部分的又は完全に塞がれることが少なくなる。
【０２９８】
任意の好適なプロング９２７構成を用いることができる。例示される構成では、プロング９２７は、球状の基部９２９から小さい開口９２４へと上向きに略テーパ状になっている。開口９２４は略楕円形又は卵形であってよい。加えて、プロング９２７の下から上までの移行は、多くの異なる鼻開口の幾何形状に対して密閉の向上を提供する形状であってよい。そのため、各プロング９２７が略垂直中心面（例えば、使用者の内側矢状（ｓａｇｇｉｔａｌ）面に対応する平面）に向かって傾けられ得る。加えて、プロング９２７は、図１１４に最も分かり易く示されるとおり、外側寸法が一様でない形で増加する形状を有し得る。換言すれば、基部９２９は、左右と比べて前から後ろにかけて一層サイズが大きくなり得る。加えて、基部９２９は、前方と比べて後方により大きく寸法が増加し得る。他の構成も可能である。
【０２９９】
少なくとも１つの口用開口９２２及び少なくとも１つの鼻用開口９２４は好ましくは、マスクアセンブリ９００内に画定される単一のチャンバ９２５と連通している。例示されるマスクアセンブリ９００のチャンバ９２５は、少なくとも部分的にマスクベース９０２及びマスクシール９０４によって画定される。少なくとも１つの口用開口９２２は、コネクタを受け入れる開口９２８の実質的に反対側にある。少なくとも１つの鼻用開口９２４は、垂直方向において少なくとも１つの口用開口９２２より上側にあり得る。少なくとも１つの鼻用開口９２４は、コネクタ用の開口９２８と少なくとも１つの口用開口９２２との間に位置決めされ得る。
【０３００】
再び図１１０に関連して、マスクシール９０４は好ましくは、上面９３０より上側に上方に延在する一対のパドル９２６を含む。パドル９２６は、鼻孔と並んで、且つ一部の構成では鼻孔より上側に、上方に延在するように構成される。好ましくは、図１１１に示されるとおり、上面９３０は、パドル９２６の内側部分９３３の間にハンモック状に吊り下がる。かかる構成では、上面９３０に加わる下向きの圧力により、パドル９２６が最上部で内側に枢動し得る。従って、使用者の鼻と上面９３０との間の力が増加すると、使用者の鼻の側部とパドル９２６との間に加わる密閉力が増加し得る。枢動動作がどの程度の力の増加をもたらすかは、構造によって変えることができる。換言すれば、より長いパドル９２６は、より短いパドル９２６と比較して大きい枢動程度を呈する。他方で、より短いパドル９２６は、より長いパドル９２６と比較して鼻の幾何形状のより大きいばらつきに適合することが可能であり、顔面への装着がより容易なマスクアセンブリ９００となる。
【０３０１】
パドル９２６及び上面９３０は谷部９３２を画定する。谷部９３２は、使用者の鼻尖を受け入れるように適合され得る。谷部９３２は、例示される構成では、上向きに開放している。換言すれば、例示されるマスクアセンブリ９００のうち鼻を受け入れる領域は上側が囲い込まれておらず、鼻の下に置かれるように構成される。
【０３０２】
例示される構成では、図１１２に示されるとおり、プロング９２７は、少なくとも１つの鼻用開口９２４の垂直方向の位置決めが肉厚化領域９２１の最も上側の延在範囲より低くなるように位置決めされる。一部の構成では、プロング９２７は、少なくとも１つの鼻用開口９２４の垂直方向の位置決めが肉厚化領域９２１の最も上側の延在範囲より高いか、又はそれと同じ高さとなるように位置決めされ得る。
【０３０３】
例示されるとおり、マスクシール９０４はプロング９２７の前方でテーパ状であり、プロング９２７に向かって下方にカールして上面９３０及び谷部９３２を画定している。このテーパ及びカールが撓み領域９３５を形成する。撓み領域９３５は、マスクシール９０４を鼻部において少なくとも撓み領域９３５で膨張させ得るのに十分な薄さ及び／又は弾性を有し得る。一部の構成では、内側部分９３３の少なくとも一部分及び撓み領域９３５の両方が、使用者の鼻部の周りで膨張させるのに十分な薄さである。一部の構成では、材料は約０．３ｍｍ厚未満、より好ましくは約０．２ｍｍ厚未満である。撓み領域９３５はまた、マスクシール９０４が鼻部において少なくとも撓み領域９３５でその形状を保持できるように十分により厚いもの及び／又はより硬いものであってよい。一部の構成では、内側部分９３３の少なくとも一部分及び撓み領域９３５の両方が、形状を保持するのに十分な厚さである。一部の構成では、材料は約０．７ｍｍ厚未満、より好ましくは約０．５ｍｍ厚未満である。
【０３０４】
上記に記載されるマスクシール７００と同様に、及び図１１２〜図１２０に示すとおり、マスクアセンブリ９００の例示されるマスクシール９０４は、かなり複雑な範囲及び構成の厚さを含む。厚さは、例示されるマスクシール９０４の異なる領域における異なる特性を利用するように変化が付けられる。例えば、図１１２に関連して、マスクシール９０４は、肉厚化部分９２１に略対応する連結領域９６０を示す。連結領域９６０は、マスクベース９０２を受け入れる開口を略包囲する。連結領域９６０は、一部の構成では、シール部材９０４の最も厚い部分であってよい。連結領域９６０はマスクシール９０４をマスクベース９０２につなぎ合わせる。従って、連結領域９６０は好ましくは十分な厚さを有することで、連結に十分な硬さを提供し、且つ耐久性に十分な厚さを提供する。一部の構成では、連結領域の厚さは約２ｍｍ〜約４ｍｍである。例示される構成では、厚さは約３．３ｍｍ〜約３．５ｍｍである。
【０３０５】
主に図１２０に関連して、マスクシール９０４の顔接触部分に略隣接する外周部分９６２は、かなり硬質であってよい。外周部分９６２は、口用開口９２２を取り囲む顔接触部分の下側の角から上方にパドル９２６の始点のすぐ下側の領域まで延在し得る。従って、外周部分９６２は、マスクシール９０４の後ろ側で略垂直方向に延在する部分に沿って延在し、マスクシール９０４の後ろ側の下部で僅かに内側に回り込んでいる。しかしながら外周部分９６２はマスクの下側部分の最終的な中心部分の手前で終端し、この中心部分は、使用者の種々の顔幾何形状によって作り出される様々な輪郭に適合するようにより柔軟である。外周部分９６２はまた、マスクシールの後ろに向く側からマスクシール９０４の横に向く側の少なくとも一部分に回り込んでいてもよい。一部の構成では、外周部分の厚さは約０．８ｍｍ〜約１．５ｍｍであってもよい。例示される構成では、外周部分９６２は連結領域９６０の厚さ未満の厚さを有し、好ましくは約１．２ｍｍ〜約１．３ｍｍの厚さを有する。
【０３０６】
マスクシール９０４はまた、口領域９６６も含む。例示されるマスクシール９０４における口領域９６６は、口用開口９２２の少なくとも一部分に沿って延在する。例示される構成では、口領域９６６は、少なくとも口用開口９２２の下側部分に沿って延在する。例示される構成では、口領域９６６は、少なくとも口用開口９２２の側部及び下部に沿って延在する。口領域９６６は顔と接触するより柔軟な領域を提供する。従って、口領域９６６はより薄い断面を有し得る。例えば、一部の構成では、口領域９６６は外周部分９６２の厚さ未満の厚さを有し、一部の構成では、約０．３ｍｍ〜約１．０ｍｍの厚さを有する。例示される構成では、口領域の厚さは約０．５ｍｍである。
【０３０７】
鼻プロング９２７はインタフェース領域９６７内に形成されてもよい。インタフェース領域９６７は好ましくは、例えば一晩中使用する使用者にとって快適であるのに十分な柔軟性及び変形可能性を保持しながらも、使用者の鼻孔の中に位置するのに十分な硬さを有する。例示される構成では、インタフェース領域はプロング９２７並びに直ちに隣接する領域の両方を含む。一部の構成では、インタフェース領域９６７の厚さは約１．５ｍｍ〜約０．５ｍｍである。例示される構成では、厚さは約０．８ｍｍ〜約０．５ｍｍである。
【０３０８】
図１２０に関連して、パドル領域９６８はパドル９２６の上側部分にかけて回り込み得る。パドル領域９６８は谷部９３２を略取り囲み得る。パドル領域９２６は、好ましくは極めて形状適合性が高く、そのため、約０．３ｍｍ〜約１．２ｍｍの厚さを有する。例示される構成では、パドル領域９６８は約０．５ｍｍの厚さを有する。
【０３０９】
パドル領域９６８とプロング９２７との間に可撓域９６９がある。可撓域９６９は好ましくは、パドル９２６の内側部分９３３に沿って形成される。一部の構成では、可撓域９６９はプロング９２７のそれぞれの横側部にある。一部の構成では、可撓域９６９はプロング９２７の両横側部に延在し、プロング９２７の略前方の位置に回り込む。可撓域９６９は、パドル９２６内に画定されるポケットの上に置かれ、これらのポケットはチャンバ９２５と流体連通している。そのため、チャンバ９２５内からの圧力により可撓域９６９がいくらか膨張し、又は可撓域９６９の膨隆が生じるため、使用者の鼻との密閉が向上し得る。可撓域は、好ましくは約０．５ｍｍ未満の厚さを有する。一部の構成では、膨張域９６９は約０．２ｍｍ〜約０．７ｍｍの厚さを有し得る。例示される構成では、膨張域９６９は約０．２ｍｍの厚さを有する。
【０３１０】
引き続き図１２０に関連して、上記に記載される領域の各々の間に、移行厚さを有する移行部分９７０が画定され得る。他の構成もまた可能である。
【０３１１】
図１１３〜図１１９に関連して、図１１０に示されるマスクシール９０４に沿った様々な断面が提供される。これらの断面は、マスクシール９０４の範囲内に現れる様々な移行を例示する助けとなる。
【０３１２】
図１１４及び図１１５に関連して、断面で示されるとおりのパドル９２６。ここに例示されるとおり、パドル９２６は内側部分に相対的に薄い断面を有し得る一方、大幅に厚い外側部分を有し得る。厚い外側部分は構造及び形状を提供する助けとなり得る一方、内側部分は、典型的な治療圧力（例えば、約３ｃｍ  Ｈ２Ｏ〜約２５ｃｍ  Ｈ２Ｏ）で制御された膨張又は制御された拡張を可能にするのに十分な薄さを保持する。一部の構成では、パドル９２６のうち顔と接触し得る部分は略一定の断面を含む。例示される構成では、パドル９２６の上側部分において（図１１４を参照）、より厚い断面とより薄い断面との間の移行は、内側部分と外側部分との間に画定される半径の前に生じる。かかる構成により、使用者の顔幾何形状に対するパドル９２６の形状適合性が向上する。例示される構成では、パドル９２６の下側部分において（図１１５を参照）、より厚い断面とより薄い断面との間の移行は、使用者の顔と接触し得る部分に沿って生じ、これにより鼻と頬との間の窪みの変形に対するより高い制御を達成することができる。他の構成も可能である。
【０３１３】
例示されるマスクシール９０４は、使用者の顔の２つの位置、すなわち鼻の下／中及び下唇の下側で係留するように設計される。一部の構成では、マスクシール９０４は、鼻の下側（又は外鼻孔の中）及び下唇と顎との間で係留するように構成される。一部の構成では、マスクは、いかなる係留点よりも高い位置で使用者の顔を当接密閉することにより、マスクアセンブリ９００を通る空気流を遮断するように設計される。従って、例示されるマスクシール９０４の少なくとも一部の密閉部分は、垂直方向において係留点より高く位置決めされる。
【０３１４】
マスクシール９０４は、異なるサイズ及び／又は幾何形状の顔での使用向けに異なるサイズを有し得る。一部の構成では、マスクシール９０４の異なる部分が、異なるサイズ及び／又は幾何形状の使用者に適合するサイズ及び構成とされ得る。例えば、マスクシール９０４の一部分が、異なる使用者向けに異なる程度まで上方に延在し得る。一部の構成では、全ての顔のサイズ及び幾何形状に対して、単一のサイズのマスクシール９０４が提供されてもよい。
【０３１５】
一部の構成では、マスクシール９０４は、異なる材料及び／又は異なるショア硬さで形成される複数の構成部品を含む。例えば、一部の構成では、マスクシール９０４の一部の構成部品がシリコーンで形成されてもよく、一方、他の構成部品が、発泡材、ゲル、布又は他の好適に曲げ易い材料で形成される。しかしながら例示される構成では、マスクシール９０４は、例えば限定されないがシリコーンなどの、一様な材料で形成される。
【０３１６】
特定の実施形態の点から本発明を説明したが、当業者に明らかな他の実施形態もまた、本発明の範囲内にある。従って、本発明の趣旨及び範囲から逸脱することなく、様々な変更及び改良を加えることができる。例えば、様々な構成部品の位置を所望に応じて変えることができる。さらに、本発明の実施に全ての特徴、態様及び利点が必ず必要というわけではない。従って、本発明の範囲は、以下の特許請求の範囲によってのみ定義されるよう意図される。
【図１】
2020192345.tif 000003
【図２】
2020192345.tif 000004
【図３】
2020192345.tif 000005
【図４】
2020192345.tif 000006
【図５】
2020192345.tif 000007
【図６】
2020192345.tif 000008
【図７】
2020192345.tif 000009
【図８】
2020192345.tif 000010
【図９】
2020192345.tif 000011
【図１０】
2020192345.tif 000012
【図１１】
2020192345.tif 000013
【図１２Ａ】
2020192345.tif 000014
【図１２Ｂ】
2020192345.tif 000015
【図１２Ｃ】
2020192345.tif 000016
【図１２Ｄ】
2020192345.tif 000017
【図１３】
2020192345.tif 000018
【図１４】
2020192345.tif 000019
【図１５】
2020192345.tif 000020
【図１６】
2020192345.tif 000021
【図１７】
2020192345.tif 000022
【図１８】
2020192345.tif 000023
【図１９】
2020192345.tif 000024
【図２０】
2020192345.tif 000025
【図２１】
2020192345.tif 000026
【図２２】
2020192345.tif 000027
【図２３】
2020192345.tif 000028
【図２４】
2020192345.tif 000029
【図２５】
2020192345.tif 000030
【図２６】
2020192345.tif 000031
【図２７】
2020192345.tif 000032
【図２８】
2020192345.tif 000033
【図２９】
2020192345.tif 000034
【図３０】
2020192345.tif 000035
【図３１】
2020192345.tif 000036
【図３２】
2020192345.tif 000037
【図３３】
2020192345.tif 000038
【図３４】
2020192345.tif 000039
【図３５】
2020192345.tif 000040
【図３６】
2020192345.tif 000041
【図３７】
2020192345.tif 000042
【図３８】
2020192345.tif 000043
【図３９】
2020192345.tif 000044
【図４０】
2020192345.tif 000045
【図４１】
2020192345.tif 000046
【図４２】
2020192345.tif 000047
【図４３】
2020192345.tif 000048
【図４４】
2020192345.tif 000049
【図４５】
2020192345.tif 000050
【図４６】
2020192345.tif 000051
【図４７】
2020192345.tif 000052
【図４８】
2020192345.tif 000053
【図４９】
2020192345.tif 000054
【図５０】
2020192345.tif 000055
【図５１】
2020192345.tif 000056
【図５２】
2020192345.tif 000057
【図５３】
2020192345.tif 000058
【図５４】
2020192345.tif 000059
【図５５】
2020192345.tif 000060
【図５６】
2020192345.tif 000061
【図５７】
2020192345.tif 000062
【図５８】
2020192345.tif 000063
【図５９】
2020192345.tif 000064
【図６０】
2020192345.tif 000065
【図６１】
2020192345.tif 000066
【図６２】
2020192345.tif 000067
【図６３】
2020192345.tif 000068
【図６４】
2020192345.tif 000069
【図６５】
2020192345.tif 000070
【図６６】
2020192345.tif 000071
【図６７】
2020192345.tif 000072
【図６８】
2020192345.tif 000073
【図６９】
2020192345.tif 000074
【図７０】
2020192345.tif 000075
【図７１】
2020192345.tif 000076
【図７２】
2020192345.tif 000077
【図７３】
2020192345.tif 000078
【図７４】
2020192345.tif 000079
【図７５】
2020192345.tif 000080
【図７６】
2020192345.tif 000081
【図７７】
2020192345.tif 000082
【図７８】
2020192345.tif 000083
【図７９】
2020192345.tif 000084
【図８０】
2020192345.tif 000085
【図８１】
2020192345.tif 000086
【図８２】
2020192345.tif 000087
【図８３】
2020192345.tif 000088
【図８４】
2020192345.tif 000089
【図８５】
2020192345.tif 000090
【図８６】
2020192345.tif 000091
【図８７】
2020192345.tif 000092
【図８８】
2020192345.tif 000093
【図８９】
2020192345.tif 000094
【図９０】
2020192345.tif 000095
【図９１】
2020192345.tif 000096
【図９２】
2020192345.tif 000097
【図９３】
2020192345.tif 000098
【図９４】
2020192345.tif 000099
【図９５】
2020192345.tif 000100
【図９６】
2020192345.tif 000101
【図９７】
2020192345.tif 000102
【図９８】
2020192345.tif 000103
【図９９】
2020192345.tif 000104
【図１００】
2020192345.tif 000105
【図１０１】
2020192345.tif 000106
【図１０２】
2020192345.tif 000107
【図１０３】
2020192345.tif 000108
【図１０４】
2020192345.tif 000109
【図１０５】
2020192345.tif 000110
【図１０６】
2020192345.tif 000111
【図１０７】
2020192345.tif 000112
【図１０８】
2020192345.tif 000113
【図１０９】
2020192345.tif 000114
【図１１０】
2020192345.tif 000115
【図１１１】
2020192345.tif 000116
【図１１２】
2020192345.tif 000117
【図１１３】
2020192345.tif 000118
【図１１４】
2020192345.tif 000119
【図１１５】
2020192345.tif 000120
【図１１６】
2020192345.tif 000121
【図１１７】
2020192345.tif 000122
【図１１８】
2020192345.tif 000123
【図１１９】
2020192345.tif 000124
【図１２０】
2020192345.tif 000125
【手続補正書】
【提出日】令和2年8月18日(2020.8.18)
【手続補正１】
【補正対象書類名】特許請求の範囲
【補正対象項目名】全文
【補正方法】変更
【補正の内容】
【特許請求の範囲】
【請求項１】
マスクアセンブリ（５００、７００、９００）であって、
横部分を含むマスクシール（５０４、７０４、９０４）と、
上方に突き出た部分（７１６）を含む一対のウィング（７１４）を含むマスクベース（５０２、７０２、９０２）であって、前記上方に突き出た部分（７１６）が前記マスクシール（５０４、７０４、９０４）の前記横部分を補強する、マスクベース（５０２、７０２、９０２）と、を含み、
前記マスクシール（５０４、７０４、９０４）は、
ユーザの鼻の下に置かれ、前記マスクアセンブリ（５００）と前記ユーザの顔との間に一次シールを画成するように構成された上面（５１６、７３０、９３０）と、
前記上面（５１６、７３０、９３０）から上向きに伸び、前記ユーザの鼻の側面に沿って上向きに伸びて前記ユーザの前記顔に第２のシールを画成するように構成され、かつ、前記ユーザの鼻に隣接する前記顔の表面に沿って延びるように構成された、第１の中空パドル（５１２）及び第２の中空パドル（５１４）と、
前記第１および第２の中空パドル（５１２、５１４）の間に横方向に、かつ前記上面（５１６、７３０、９３０）を貫通して配置された上向きの鼻用開口（５３０、７２４）と、
後方に向けられた口用開口（５２６、７２２）と、
前記第１および第２の中空パドル（５１２、５１４）のそれぞれの前方に向く表面に配置された支持領域（５５０）と、
膨張又は湾曲領域（５５２）と、を有し、
前記支持領域（５５０）は、前記膨張又は湾曲領域（５５２）よりも剛性が高く、前記支持領域（５５０）は前記膨張又は湾曲領域（５５２）の上に位置し、前記膨張又は湾曲領域（５５２）の膨張効果を制御するように構成されており、
前記マスクアセンブリ（５００、７００、９００）は、
前記マスクシール（５０４、７０４、９０４）と単一の構成要素に一体化され、前記マスクシール（５０４、７０４、９０４）を前記マスクベース（５０２、７０２、９０２）と接続するように構成されたマスクシールクリップ（１１２）を含む、
マスクアセンブリ（５００、７００、９００）。
【請求項２】
前記第１および第２の中空パドル（５１２、５１４）と、前記上面（５１６、７３０、９３０）とが前方に向かって配置された開口を画定し、当該前方に向かって配置された開口は、少なくともユーザの鼻の先端が前記前方開口を通って突き出ることができるように構成され、
ポケット（５１８）が、第１および第２の中空パドル（５１２、５１４）のそれぞれの中に画成される、
請求項１に記載のマスクアセンブリ（５００、７００、９００）。
【請求項３】
前記ポケット（５１８）が、前記マスクシール（５０４、７０４、９０４）により画成されたチャンバ（５２０）と流体連通している、
請求項２に記載のマスクアセンブリ（５００、７００、９００）。
【請求項４】
使用中に、前記膨張又は湾曲領域（５５２）は、前記ユーザの鼻の外面に向かって内向きに膨張する、
請求項１から３のいずれか一項に記載のマスクアセンブリ（５００、７００、９００）。
【請求項５】
前記上面（５１６、７３０、９３０）は、前記第１および第２の中空パドル（５１２、５１４）によって支持され、弧を描く連結部を画成する、請求項１から４のいずれか一項に記載のマスクアセンブリ（５００、７００、９００）。
【請求項６】
前記膨張又は湾曲領域（５５２）は、前記支持領域（５５０）の厚さより薄い厚さを有する、請求項１から５のいずれか一項に記載のマスクアセンブリ（５００、７００、９００）。
【請求項７】
前記マスクシール（５０４、７０４、９０４）の最も後方の領域（７３４）は、前記マスクシール（５０４、７０４、９０４）の周囲部分から後方に延びる少なくとも２つの突起（７３６）を含む、請求項１から６のいずれか一項に記載のマスクアセンブリ（５００、７００、９００）。
【請求項８】
前記突起（７３６）の少なくとも一部が、前記上面（５１６、７３０、９３０）と前記口用開口（５２６、７２２）の最上部との間に垂直に配置される、請求項７に記載のマスクアセンブリ（５００、７００、９００）。
【請求項９】
前記突起（７３６）のそれぞれが尖端（７３８）を有し、前記尖端（７３８）が前記上面（５１６、７３０、９３０）と口用開口（５２６、７２２）の最上部との間に垂直に配置される、請求項７に記載のマスクアセンブリ（５００、７００、９００）。
【請求項１０】
前記尖端（７３８）は、前記鼻用開口（５３０、７２４）の一部と前記口用開口（５２６、７２２）の一部との間に垂直に配置される、請求項９に記載のマスクアセンブリ（５００、７００、９００）。
【請求項１１】
前記突起（７３６）が、前記マスクシール（５０４、７０４、９０４）の周囲部分よりも柔軟な材料で形成され、および／または、前記マスクシール（５０４、７０４、９０４）の周囲部分よりも薄い断面を有する、請求項６から１０のいずれか一項に記載のマスクアセンブリ（５００、７００、９００）。
【請求項１２】
前記突起（７３６）が、前記マスクシール（５０４、７０４、９０４）の周囲部分と実質的に一致する断面厚さを有する、請求項６から１０のいずれか一項に記載のマスクアセンブリ（５００、７００、９００）。
【請求項１３】
前記突起（７３６）は、前記マスクシール（５０４、７０４、９０４）の周囲部分よりも硬い材料で形成され、かつ／またはそれよりも厚い断面を有する、請求項６から１０のいずれか一項に記載のマスクアセンブリ（５００、７００、９００）。
【請求項１４】
前記突起（７３６）は、使用時に、前記ユーザの眼窩下孔のすぐ下にある上顎骨によって画成される窪みを充填するように構成される、請求項６から１０のいずれか一項に記載のマスクアセンブリ（５００、７００、９００）。
【請求項１５】
前記突起（７３６）が、前記ユーザの鼻に隣接する領域の顔の輪郭でシールするための手段を形成する、請求項６から１０のいずれか一項に記載のマスクアセンブリ（５００、７００、９００）。
【手続補正２】
【補正対象書類名】明細書
【補正対象項目名】０３１６
【補正方法】変更
【補正の内容】
【０３１６】
特定の実施形態の点から本発明を説明したが、当業者に明らかな他の実施形態もまた、本発明の範囲内にある。従って、本発明の趣旨及び範囲から逸脱することなく、様々な変更及び改良を加えることができる。例えば、様々な構成部品の位置を所望に応じて変えることができる。さらに、本発明の実施に全ての特徴、態様及び利点が必ず必要というわけではない。従って、本発明の範囲は、以下の特許請求の範囲によってのみ定義されるよう意図される。
［態様１］
陽圧呼吸療法の提供に用いられるインタフェースにおいて、前記インタフェースが、
マスクシールとマスクベースとを含むマスクアセンブリであって、全面的に使用者の顔の鼻の鼻梁より下側に位置決めされるように構成された、且つ前記使用者の前記鼻の鼻尖の露出をもたらすように構成されたマスクアセンブリ；
を含み、
前記マスクベースが、中心部分と、前記中心部分の後方に湾曲する一対のウィングとを含み、前記ウィングが前記中心部分より大きい垂直方向の広がりを有し、前記マスクベースの前記中心部分にコネクタ用の開口が形成され；
前記マスクシールが前記マスクベースに連結され、前記マスクシールが前記マスクベースに隣接して肉厚化領域を含み、前記マスクシールが、下側部分にある少なくとも１つの口用開口と、上側部分にある少なくとも１つの鼻用開口とを含み、前記少なくとも１つの口用開口が、前記コネクタ用の前記開口の反対側に位置決めされ、前記少なくとも１つの鼻用開口が、前記コネクタ用の前記開口と前記口用開口との間に前後方向に位置決めされ；
且つ、前記マスクシールが第１のパドルと第２のパドルとを含み、前記第１のパドルと前記第２のパドルとの間に上面が位置決めされ、それにより前記第１のパドルと前記上支持面と前記第２のパドルとによって上方に開放した谷部が画定され、前記少なくとも１つの鼻用開口の少なくとも一部分が、前記谷部の範囲内で前記上面に位置決めされ、前記第１のパドルが第１のポケットを含み、前記第２のパドルが第２のポケットを含み、前記第１及び第２のポケットが、前記マスクアセンブリ内に画定されるチャンバと流体連通している、インタフェース。
［態様２］
前記マスクシールが、前記使用者の前記鼻の下で、前記鼻に隣接する前記使用者の顔の一部分に沿って、且つ前記使用者の口の周りで密閉するように適合される、態様１に記載のインタフェース。
［態様３］
前記マスクアセンブリが、前記使用者の前記鼻の前方に向く部分を一切覆わないように構成される、態様１又は２に記載のインタフェース。
［態様４］
前記上面が、前記第１及び第２のパドルの内側部分の間にハンモック状に吊り下がる、態様１〜３のいずれか一項に記載のインタフェース。
［態様５］
前記上面に対する下向きの圧力により、前記第１及び第２のパドルが互いの方に撓む、態様４に記載のインタフェース。
［態様６］
前記シール部材が、前記使用者の前記顔に接触するように適合された後面を含み、前記後面が第１の突起と第２の突起とを含む、態様１〜５のいずれか一項に記載のインタフェース。
［態様７］
前記第１の突起の少なくとも一部分及び前記第２の突起の少なくとも一部分が、垂直方向において前記上面と前記少なくとも１つの口用開口の最上部との間に位置決めされる、態様６に記載のインタフェース。
［態様８］
前記第１の突起の前記一部分が第１の尖端を含み、前記第２の突起の前記一部分が第２の尖端を含む、態様７に記載のインタフェース。
［態様９］
前記第１の尖端及び前記第２の尖端が、垂直方向において前記少なくとも１つの鼻用開口の一部分と前記少なくとも１つの口用開口との間に位置決めされる、態様８に記載のインタフェース。
［態様１０］
前記第１の尖端及び前記第２の尖端が、垂直方向において前記少なくとも１つの口用開口と比べて前記少なくとも１つの鼻用開口のより近くに位置決めされる、態様９に記載のインタフェース。
［態様１１］
前記マスクシールが、前記顔の２つの位置に係留するように適合される、態様１〜６のいずれか一項に記載のインタフェース。
［態様１２］
前記マスクシールが、前記下唇より下側及び前記鼻より下側に係留するように構成される、態様１１に記載のインタフェース。
［態様１３］
前記マスクシールが、前記下唇より下側ながら前記顎よりは上側及び前記鼻より下側に係留するように構成される、態様１１に記載のインタフェース。
［態様１４］
前記２つの位置は前記鼻の底部より下側にあるが、前記マスクシールは前記鼻の前記底部を越えて上方に延在する、態様１１に記載のインタフェース。
［態様１５］
前記マスクシールが、垂直方向において最上係留位置より上側の位置で顔に当接して密閉するように適合される、態様１４に記載のインタフェース。
［態様１６］
前記上面が、前記少なくとも１つの鼻用開口を取り囲む領域で下方及び後方に傾斜している、態様１〜５のいずれか一項に記載のインタフェース。
［態様１７］
前記少なくとも１つの鼻用開口が鼻パッドインサートを含む、態様１〜５のいずれか一項に記載のインタフェース。
［態様１８］
前記鼻パッドインサートが、前記マスクシールと異なる材料で形成される、態様１７に記載のインタフェース。
［態様１９］
前記鼻パッドインサートが、凹状のパッド支持領域で前記マスクシールに固定される、態様１７に記載のインタフェース。
［態様２０］
前記鼻パッドインサート及び前記マスクシールが、相互関係を有するキーイング機構を含む、態様１７に記載のインタフェース。
［態様２１］
前記鼻パッドインサートと前記マスクシールとが、前記少なくとも１つの鼻用開口を略取り囲む密閉接合部を有する、態様１７に記載のインタフェース。
［態様２２］
前記鼻パッドインサートが凹状中心部分を含む、態様１７に記載のインタフェース。
［態様２３］
前記凹状中心部分が、前記少なくとも１つの鼻用開口の略前方に位置決めされる、態様２２に記載のインタフェース。
［態様２４］
前記第１のパドル及び前記第２のパドルの内側に向く部分と比べて、外周部分の硬さが増加している、態様１〜５のいずれか一項に記載のインタフェース。
［態様２５］
前記第１のパドル及び前記第２のパドルの前記内側に向く部分と比べて、前記外周部分の厚さが増加している、態様２４に記載のインタフェース。
［態様２６］
前記第１のパドルが、外側に向く面と内側に向く面との間に位置決めされた第１のリッジを含み、前記第２のパドルが、外側に向く面と内側に向く面との間に位置決めされた第２のリッジを含み、前記第１及び第２のリッジは、前記内側に向く面と比べて硬さが増加している、態様１〜５のいずれか一項に記載のインタフェース。
［態様２７］
前記第１のパドルが、外側に向く面と内側に向く面との間に位置決めされた第１のリッジを含み、前記第２のパドルが、外側に向く面と内側に向く面との間に位置決めされた第２のリッジを含み、前記第１及び第２のリッジは、前記内側に向く面と比べて厚さが増加している、態様１〜５のいずれか一項に記載のインタフェース。
［態様２８］
前記マスクアセンブリと前記使用者の前記顔との間に僅かに上向きの力の加力を提供するように適合されたヘッドギアアセンブリをさらに含む、態様１〜２７のいずれか一項に記載のインタフェース。
［態様２９］
前記ヘッドギアアセンブリが、前記マスクアセンブリの角度を調節するように構成される、態様２８に記載のインタフェース。
［態様３０］
前記ヘッドギアがＴピースを含まない、態様２８に記載のインタフェース。
［態様３１］
前記マスクアセンブリ及び前記ヘッドギアアセンブリが、垂直方向には前記眼より上側のいかなる位置においても、水平方向には前記眼の外側の間の位置で、前記マスクアセンブリ又は前記ヘッドギアアセンブリの一部分が前記使用者の前記顔に接触しないように構成される、態様２８に記載のインタフェース。
［態様３２］
前記マスクアセンブリが少なくとも１つの鼻プロングを含む、態様１〜５のいずれか一項に記載のインタフェース。
［態様３３］
前記少なくとも１つの鼻プロングが、前記マスクアセンブリの内側垂直面に向かって傾いている、態様３２に記載のインタフェース。
【外国語明細書】
2020192345000001.pdf